(57)【要約】【課題】演出の実行機会が制限されるのを防止しつつも、特定の演出を適切かつ確実に実行可能な遊技機を提供する。【解決手段】示唆演出の実行可否及び実行態様を決定する第１示唆演出決定手段、第１示唆演出決定手段とは別個に示唆演出の実行可否及び実行態様を決定する第２示唆演出決定手段、第２示唆演出決定手段により実行が決定された示唆演出の報知を行う特定演出を実行する特定演出実行手段を備え、特定演出が実行される場合には、第１示唆演出決定手段及び第２示唆演出決定手段により示唆演出についての決定が行われる遊技機において、第１示唆演出決定手段及び第２示唆演出決定手段のいずれによっても同種の示唆演出の実行が決定された場合には、第２示唆演出決定手段により決定された態様により示唆演出を実行するように設定する。【選択図】図５８
2018042848.tif 000002
【特許請求の範囲】
【請求項１】
遊技球が流下可能な遊技領域と、
前記遊技領域に設けられ遊技球が進入可能な始動領域と、
前記始動領域への遊技球の進入を条件として、遊技者に有利な特別遊技の実行の可否を抽選により決定する特別遊技実行決定手段と、
前記特別遊技実行決定手段による決定の結果を報知する変動演出を実行する変動演出実行手段と、
前記特別遊技実行決定手段により決定される前記特別遊技の実行の可否に関する示唆を行う示唆演出を実行する示唆演出実行手段と、
前記示唆演出の実行の可否、及び、当該示唆演出が実行される場合の態様を決定する第１示唆演出決定手段と、
前記第１示唆演出決定手段による決定とは別個に、前記示唆演出の実行の可否、及び、当該示唆演出が実行される場合の態様を決定する第２示唆演出決定手段と、
予め定められた実行条件の成立に基づき、前記第２示唆演出決定手段により実行が決定された示唆演出に関する報知を行う特定演出を実行する特定演出実行手段と、を備え、
前記特定演出が実行される場合には、前記第１示唆演出決定手段による前記示唆演出についての決定が行われるとともに、前記第２示唆演出決定手段による前記示唆演出についての決定が行われる遊技機であって、
前記示唆演出実行手段は、
前記第１示唆演出決定手段及び前記第２示唆演出決定手段のいずれによっても同種の示唆演出の実行が決定された場合には、前記第２示唆演出決定手段により決定された態様により当該示唆演出を実行することを特徴とする遊技機。
【請求項２】
前記変動演出には、
所定の態様により行われる特殊演出を実行するとともに、当該特殊演出の終了後に、演出用の図柄である演出図柄の変動表示を実行した後に当該演出図柄を停止表示させる本変動を実行する態様が設けられ、
前記特定演出が実行される場合には、前記特殊演出において、当該特定演出に関する報知を実行可能であることを特徴とする請求項１記載の遊技機。
【請求項３】
前記変動演出には、
演出用の図柄である演出図柄の変動表示及び当該変動表示の仮停止を所定回数行う擬似変動演出を実行した後に当該演出図柄を停止表示させる態様が設けられ、
前記特定演出が実行される場合には、前記擬似変動演出において、当該特定演出に関する報知を実行可能であることを特徴とする請求項１又は２記載の遊技機。
【発明の詳細な説明】
【技術分野】
【０００１】
本発明は、遊技機に関し、詳しくは、始動領域への遊技球の進入を条件として、遊技者に有利な特別遊技の実行の可否を決定可能な遊技機に関するものである。
【背景技術】
【０００２】
従来、この種の遊技機として、遊技領域に設けられた始動領域への遊技球の進入を契機として大当たりの抽選（特別遊技の実行の可否の決定）が行われ、大当たりに当選すると、多くの賞球を獲得可能な特別遊技が実行されるものが知られている。このような遊技機では、大当たりの抽選の結果を報知する変動演出が実行されるとともに、大当たりの当選の期待度を示唆すべく、変動演出とは別個に、所定の静止画や動画等の画像を表示する示唆演出が実行されるのが一般的である。
また、近年では、演出効果を向上させて遊技者の興趣を高めるべく、演出用の図柄である演出図柄の変動表示及び仮停止を所定回数行った後に当該演出図柄によりリーチ表示が行われる、いわゆる擬似連の実行中等の特定の演出状態において、実行されている示唆演出の態様を、より大当たりの当選の期待度の高い態様に切り替える期待度昇格演出を実行可能な遊技機が考案されている（特許文献１参照）。
【先行技術文献】
【特許文献】
【０００３】
【特許文献１】特開２０１３−０２２０２７号公報
【発明の概要】
【発明が解決しようとする課題】
【０００４】
しかし、このような遊技機では、擬似連の実行中等の特定の演出状態においては、大当たりの当選に対する期待度を最大限高めるための演出（上述の期待度昇格演出）は実行されやすいように設定されているものの、特定の演出状態以外の演出状態で主に実行され、大当たりの当選に対する期待度が相対的に低い一般的な演出については、実行されにくい又は実行されないように設定されていることが多い。
そのため、特定の演出状態においては演出の実行機会が制限され、種々の演出を楽しみたい遊技者の遊技に対する興趣を低下させてしまうとのおそれが生じていた。
【０００５】
そこで、本発明は、上述した事情によりなされたものであり、演出の実行機会が制限されるのを防止しつつも、特定の演出を適切かつ確実に実行可能な遊技機の提供を目的とする。
【課題を解決するための手段】
【０００６】
上述した目的を達成するために、本発明は次のように構成されている。
以下、本発明の特徴点を図面に示した発明の実施の形態を用いて説明する。なお、下記の符号及び記載は、本発明の構成に相当する発明の実施の形態における構成の符号及び名称を示したものであり、本発明の技術的範囲を限定するものではない。
【０００７】
（１）本発明は、遊技球が流下可能な遊技領域１２と、前記遊技領域１２に設けられ遊技球が進入可能な始動領域（第１始動入賞口１５、第２始動入賞口１６）と、前記始動領域への遊技球の進入を条件として、遊技者に有利な特別遊技の実行の可否を抽選により決定する特別遊技実行決定手段（メインＣＰＵ１０１）と、前記特別遊技実行決定手段による決定の結果を報知する変動演出を実行する変動演出実行手段（サブＣＰＵ３０１）と、前記特別遊技実行決定手段により決定される前記特別遊技の実行の可否に関する示唆を行う示唆演出を実行する示唆演出実行手段（サブＣＰＵ３０１）と、前記示唆演出の実行の可否、及び、当該示唆演出が実行される場合の態様を決定する第１示唆演出決定手段（通常決定を実行するサブＣＰＵ３０１）と、前記第１示唆演出決定手段による決定とは別個に、前記示唆演出の実行の可否、及び、当該示唆演出が実行される場合の態様を決定する第２示唆演出決定手段（特殊決定を実行するサブＣＰＵ３０１）と、予め定められた実行条件の成立に基づき、前記第２示唆演出決定手段により実行が決定された示唆演出に関する報知を行う特定演出を実行する特定演出実行手段（サブＣＰＵ３０１）と、を備え、前記特定演出が実行される場合には、前記第１示唆演出決定手段による前記示唆演出についての決定が行われるとともに、前記第２示唆演出決定手段による前記示唆演出についての決定が行われる遊技機（パチンコ機Ｐ）であって、前記示唆演出実行手段は、前記第１示唆演出決定手段及び前記第２示唆演出決定手段のいずれによっても同種の示唆演出の実行が決定された場合には、前記第２示唆演出決定手段により決定された態様により当該示唆演出を実行することを特徴とする。
ここで、予め定められた実行条件の成立としては、所定の変動演出のパターン（変動モード番号、変動パターン番号）が決定されたこと、所定の抽選に当選したこと等が挙げられる。また、同種の示唆演出としては、同一種別の示唆演出であって態様が異なるもの（たとえば、所定の静止画像を表示するカットイン演出であって、表示される画像が異なるものや表示される文字の色が異なるもの）や、同一の実行タイミングで選択的に実行される異なる種別の示唆演出（たとえば、所定タイミングで、上述のカットイン演出又は所定の動画像を表示する動画像表示演出のいずれか一方が表示されるように設定されている場合における、当該カットイン演出及び当該動画像表示演出）等が挙げられる。
【０００８】
本発明に係る遊技機においては、特定演出が実行される場合には、第１示唆演出決定手段により示唆演出の実行の可否が決定されるとともに、第２示唆演出決定手段によっても示唆演出の実行の可否が決定される。そして、第１示唆演出決定手段及び第２示唆演出決定手段のいずれによっても、同種の示唆演出の実行が決定された場合には、特定演出において示唆演出に関する報知が行われる第２示唆演出決定手段により決定された態様により、当該示唆演出が実行される。
すなわち、本発明に係る遊技機によれば、特定演出が実行される場合には、第１示唆演出決定手段及び第２示唆演出決定手段の両方によって示唆演出の実行の可否が決定されるため、特定演出の実行中における示唆演出の実行機会が減少してしまうのを防止することができるのである。また、同種の示唆演出の実行が決定された場合には、第２示唆演出決定手段による決定内容が優先されて示唆演出が実行されるため、特定演出において報知が行われる示唆演出を適切かつ確実に実行できるのである。
【０００９】
（２）また、前記変動演出には、所定の態様により行われる特殊演出を実行するとともに、当該特殊演出の終了後に、演出用の図柄である演出図柄５０の変動表示を実行した後に当該演出図柄５０を停止表示させる本変動を実行する態様（「０７Ｈ」の変動モード番号による変動演出）が設けられ、前記特定演出が実行される場合には、前記特殊演出において、当該特定演出に関する報知（特定演出開始報知演出）を実行可能であるようにしてもよい。
（３）また、前記変動演出には、演出用の図柄である演出図柄５０の変動表示及び当該変動表示の仮停止を所定回数行う擬似変動演出（擬似変動）を実行した後に当該演出図柄を停止表示させる態様（「０７Ｈ」の変動モード番号による変動演出）が設けられ、前記特定演出が実行される場合には、前記擬似変動演出において、当該特定演出に関する報知（実行を報知する示唆演出に対応するアイコン画像の表示）を実行可能であるようにしてもよい。
【発明の効果】
【００１０】
本発明によれば、演出の実行機会が制限されるのを防止しつつも、特定の演出を適切かつ確実に実行可能な遊技機を提供することができる。
【図面の簡単な説明】
【００１１】
【図１】パチンコ機の外観斜視図である。
【図２】パチンコ機の前扉を開けた状態の外観斜視図である。
【図３】パチンコ機の遊技盤の正面概略図である。
【図４】パチンコ機の電気的構成を示すブロック図である。
【図５】パチンコ機の大当たり決定乱数判定テーブルの説明図である。
【図６】パチンコ機の当たり図柄乱数判定テーブルの説明図である。
【図７】パチンコ機のリーチグループ決定乱数判定テーブルの説明図である。
【図８】パチンコ機のリーチモード決定乱数判定テーブルの説明図である。
【図９】パチンコ機のリーチモード決定乱数判定テーブルの説明図である。
【図１０】パチンコ機の変動パターン抽選テーブルの説明図である。
【図１１】パチンコ機の変動時間決定テーブルの説明図である。
【図１２】パチンコ機の特別電動役物作動テーブルの説明図である。
【図１３】パチンコ機の遊技状態設定テーブルの説明図である。
【図１４】パチンコ機の当たり決定乱数判定テーブルの説明図である。
【図１５】パチンコ機の普通図柄変動パターン決定テーブルの説明図である。
【図１６】パチンコ機の第２始動入賞口開放制御テーブルの説明図である。
【図１７】パチンコ機の主制御基板におけるメイン処理の概略を示すフローチャートである。
【図１８】パチンコ機の主制御基板におけるタイマ割込処理の概略を示すフローチャートである。
【図１９】パチンコ機の主制御基板におけるセンサ検出時処理の概略を示すフローチャートである。
【図２０】パチンコ機の主制御基板におけるゲート検出時処理の概略を示すフローチャートである。
【図２１】パチンコ機の主制御基板における第１始動入賞口検出時処理の概略を示すフローチャートである。
【図２２】パチンコ機の主制御基板における事前判定処理の概略を示すフローチャートである。
【図２３】パチンコ機の主制御基板における第２始動入賞口検出時処理の概略を示すフローチャートである。
【図２４】パチンコ機の主制御基板における特図関連制御処理の概略を示すフローチャートである。
【図２５】パチンコ機の主制御基板における特別図柄変動開始処理の概略を示すフローチャートである。
【図２６】パチンコ機の主制御基板における変動演出パターン決定処理の概略を示すフローチャートである。
【図２７】パチンコ機の主制御基板における特別図柄変動停止処理の概略を示すフローチャートである。
【図２８】パチンコ機の主制御基板における停止後処理の概略を示すフローチャートである。
【図２９】パチンコ機の主制御基板における特別遊技制御処理の概略を示すフローチャートである。
【図３０】パチンコ機の主制御基板における特別遊技終了処理の概略を示すフローチャートである。
【図３１】パチンコ機の主制御基板における普図関連制御処理の概略を示すフローチャートである。
【図３２】パチンコ機の主制御基板における普通図柄変動開始処理の概略を示すフローチャートである。
【図３３】パチンコ機の主制御基板における普通図柄変動停止処理の概略を示すフローチャートである。
【図３４】パチンコ機の主制御基板における普通図柄停止後処理の概略を示すフローチャートである。
【図３５】パチンコ機の主制御基板における可動片制御処理の概略を示すフローチャートである。
【図３６】パチンコ機の変動演出の態様の一例を示す図である。
【図３７】パチンコ機の変動演出の態様の一例を示す図である。
【図３８】パチンコ機の変動演出の態様の一例を示す図である。
【図３９】パチンコ機の変動演出の態様の一例を示す図である。
【図４０】パチンコ機の保留表示演出の態様の一例を示す図である。
【図４１】パチンコ機の示唆演出の態様の一例を示す図である。
【図４２】パチンコ機のカットイン演出実行決定テーブルの説明図である。
【図４３】パチンコ機の特殊映像演出実行決定テーブルの説明図である。
【図４４】パチンコ機の役物作動演出実行決定テーブルの説明図である。
【図４５】パチンコ機の会話・次回予告演出実行決定テーブルの説明図である。
【図４６】パチンコ機の変動演出及び特定演出開始報知演出の態様の一例を示す図である。
【図４７】パチンコ機の特定演出の態様の一例を示す図である。
【図４８】パチンコ機の特殊決定テーブルの説明図である。
【図４９】パチンコ機の開始時アイコン画像決定テーブルの説明図である。
【図５０】パチンコ機の煽り演出実行決定テーブルの説明図である。
【図５１】パチンコ機の副制御基板におけるメイン処理の概略を示すフローチャートである。
【図５２】パチンコ機の副制御基板におけるタイマ割込処理の概略を示すフローチャートである。
【図５３】パチンコ機の副制御基板における事前判定コマンド受信処理の概略を示すフローチャートである。
【図５４】パチンコ機の副制御基板における変動モードコマンド受信処理の概略を示すフローチャートである。
【図５５】パチンコ機の副制御基板における変動パターンコマンド受信処理の概略を示すフローチャートである。
【図５６】パチンコ機の副制御基板における通常決定処理の概略を示すフローチャートである。
【図５７】パチンコ機の副制御基板における特定演出制御処理の概略を示すフローチャートである。
【図５８】パチンコ機の副制御基板における特殊決定処理の概略を示すフローチャートである。
【図５９】パチンコ機の副制御基板における獲得アイコン画像示唆演出制御処理の概略を示すフローチャートである。
【図６０】パチンコ機の副制御基板における示唆演出制御処理の概略を示すフローチャートである。
【発明を実施するための形態】
【００１２】
以下、本発明の好適な実施の形態を、図面を参照しつつ説明する。
（パチンコ機Ｐの外部構成）
本形態に係る遊技機は、遊技媒体として遊技球を使用するパチンコ機Ｐである。特に図示していないが、パチンコ機Ｐが設置される遊技場においては、島と呼ばれる遊技機の設置領域に、複数台のパチンコ機Ｐが並べて配設されるとともに、遊技球を貸し出すための遊技球貸出装置が各パチンコ機Ｐに隣接して設置される。また、各パチンコ機Ｐは対応する遊技球貸出装置Ｒに接続されている。
遊技球貸出装置Ｒは、紙幣の投入や遊技球の貸し出しに必要な価値情報が記憶される記憶媒体（カード）の挿入が可能となっている。そして、遊技球貸出装置Ｒに紙幣を投入（又は、カードを挿入）した上で、パチンコ機Ｐに対して所定の操作を行うことにより、遊技球貸出装置Ｒから遊技球の貸し出しを受けることができるようになっている。
【００１３】
本形態に係るパチンコ機Ｐは、図１又は図２に示すように、島に固定される四角形状の枠体であって、中空部（特に図示しておらず）を有する機枠１と、この機枠１にヒンジ機構（特に図示しておらず）により開閉自在に取り付けられる四角形状の枠体であって、中空部（特に図示しておらず）を有する本体枠２と、この本体枠２にヒンジ機構（特に図示しておらず）により開閉自在に取り付けられ、正面に開口部（特に図示しておらず）が形成された前扉３と、を備えている。
【００１４】
機枠１の左下部には、図２に示すように、音声出力装置１０としてのスピーカが設けられている。また、本体枠２の中空部には、遊技領域１２を形成するための遊技盤１１が収容されている。また、前扉３には、開口部を覆う透明板４と、透明板４の下方に位置し遊技球を受容可能な上皿６及び受皿７と、受皿７の右方に取り付けられ遊技球の発射操作を行うための操作ハンドル５と、透明板４の左右上方にそれぞれ１個ずつ取り付けられた音声出力装置１０としてのスピーカと、が設けられている。
【００１５】
このパチンコ機Ｐでは、機枠１に対して本体枠２を閉じ、さらに、前扉３を閉じると、遊技盤１１の前方に間隙を挟んで透明板４が位置することとなる。これにより、透明板４を介して、後方に位置する遊技盤１１を視認することができるようになっている。
【００１６】
また、上皿６には、遊技球貸出装置Ｒにより貸し出される遊技球や、パチンコ機Ｐから払い出される賞球が導かれるようになっている。上皿６は、所定量の遊技球を受容可能となっているが、この上皿６が遊技球で一杯になると、その後に貸し出されたり、払い出されたりする遊技球は受皿７に導かれるようになっている。また、受皿７の底面には、特に図示していないが、貯留されている遊技球を排出するための排出孔と、排出孔を開閉可能な開閉板と、が設けられている。常態において、排出孔は開閉板により閉じられているものの、開閉板と一体に取り付けられた開閉レバー８（図１参照）を横方向に移動させることで、開閉板も同方向に移動し、排出孔が開放される。これにより、遊技球を排出孔から落下させて、受皿７の外に排出することができるようになっている。
【００１７】
また、操作ハンドル５は、遊技者が所定方向へ向けて回転操作できるように形成されている。そして、遊技者が操作ハンドル５を回転操作すると、上皿６に受容されている遊技球が発射装置（特に図示しておらず）に送られ、操作ハンドル５の回転角度に応じた強度で、発射装置によって遊技球が遊技領域１２へ向けて発射される。このように発射された遊技球は、遊技盤１１に固定された一対のレール１３ａ、１３ｂに案内されて上昇し、遊技領域１２に到達する。
【００１８】
ここで、遊技領域１２は、機枠１に対し本体枠２及び前扉３を閉じた状態で遊技盤１１と透明板４との間に形成される空間のうち、遊技盤１１に固定された一対のレール１３ａ、１３ｂにより略円形状に仕切られた部分であって、遊技球が流下可能な領域である。
この遊技領域１２は、図３に示すように、パチンコ機Ｐに対向する遊技者から見て左側の領域である第１遊技領域１２ａと、パチンコ機Ｐに対向する遊技者から見て右側の領域である第２遊技領域１２ｂとから構成されている。これら２つの遊技領域１２は、発射装置の発射強度により、遊技球の進入可能性が異なるようになっている。具体的には、発射装置の発射強度が所定の強度未満（発射装置により発射される遊技球が遊技領域１２の最高地点に到達しない程度の強度）の場合には、遊技球は第１遊技領域１２ａに進入する。これに対して、発射装置の発射強度が所定の強度以上（発射装置により発射される遊技球が遊技領域１２の最高地点に到達可能な強度）の場合には、遊技球は第２遊技領域１２ｂに進入する。
【００１９】
また、この遊技領域１２内には、図３に示すように、遊技球の流下方向を不規則にするための風車及び多数の釘と、遊技球が入球可能な一般入賞口１４と、始動領域としての第１始動入賞口１５及び第２始動入賞口１６と、遊技球が通過可能なゲート２０と、所定条件を満たすことで作動するアタッカー装置１７と、遊技球を遊技領域１２外へ導くアウト口１９と、遊技の進行等に伴って演出を行う演出装置としての演出表示装置２１と、種々のタイミングや態様で可動する演出装置としての演出役物装置２２と、が設けられている。
【００２０】
一般入賞口１４は、図３に示すように、遊技領域１２の左側下部に設けられており、当該一般入賞口１４へ遊技球が入球すると、所定個数（本形態では５個）の賞球が払い出される。
なお、一般入賞口１４の設置個数や設置位置は特に限定されるものではない。
【００２１】
第１始動入賞口１５は、図３に示すように、遊技領域１２の中央からやや下寄りの位置に設けられている。この第１始動入賞口１５へは、第１遊技領域１２ａを流下する遊技球が入球可能となっており、第２遊技領域１２ｂを流下する遊技球はほぼ入球できないようになっている。これに対して、第２始動入賞口１６は、図３に示すように、遊技領域１２の中央から右寄りの位置（すなわち、第２遊技領域１２ｂ内）に設けられている。この第２始動入賞口１６へは、第２遊技領域１２ｂを流下する遊技球が入球可能となっており、第１遊技領域１２ａを流下する遊技球はほぼ入球できないようになっている。
【００２２】
また、第２始動入賞口１６には、図３に示すように、開閉可能な可動片１６ｂ（普通電動役物）が設けられている。そして、可動片１６ｂが閉じているときには第２始動入賞口１６が閉状態となっており、第２始動入賞口１６への遊技球の入球は不可能又は困難である。これに対して、可動片１６ｂが開くと、第２始動入賞口１６が開状態となるとともに、この可動片１６ｂが遊技球を第２始動入賞口１６へ向けて案内するガイド部材として機能することにより、第２始動入賞口１６への遊技球の入球が容易となる。
また、この可動片１６ｂの構成は特に限定されるものではなく、たとえば、遊技盤１１に直交する軸を中心に左右方向に回動して第２始動入賞口１６を開閉する一対の羽根部材や、水平な軸を中心に前後方向に回動して第２始動入賞口１６を開閉する蓋部材により構成してもよいし、また、上下方向にスライドして第２始動入賞口１６を開閉するシャッター部材により構成してもよい。
なお、第１始動入賞口１５や第２始動入賞口１６の設置位置は特に限定されるものではなく、たとえば、第１始動入賞口１５や第２始動入賞口１６は、いずれの遊技領域１２（第１遊技領域１２ａ、第２遊技領域１２ｂ）を流下する遊技球も入球しやすいような位置に配置してもよい。
【００２３】
そして、第１始動入賞口１５又は第２始動入賞口１６へ遊技球が入球すると、賞球が払い出されるとともに、予め定められた複数の特別図柄の中から１の特別図柄を決定するための抽選が行われる。各特別図柄には種々の遊技利益が対応付けられており、決定された特別図柄の種別に応じて、遊技者にとって有利な特別遊技の実行、所定の遊技状態の設定等の遊技利益を得られるようになっている。
なお、第１始動入賞口１５又は第２始動入賞口１６への遊技球の入球に基づいて払い出される賞球は、１個以上であれば特に限定されるものではなく、いかなる個数にしてもよい。また、可動片１６ｂが設けられている始動入賞口（第２始動入賞口１６）と可動片１６ｂが設けられていない始動入賞口（第１始動入賞口１５）とでは、賞球の数を同一にしてもよいし、異ならせてもよい。
【００２４】
ゲート２０は、図３に示すように、第２始動入賞口１６の上方に設けられている。このゲート２０を遊技球が通過すると、後述する普通図柄の抽選が行われる。そして、当該抽選の結果が当たりであった場合、上述の第２始動入賞口１６に設けられた可動片１６ｂが所定時間開かれるようになっている。
【００２５】
アタッカー装置１７は、図３に示すように、第２始動入賞口１６の下方に設けられている。このアタッカー装置１７は、遊技球が入球可能な大入賞口１８と、この大入賞口１８を開閉する開閉扉１８ｂと、を備えている。常態においては、開閉扉１８ｂが閉じられ大入賞口１８は閉鎖されているため、当該大入賞口１８への遊技球の入球は不可能となっているものの、上述の特別遊技が実行されると、開閉扉１８ｂが開き大入賞口１８が開放されるとともに、開閉扉１８ｂが遊技球を大入賞口１８へ導く受皿部材として機能することにより、大入賞口１８への遊技球の入球が可能となる。
そして、大入賞口１８へ遊技球が入球すると、所定個数（本形態では１５個）の賞球が払い出される。
また、図３に示すように、この大入賞口１８へは、第２遊技領域１２ｂを流下する遊技球が入球可能となっており、第１遊技領域１２ａを流下する遊技球はほぼ入球できないようになっている。
このように、第１遊技領域１２ａを流下する遊技球は第１始動入賞口１５への入球が可能となっており、第２遊技領域１２ｂを流下する遊技球はゲート２０の通過、第２始動入賞口１６への入球、大入賞口１８への入球が可能となっている。
【００２６】
アウト口１９は、図３に示すように、遊技領域１２の最下部に設けられており、一般入賞口１４、第１始動入賞口１５、第２始動入賞口１６及び大入賞口１８のいずれにも入球しなかった遊技球を受け入れるものである。そして、アウト口１９に受け入れられた遊技球は、遊技盤１１の背面側に導かれ回収される。
【００２７】
演出表示装置２１は、図３に示すように、遊技領域１２の略中央に設けられている。本形態に係るパチンコ機Ｐでは、この演出表示装置２１として液晶表示装置が用いられている。また、この演出表示装置２１には、動画や静止画等の画像を表示するための表示部２１ａが設けられており、この表示部２１ａには、背景画像が表示されるほか、演出図柄５０（ダミー図柄）が変動表示され、各演出図柄５０の停止表示態様により後述する大当たりの抽選の結果を遊技者に報知する変動演出が行われるようになっている。
なお、演出表示装置２１は、液晶表示装置に限定されるものではなく、たとえば、外周に図柄が付された複数のドラムを用いて各種表示を行うドラム式の表示装置等を用いてもよい。
【００２８】
演出役物装置２２は、所定形状（本形態では星形）の板部材であり、常態においては、遊技盤１１の裏面側に収納されている。また、演出役物装置２２には、後述する役物駆動ソレノイド２２ｂ、及び、フルカラーＬＥＤにより構成された複数の役物ランプ２２ｃが設けられている。そして、後述する所定の演出が実行される場合には、役物駆動ソレノイド２２ｂが作動することにより、演出役物装置２２が演出表示装置２１の前面における所定の演出実行位置まで可動し、演出役物装置２２の全部が演出表示装置２１の全面に表出するとともに（図４１（ｃ）及び図４７（ｃ）参照）、役物ランプ２２ｃが所定の色で発光することにより、演出役物装置２２全体が所定の色で発光しているかのように視認できることとなる。
【００２９】
本形態に係るパチンコ機Ｐは、演出装置として、演出表示装置２１のほか、上述の音声出力装置１０としてのスピーカや、種々の色や点灯パターンで発光することにより演出を行う演出照明装置２３としてのランプ（図１参照）を備えている。
また、上皿６の前方位置には、遊技者が操作することにより遊技中や待機中等に実行される演出の進行や切り替えが可能な演出操作装置９が設けられている。本形態における演出操作装置９は、円形リング状の枠体であって回転操作が可能な操作ダイヤル９ａと、操作ダイヤル９ａに嵌め込まれており押下操作が可能な操作ボタン９ｂとから構成されている。そして、演出表示装置２１において所定の演出が実行されているときに、操作ダイヤル９ａの回転操作や操作ボタン９ｂの押下操作を行うと、上述の所定の演出が進行したり、異なる演出に切り替わったりするようになっている。
なお、演出操作装置９としては、操作ダイヤル９ａや操作ボタン９ｂ等に限定されるものではなく、上下左右方向の入力が可能な十字キー等を設けてもよい。また、操作ダイヤル９ａや操作ボタン９ｂ等の演出操作装置９を設けるとともに、上述の十字キーを別途設けてもよい。
【００３０】
また、図３に示すように、遊技盤１１の右下部であって、かつ、遊技領域１２の外側には、遊技についての種々の状況を表示するための装置として、第１特別図柄表示装置３０、第２特別図柄表示装置３１、第１特図保留表示装置３８、第２特図保留表示装置３９、普通図柄表示装置３２及び普通図柄保留表示装置３３が設けられている。
【００３１】
また、上述の如く、本形態に係るパチンコ機Ｐには、遊技球貸出装置Ｒが電気的に接続されているが、遊技球の貸し出しやカードの排出等の遊技球貸出装置Ｒに対する操作を、パチンコ機Ｐで受け付けられるようにしている。そのため、パチンコ機Ｐには、図１に示すように、カードに記憶されている価値情報（残高情報）を表示する価値情報表示装置３５と、押下操作が可能な球貸ボタン３６と、押下操作が可能なカード返却ボタン３７と、が設けられている。
【００３２】
（パチンコ機Ｐの制御手段の構成）
次に、パチンコ機Ｐの遊技や演出を制御する制御手段について説明する。
上述の制御手段は各種制御基板により構成されており、具体的には、図４に示すように、パチンコ機Ｐの遊技の基本動作を制御する主制御基板１００、遊技球の発射及び賞球の払い出しを制御する発射払出制御基板２００、各種演出を制御する副制御基板３００、及び、遊技球貸出装置Ｒへの操作を中継する遊技球貸出制御基板４００を備えている。
【００３３】
また、図４に示すように、主制御基板１００には、発射払出制御基板２００及び副制御基板３００が接続され、また、発射払出制御基板２００には、遊技球貸出制御基板４００が接続されている。
さらに、主制御基板１００及び発射払出制御基板２００には、遊技進行上の種々の情報をパチンコ機Ｐの外部（たとえば、遊技場のホールコンピュータ等）に出力するための外部情報端子基板５００が接続されている。
なお、本形態に係るパチンコ機Ｐでは、上述の如く、発射払出制御基板２００が遊技球の発射及び賞球の払い出しの双方を制御しているが、遊技球の発射を制御する基板（発射制御基板）と、賞球の払い出しを制御する基板（払出制御基板）とを別個に設けてもよい。
【００３４】
また、特に図示していないが、本形態に係るパチンコ機Ｐが備える各基板には電源基板が接続されている。この電源基板にはバックアップ電源が設けられており、パチンコ機Ｐに供給される電源の電圧値が所定値以下になった場合に電断と判断し、主制御基板１００に電断信号を出力する。
【００３５】
主制御基板１００は、パチンコ機Ｐにおいて行われる遊技を制御するものであり、具体的には、遊技球が第１始動入賞口１５又は第２始動入賞口１６へ入球することを契機に開始される特図遊技、及び、遊技球がゲート２０を通過することを契機に開始される普図遊技を制御する。
この主制御基板１００は、図４に示すように、各種演算処理を行うメインＣＰＵ１０１と、遊技を進行するための制御プログラム、遊技に必要なデータやテーブル等を格納するメインＲＯＭ１０２と、演算処理時の一時記憶領域等として用いられるメインＲＡＭ１０３と、を備えている。
そして、メインＣＰＵ１０１は、後述する各検出センサやタイマからの信号に基づき、メインＲＯＭ１０２に格納されている制御プログラムを読み出して演算処理を行うとともに、メインＣＰＵ１０１に接続されている各種装置の制御や、演算処理の結果に基づく他の基板へのコマンド送信等を行う。
【００３６】
また、図４に示すように、主制御基板１００には、一般入賞口１４へ遊技球が入球したことを検出する一般入賞口検出センサ１４ａと、第１始動入賞口１５へ遊技球が入球したことを検出する第１始動入賞口検出センサ１５ａと、第２始動入賞口１６へ遊技球が入球したことを検出する第２始動入賞口検出センサ１６ａと、大入賞口１８へ遊技球が入球したことを検出する大入賞口検出センサ１８ａと、ゲート２０を遊技球が通過したことを検出するゲート検出センサ２０ａと、遊技盤１１に向けられる磁気や電波及び遊技盤１１を揺らす等により生ずる振動を検出する不正検出センサ３５と、が接続されている。そして、これらの各検出センサから出力される検出信号が、主制御基板１００に入力されるようになっている。
【００３７】
さらに、主制御基板１００には、制御の対象となる機器として、第２始動入賞口１６の可動片１６ｂを開閉駆動する始動入賞口ソレノイド１６ｃと、大入賞口１８の開閉扉１８ｂを開閉駆動する大入賞口ソレノイド１８ｃと、第１特別図柄表示装置３０と、第２特別図柄表示装置３１と、普通図柄表示装置３２と、第１特図保留表示装置３８と、第２特図保留表示装置３９と、普通図柄保留表示装置３３と、が接続されている。
そして、主制御基板１００によって、各ソレノイドが駆動されることで第２始動入賞口１６や大入賞口１８の開閉制御がなされ、また、各表示装置の表示制御がなされるようになっている。
【００３８】
発射払出制御基板２００は、特に図示していないが、主制御基板１００と同様に、ＣＰＵ、ＲＯＭ及びＲＡＭを備えており、主制御基板１００と双方向に通信可能となるように接続されている。
【００３９】
図４に示すように、発射払出制御基板２００には、遊技球の発射を制御するための機器として、操作ハンドル５に遊技者が触れたことを検出するタッチセンサ５ａと、操作ハンドル５の操作角度（回転角度）を検出する操作ボリューム５ｂと、遊技球の発射を停止する発射停止スイッチ５ｃと、上皿６に受容されている遊技球を発射装置（図示しておらず）に送る球送りソレノイド６０と、遊技球を発射する発射モータ６１と、が接続されている。また、タッチセンサ５ａ、操作ボリューム５ｂ及び発射停止スイッチ５ｃから出力される制御信号が、発射払出制御基板２００に入力されるようになっている。
【００４０】
そして、タッチセンサ５ａ及び操作ボリューム５ｂからの制御信号が発射払出制御基板２００に入力されると、球送りソレノイド６０及び発射モータ６１を通電して遊技球を発射させる制御がなされる。これに対して、発射停止スイッチ５ｃからの制御信号が発射払出制御基板２００に入力されると、球送りソレノイド６０及び発射モータ６１の通電を止めて遊技球の発射を停止させる制御がなされる。
なお、遊技球を発射する装置としては、発射モータ６１ではなく、ロータリーソレノイドを用いてもよい。
【００４１】
また、発射払出制御基板２００には、図４に示すように、遊技球の払い出しを制御するための機器として、遊技球貯留部（特に図示しておらず）に貯留されている遊技球を賞球として払い出す払出モータ６２と、払い出された遊技球を検出して計数する払出計数スイッチ６３と、が接続されている。そして、主制御基板１００から送信される払出数コマンドを発射払出制御基板２００が受信すると、当該発射払出制御基板２００は、この払出数コマンドに基づいて所定個数の遊技球（賞球）を払い出すように払出モータ６２を制御する。このとき、払い出された遊技球の個数が払出計数スイッチ６３によって計数され、所定個数の遊技球（賞球）が払い出されたか否かの判定が可能となっている。
【００４２】
さらに、発射払出制御基板２００には、図４に示すように、前扉３の開放状態を検出する前扉開放検出センサ３ａと、受皿７の満タン状態を検出する受皿満タン検出センサ７ａと、が接続されている。
【００４３】
前扉開放検出センサ３ａは、前扉３が開放されていることを検出すると開放検出信号を発射払出制御基板２００に出力するようになっており、前扉３の開放中は、開放検出信号が連続して出力される。そして、発射払出制御基板２００は、開放検出信号が入力されると、扉開放コマンドを主制御基板１００に送信する。これに対して、開放検出信号の入力が止まると、前扉３が閉じられたと判断し、扉閉鎖コマンドを主制御基板１００に送信する。
【００４４】
受皿満タン検出センサ７ａは、賞球として払い出される遊技球を受皿７に導く案内通路の所定位置に設けられており、遊技球が当該所定位置を通過するたびに、検出信号が発射払出制御基板２００に出力されるようになっている。そして、受皿７に所定量以上の遊技球が貯留されて満タン状態になると、案内通路内に遊技球が滞留し、検出信号が発射払出制御基板２００に対して連続的に出力されることとなる。発射払出制御基板２００は、検出信号が所定時間連続して入力されることにより、受皿７が満タン状態であると判断して、受皿満タンコマンドを主制御基板１００に送信する。これに対して、発射払出制御基板２００への検出信号の連続的な入力が途絶えると、受皿７の満タン状態が解除されたものと判断し、受皿満タン解除コマンドを主制御基板１００に送信する。
【００４５】
また、本形態では、上述の如く、発射払出制御基板２００には、遊技球貸出装置Ｒへの操作を中継する遊技球貸出制御基板４００が接続されている。換言すれば、本形態に係るパチンコ機Ｐにおいては、発射払出制御基板２００が、遊技球貸出制御基板４００を介して遊技球貸出装置Ｒに接続されている。
また、図４に示すように、発射払出制御基板２００には、遊技球貸出制御基板４００を介して、価値情報表示装置３５と、球貸ボタン３６の押下操作を検出する球貸スイッチ３６ａと、カード返却ボタン３７の押下操作を検出するカード返却スイッチ３７ａと、が接続されている。
【００４６】
球貸ボタン３６が押下操作されると、球貸スイッチ３６ａから出力される検出信号が発射払出制御基板２００に入力され、当該発射払出制御基板２００は、遊技球貸出装置Ｒに対して、遊技球の貸し出しを要求する貸出要求信号を送信する。そして、遊技球貸出装置Ｒが貸出要求信号を受信すると、当該遊技球貸出装置Ｒにより、記憶されている価値情報から所定の価値情報を減算する処理がなされるとともに、減算された価値情報に対応する個数の遊技球を払い出す制御がなされる。
また、カード返却ボタン３７が押下操作されると、カード返却スイッチ３７ａから出力される検出信号が発射払出制御基板２００に入力され、当該発射払出制御基板２００は、遊技球貸出装置Ｒに対して、カードの返却を要求する返却要求信号を送信する。そして、遊技球貸出装置Ｒが返却要求信号を受信すると、当該遊技球貸出装置Ｒによりカードを排出する制御がなされる。
【００４７】
副制御基板３００は、遊技中や待機中等に実行される演出を制御するものである。
この副制御基板３００は、図４に示すように、各種演算処理を行うサブＣＰＵ３０１と、演出を実行するための制御プログラム、演出の実行に必要なデータやテーブル等を格納するサブＲＯＭ３０２と、演算処理時の一時記憶領域等として用いられるサブＲＡＭ３０３と、を備えており、主制御基板１００から副制御基板３００への一方向に通信可能となるように接続されている。
【００４８】
また、サブＣＰＵ３０１は、主制御基板１００から送信されるコマンドやタイマからの信号に基づき、サブＲＯＭ３０２に格納されている制御プログラムを読み出して演算処理を行うとともに、画像表示を制御するための画像制御基板（特に図示しておらず）、音声出力を制御するための音声制御基板（特に図示しておらず）、照明の点灯を制御するための電飾制御基板（特に図示しておらず）、演出役物装置２２の可動を制御するための作動制御基板（特に図示しておらず）に、演出実行用のコマンドを送信する。
なお、本形態に係るパチンコ機Ｐでは、上述の如く、音声制御基板と電飾制御基板とを別個に設けているが、これらの基板の機能を集約した１枚の基板（音声電飾制御基板）を設け、当該基板により、音声出力及び照明の点灯のいずれをも制御するようにしてもよい。
【００４９】
また、副制御基板３００には、画像制御基板を介して演出表示装置２１が接続され、音声制御基板を介して音声出力装置１０が接続されている。また、副制御基板３００には、電飾制御基板を介して、演出照明装置２３と、操作ダイヤル９ａの回転操作を検出する回転操作検出センサ９ｃと、操作ボタン９ｂの押下操作を検出する押下操作検出センサ９ｄと、役物ランプ２２ｃとが接続されている。さらに、副制御基板３００には、作動制御基板を介して、演出役物装置２２を可動させる役物駆動ソレノイド２２ｂが接続されている。
【００５０】
画像制御基板は、特に図示していないが、ＣＰＵ、ＲＯＭ、ＲＡＭ及びＶＲＡＭ等を備えている。この画像制御基板のＲＯＭには、演出表示装置２１に表示される図柄、背景等の画像データが格納されている。そして、副制御基板３００から送信されたコマンドに基づき、ＣＰＵが、ＲＯＭから読み出した画像データをＶＲＡＭに記憶することによって、演出表示装置２１による画像表示を制御する。
【００５１】
音声制御基板は、特に図示していないが、サウンドチップ（ＣＰＵ）、サウンドＲＯＭ及びＲＡＭ等を備えている。サウンドＲＯＭには、音声出力装置１０から出力される音声、ＢＧＭ等のサウンドデータが格納されている。そして、副制御基板３００から送信されたコマンドに基づき、サウンドＲＯＭから読み出したサウンドデータをＲＡＭに記憶することによって、音声出力装置１０からの音声出力を制御する。
【００５２】
電飾制御基板は、副制御基板３００からのコマンドに基づき、演出照明装置２３による照明の点灯、役物ランプ２２ｃの点灯を制御する。また、電飾制御基板は、操作ダイヤル９ａの回転操作に基づき回転操作検出センサ９ｃから出力される回転操作検出信号、又は、操作ボタン９ｂの押下操作に基づき押下操作検出センサ９ｄから出力される押下操作検出信号が入力されると、所定のコマンドを副制御基板３００に送信する。
【００５３】
作動制御基板は、副制御基板３００からのコマンドに基づき、役物駆動ソレノイド２２ｂの作動を制御する。そして、役物駆動ソレノイド２２ｂが作動することにより、演出役物装置２２が所定の態様で可動する。
【００５４】
（パチンコ機Ｐの遊技の概要）
次に、本形態のパチンコ機Ｐにおける遊技について、メインＲＯＭ１０２に格納されている各種テーブルに基づいて説明する。
上述の如く、本形態のパチンコ機Ｐにおいては、特図遊技と普図遊技の遊技が並行して進行する。また、これら両遊技を進行する際の遊技状態としては、低確率遊技状態（いわゆる非確変状態）又は高確率遊技状態（いわゆる確変状態）のいずれかの遊技状態と、非時短遊技状態又は時短遊技状態のいずれかの遊技状態と、が組み合わされたいずれかの遊技状態が設定されるようになっている。
本形態に係るパチンコ機Ｐでは、低確率遊技状態及び非時短遊技状態を組み合わせた遊技状態（以下、通常遊技状態という）又は高確率遊技状態及び時短遊技状態を組み合わせた遊技状態（以下、高確率時短遊技状態という）のいずれかの遊技状態が設定される。
【００５５】
ここで、低確率遊技状態は、後述する大当たりの抽選によって大当たりに当選する確率が所定の値に設定された遊技状態である。また、高確率遊技状態は、大当たりの抽選によって大当たりに当選する確率が低確率遊技状態よりも高い値に設定された遊技状態である。すなわち、低確率遊技状態中よりも高確率遊技状態中のほうが、大当たりの抽選によって大当たりに当選しやすくなっている。
また、非時短遊技状態は、可動片１６ｂが開きにくく（すなわち、第２始動入賞口１６が開状態となりにくく）、第２始動入賞口１６へ遊技球が入球しにくい遊技状態である。また、時短遊技状態は、非時短遊技状態よりも可動片１６ｂが開きやすく（すなわち、第２始動入賞口１６が開状態となりやすく）、第２始動入賞口１６へ遊技球が入球しやすい遊技状態である。
なお、工場出荷直後やリセット後の初期状態においては、通常遊技状態が設定されるようになっている。
【００５６】
本形態に係るパチンコ機Ｐでは、発射装置（図示しておらず）により発射され遊技領域１２を流下する遊技球が第１始動入賞口１５又は第２始動入賞口１６に入球すると、大当たりの抽選が行われる。そして、この大当たりの抽選によって大当たりに当選すると、大入賞口１８が開放され当該大入賞口１８へ遊技球を入球させることが可能となる特別遊技が実行され、さらに、当該特別遊技の終了後の遊技状態が高確率時短遊技状態に設定されるようになっている。
ここで、本形態に係るパチンコ機Ｐにおいては、第１遊技領域１２ａを流下する遊技球は、第１始動入賞口１５への入球が可能となっている。また、第２遊技領域１２ｂを流下する遊技球は、大入賞口１８への入球、ゲート２０の通過、第２始動入賞口１６への入球が可能となっている。そして、通常遊技状態中は、遊技球が第１始動入賞口１５へ入球するように、遊技者に第１遊技領域１２ａへ向けての遊技球の打ち出し（いわゆる左打ち）を行わせ、高確率時短遊技状態中及び特別遊技中は、大入賞口１８へ遊技球が入球し、或いは遊技球がゲート２０を通過及び第２始動入賞口１６へ入球するように、遊技者に第２遊技領域１２ｂへ向けての遊技球の打ち出し（いわゆる右打ち）を行わせる。
具体的には、高確率時短遊技状態中及び特別遊技中は、演出表示装置２１において第２遊技領域１２ｂへ向けて遊技球を打ち出す旨を指示する表示が行われ、通常遊技状態が設定されると、演出表示装置２１において第１遊技領域１２ａへ向けて遊技球を打ち出す旨を指示する表示が行われる。
【００５７】
この大当たりの抽選は、第１始動入賞口１５又は第２始動入賞口１６へ遊技球が入球することを契機に取得される種々の乱数、及び、メインＲＯＭ１０２に格納されており当該乱数を判定するための各種テーブルに基づいて、行われる。
ここで、本形態に係るパチンコ機Ｐは、大当たりの抽選に用いられる乱数として、大当たりの判定に用いられる大当たり決定乱数、特別図柄の種別の決定に用いられる当たり図柄乱数、並びに、上述の変動演出のパターン（以下、変動演出パターンという）を決定するための変動モード番号、変動パターン番号の決定に用いられるリーチグループ決定乱数、リーチモード決定乱数及び変動パターン乱数を有している。
なお、本形態に係るパチンコ機Ｐでは、上述の大当たり決定乱数は、主制御基板１００に内蔵されたハードウェア乱数を用いている。この大当たり決定乱数は、一定の規則に従って更新され、乱数列が一巡するごとに自動的に乱数列が変更されるとともに、システムリセット毎にスタート値が変更されるようになっている。
また、変動演出パターンの決定に用いられる乱数は上述の３種類に限定されるものではなく、たとえば、これらの乱数に加えて他の乱数を用いてもよいし、これらの乱数のうちいずれか１又は複数の乱数を用いてもよい。
【００５８】
そして、第１始動入賞口１５又は第２始動入賞口１６へ遊技球が入球すると、上述の乱数についてそれぞれ乱数値が取得されるとともに、各乱数値がメインＲＡＭ１０３の保留記憶領域に記憶されるようになっている。
この保留記憶領域は、第１始動入賞口１５への遊技球の入球により取得される各乱数値（以下、第１特図乱数という）を記憶するための第１保留記憶領域、及び、第２始動入賞口１６への遊技球の入球により取得される各乱数値（以下、第２特図乱数という）を記憶するための第２保留記憶領域から構成されている。そして、これらの保留記憶領域は、それぞれ第１記憶部から第４記憶部までの計４つの記憶部から構成されており、第１特図乱数を計４組、第２特図乱数を計４組記憶可能となっている。
【００５９】
また、本形態に係るパチンコ機Ｐにおいては、第１始動入賞口１５へ遊技球が入球すると、第１特図乱数が、第１保留記憶領域の第１記憶部から順に記憶されるようになっている。たとえば、第１保留記憶領域のいずれの記憶部にも第１特図乱数が記憶されていない状態において、第１始動入賞口１５へ遊技球が入球した場合には、これを契機に取得される第１特図乱数が、第１保留記憶領域の第１記憶部に記憶される。また、第１保留記憶領域の第１記憶部に第１特図乱数が記憶されている状態において、第１始動入賞口１５へ遊技球が入球した場合には、これを契機に取得される第１特図乱数が、第１保留記憶領域の第２記憶部に記憶される。また、第１保留記憶領域の第１記憶部及び第２記憶部に第１特図乱数が記憶されている状態において、第１始動入賞口１５へ遊技球が入球した場合には、これを契機に取得される第１特図乱数が、第１保留記憶領域の第３記憶部に記憶される。また、第１保留記憶領域の第１記憶部〜第３記憶部に第１特図乱数が記憶されている状態において、第１始動入賞口１５へ遊技球が入球した場合には、これを契機に取得される第１特図乱数が、第１保留記憶領域の第４記憶部に記憶される。そして、第１保留記憶領域の第１記憶部〜第４記憶部に第１特図乱数が記憶されている状態において、第１始動入賞口１５へ遊技球が入球した場合には、この入球に係る第１特図乱数は記憶されない。
【００６０】
同様に、第２始動入賞口１６へ遊技球が入球すると、第２特図乱数が、第２保留記憶領域の第１記憶部から順に記憶されるようになっている。具体的な記憶の処理については、上述の第１特図乱数の記憶と同様であるため、説明を省略する。
また、本形態に係るパチンコ機Ｐでは、第１保留記憶領域に記憶されている第１特図乱数の組数（以下、第１特図保留数という）は、第１特図保留数カウンタ（特に図示しておらず）に記憶され、第２保留記憶領域に記憶されている第２特図乱数の組数（以下、第２特図保留数という）は、第２特図保留数カウンタ（特に図示しておらず）に記憶されるようになっている。
なお、本明細書においては、上述のように、第１特図乱数や第２特図乱数が保留記憶領域に記憶されることを「保留」や「保留記憶」ともいい、また、第１特図保留数や第２特図保留数を単に「保留数」ともいう。
【００６１】
また、本形態に係るパチンコ機Ｐは、大当たりの抽選に係るテーブルとして、大当たり決定乱数判定テーブル１１０、当たり図柄乱数判定テーブル１１１、リーチグループ決定乱数判定テーブル１１２、リーチモード決定乱数判定テーブル１１３、及び、変動パターン抽選テーブル１１４を有している。
なお、大当たりの抽選に係るテーブルはこれらに限定されるものではなく、他に、乱数に基づく判定や決定を行う必要がある場合には、適宜、テーブルを設けてもよい。
【００６２】
大当たり決定乱数判定テーブル１１０は、大当たりか否かの判定を行うためのものであって、図５（ａ）及び（ｂ）に示すように、低確率遊技状態において参照される低確率判定テーブル１１０ａと、高確率遊技状態において参照される高確率判定テーブル１１０ｂと、を備えている。
本形態に係るパチンコ機Ｐでは、第１始動入賞口１５又は第２始動入賞口１６へ遊技球が入球すると、０〜６５５３５の数値範囲内で１個の大当たり決定乱数が取得される。そして、大当たりの抽選を行う時点の遊技状態に応じて、低確率判定テーブル１１０ａ又は高確率判定テーブル１１０ｂのいずれかの大当たり決定乱数判定テーブル１１０が選択され、取得された大当たり決定乱数と選択された大当たり決定乱数判定テーブル１１０とに基づいて大当たりの抽選が行われる。
【００６３】
図５（ａ）に示すように、低確率判定テーブル１１０ａによれば、大当たり決定乱数が１０００〜１２１９であった場合に大当たりと判定され、これ以外の大当たり決定乱数（０〜９９９、１２２０〜６５５３５）であった場合にハズレと判定される。したがって、この低確率判定テーブル１１０ａにおける大当たりの当選確率はおよそ１／２９７．９となる。
【００６４】
また、図５（ｂ）に示すように、高確率判定テーブル１１０ｂによれば、大当たり決定乱数が１０００〜２１１９であった場合に大当たりと判定され、これ以外の大当たり決定乱数（０〜９９９、２１２０〜６５５３５）であった場合にハズレと判定される。したがって、この高確率判定テーブル１１０ｂにおける大当たりの当選確率はおよそ１／５８．５となる。
すなわち、高確率判定テーブル１１０ｂは、低確率判定テーブル１１０ａに比べて、大当たりの当選確率がおよそ５倍となるように設定されている。
【００６５】
なお、低確率判定テーブル１１０ａにおいて大当たりと判定される大当たり決定乱数（１０００〜１２１９）は、高確率判定テーブル１１０ｂにおいて大当たりと判定される大当たり決定乱数（１０００〜２１１９）に含まれるように設定されている。すなわち、低確率判定テーブル１１０ａにおいて大当たりと判定される大当たり決定乱数は、高確率判定テーブル１１０ｂにおいても大当たりと判定されることとなる。
【００６６】
当たり図柄乱数判定テーブル１１１は、特別図柄の種別を決定するためのものであって、図６（ａ）及び（ｂ）に示すように、第１特図乱数によって大当たりに当選した場合に参照される第１始動入賞口判定テーブル１１１ａと、第２特図乱数によって大当たりに当選した場合に参照される第２始動入賞口判定テーブル１１１ｂと、を備えている。
本形態に係るパチンコ機Ｐでは、第１始動入賞口１５又は第２始動入賞口１６へ遊技球が入球すると、０〜１９９の数値範囲内で１個の当たり図柄乱数が取得される。そして、上述の大当たりの抽選によって大当たりに当選した場合に、遊技球が入球した始動入賞口に応じて、第１始動入賞口判定テーブル１１１ａ又は第２始動入賞口判定テーブル１１１ｂのいずれかの当たり図柄乱数判定テーブル１１１が選択され、取得された当たり図柄乱数と選択された当たり図柄乱数判定テーブル１１１とに基づいて、特別図柄の種別が決定される。
【００６７】
また、本形態に係るパチンコ機Ｐでは、大当たりに当選した場合に決定される特別図柄（以下、大当たり図柄という）として２種類の特別図柄（Ｘ１、Ｘ２）が設けられており、また、ハズレの場合に決定される特別図柄（以下、ハズレ図柄という）として２種類の特別図柄（Ｙ１、Ｙ２）が設けられている。
【００６８】
図６（ａ）に示すように、第１始動入賞口判定テーブル１１１ａによれば、当たり図柄乱数が０〜２９であった場合に特別図柄Ｘ１が決定され、当たり図柄乱数が３０〜１９９であった場合に特別図柄Ｘ２が決定される。すなわち、この第１始動入賞口判定テーブル１１１ａにおいては、特別図柄Ｘ１が決定される確率は１５％、特別図柄Ｘ２が決定される確率は８５％となっている。
【００６９】
また、図６（ｂ）に示すように、第２始動入賞口判定テーブル１１１ｂによれば、当たり図柄乱数が０〜９９であった場合に特別図柄Ｘ１が決定され、当たり図柄乱数が１００〜１９９であった場合に特別図柄Ｘ２が決定される。すなわち、この第２始動入賞口判定テーブル１１１ｂにおいては、特別図柄Ｘ１が決定される確率、及び、特別図柄Ｘ２が決定される確率はいずれも５０％となっている。
なお、本形態に係るパチンコ機Ｐでは、いずれの当たり図柄乱数判定テーブル１１１であっても、同一の大当たり図柄が決定されるようになっているが、これに限定されるものではなく、各テーブルにおいて異なる大当たり図柄が決定されるようにしてもよい。
【００７０】
また、第１特図乱数に基づく大当たりの抽選によりハズレとなった場合には、当たり図柄乱数に基づく上述の抽選を行わずに、ハズレ図柄として特別図柄Ｙ１が決定される。また、第２特図乱数に基づく大当たりの抽選によりハズレとなった場合には、当たり図柄乱数に基づく上述の抽選を行わずに、ハズレ図柄として特別図柄Ｙ２が決定される。
すなわち、当たり図柄乱数判定テーブル１１１は、大当たりに当選した場合にのみ参照され、ハズレの場合には参照されないようになっている。
【００７１】
リーチグループ決定乱数判定テーブル１１２、リーチモード決定乱数判定テーブル１１３及び変動パターン抽選テーブル１１４は、変動演出パターンを決定するための変動モード番号及び変動パターン番号の決定に用いられるテーブルである。
本形態に係るパチンコ機Ｐでは、上述のように大当たりの抽選によって特別図柄が決定されると、当該決定の結果に基づいて変動演出パターンを決定するための変動モード番号及び変動パターン番号が決定されるとともに、決定された変動モード番号に対応する変動モードコマンド、及び、決定された変動パターン番号に対応する変動パターンコマンドが生成される。そして、生成された変動モードコマンド及び変動パターンコマンドは、主制御基板１００から副制御基板３００に送信され、副制御基板３００は、受信した変動モードコマンド及び変動パターンコマンドに基づいて、大当たりの抽選の結果を報知する変動演出の具体的な態様（たとえば、演出表示装置２１の表示部２１ａに表示する画像等）を決定する。変動モードコマンド及び変動パターンコマンドは、変動演出の変動時間及び態様の決定に用いられるコマンドである。
【００７２】
そして、リーチグループ決定乱数判定テーブル１１２は、変動モード番号及び変動パターン番号を決定するために用いられるリーチモード決定乱数判定テーブル１１３が属するグループを決定するためのものである。本形態に係るパチンコ機Ｐでは、大当たりの抽選の結果がハズレであった場合に、変動モード番号及び変動パターン番号を決定するにあたり、その前段階として、リーチグループ決定乱数とリーチグループ決定乱数判定テーブル１１２により、グループの種別が決定される。
このリーチグループ決定乱数判定テーブル１１２は、遊技状態、始動入賞口の種別、及び、保留数（第１特図保留数、第２特図保留数）ごとに複数設けられている。ここでは、図７（ａ）〜（ｃ）に示すように、遊技状態が非時短遊技状態であってかつ第１始動入賞口１５への遊技球の入球に基づく大当たりの抽選の結果がハズレであった場合に選択されるリーチグループ決定乱数判定テーブル１１２、及び、遊技状態が時短遊技状態であってかつ第２始動入賞口１６への遊技球の入球に基づく大当たりの抽選の結果がハズレであった場合に選択されるリーチグループ決定乱数判定テーブル１１２について説明する。
【００７３】
本形態に係るパチンコ機Ｐでは、第１始動入賞口１５又は第２始動入賞口１６へ遊技球が入球すると、０〜１０００６の数値範囲内で１個のリーチグループ決定乱数が取得される。そして、上述の大当たりの抽選によってハズレとなった場合に、当該大当たりの抽選を行う時点の遊技状態、始動入賞口の種別、及び、保留数に応じて、リーチグループ決定乱数判定テーブル１１２が選択され、取得されたリーチグループ決定乱数と選択されたリーチグループ決定乱数判定テーブル１１２とに基づいて、グループの種別が決定される。
【００７４】
具体的には、遊技状態が非時短遊技状態でありかつ第１始動入賞口１５への遊技球の入球により取得された第１特図乱数に基づく大当たりの抽選の結果がハズレとなったときにおいて、当該抽選時の第１特図保留数が０又は１であった場合には、第１判定テーブル１１２ａが選択され、当該抽選時の第１特図保留数が２以上であった場合には、第２判定テーブル１１２ｂが選択される（図７（ａ）及び（ｂ）参照）。
また、遊技状態が時短遊技状態でありかつ第２始動入賞口１６への遊技球の入球により取得された第２特図乱数に基づく大当たりの抽選の結果がハズレとなったときは、当該抽選時の第２特図保留数が０〜３であった場合に（すなわち、第２特図保留数がいかなる個数であっても）、第３判定テーブル１１２ｃが選択される（図７（ｃ）参照）。
【００７５】
そして、図７（ａ）に示すように、第１判定テーブル１１２ａによれば、リーチグループ決定乱数が０〜２９９であった場合に「第１グループ」が決定され、リーチグループ決定乱数が３００〜８９９９であった場合に「第２グループ」が決定され、リーチグループ決定乱数が９０００〜９４９９であった場合に「第４グループ」が決定され、リーチグループ決定乱数が９５００〜９７９９であった場合に「第５グループ」が決定され、リーチグループ決定乱数が９８００〜１０００６であった場合に「第６グループ」が決定される。
また、図７（ｂ）に示すように、第２判定テーブル１１２ｂによれば、リーチグループ決定乱数が０〜８９９９であった場合に「第２グループ」が決定され、リーチグループ決定乱数が９０００〜９４９９であった場合に「第４グループ」が決定され、リーチグループ決定乱数が９５００〜９７９９であった場合に「第５グループ」が決定され、リーチグループ決定乱数が９８００〜１０００６であった場合に「第６グループ」が決定される。
さらに、図７（ｃ）に示すように、第３判定テーブル１１２ｃによれば、リーチグループ決定乱数が０〜７９９９であった場合に「第１グループ」が決定され、リーチグループ決定乱数が８０００〜８９９９であった場合に「第３グループ」が決定され、リーチグループ決定乱数が９０００〜１０００６であった場合に「第５グループ」が決定される。
【００７６】
また、大当たりの抽選の結果が大当たりであった場合には、グループの種別を決定することなく、リーチモード決定乱数判定テーブル１１３が決定されるようになっている。すなわち、リーチグループ決定乱数判定テーブル１１２は、大当たりの抽選の結果がハズレであった場合にのみ参照され、大当たりであった場合には参照されない。
【００７７】
なお、後述する如く、本形態に係るパチンコ機Ｐにおいては、非時短遊技状態中に第１特図乱数が記憶されると、当該第１特図乱数に基づく変動開始前に、当該第１特図乱数について大当たりの抽選に関する各種判定を行う事前判定処理が実行される。そして、本形態に係るパチンコ機Ｐでは、変動開始時においてグループ種別、変動モード番号及び変動パターン番号を決定するとともに、上述の事前判定処理においても、上述のリーチグループ決定乱数判定テーブル１１２に基づいてグループ種別を決定し、さらに、後述の変動モード番号及び変動パターン番号を決定する。
ここで、グループ種別の決定を行うにあたっては、この決定を行う時点の保留数に応じたリーチグループ決定乱数判定テーブル１１２、すなわち、第１判定テーブル１１２ａ又は第２判定テーブル１１２ｂのいずれかが参照されるようになっているが、本形態における第１判定テーブル１１２ａ及び第２判定テーブル１１２ｂはいずれも、リーチグループ決定乱数が０〜８９９９の場合に、第１グループ又は第２グループのいずれかが決定され、リーチグループ決定乱数が９０００〜１０００６の場合に、第４グループ、第５グループ又は第６グループのいずれかが決定されるように、設定されている（図７（ａ）及び（ｂ）参照）。
したがって、変動開始時の保留数と、上述の事前判定処理を実行する際の保留数とが異なっていたとしても、上述の事前判定処理において第１グループ又は第２グループのいずれかのグループ種別が決定された場合には、変動開始時においても、第１グループ又は第２グループのいずれかのグループ種別が決定される。また、上述の事前判定処理において第４グループ、第５グループ又は第６グループのいずれかのグループ種別が決定された場合には、変動開始時において、事前判定処理で決定されたグループ種別と同一のグループ種別が決定される。そして、後述するように、各グループに変動モード番号及び変動パターン抽選テーブル１１４が対応付けられているため、事前判定処理において第４グループ、第５グループ又は第６グループのいずれかのグループ種別が決定された場合には、事前判定処理時及び変動開始時のいずれの時点でも、同一の変動モード番号及び変動パターン番号が決定される。
【００７８】
本形態に係るパチンコ機Ｐでは、非時短遊技状態中に第１特図乱数が記憶されると上述の事前判定処理が実行されるようになっているが、これに限定されるものではなく、非時短遊技状態中に第２特図乱数が記憶された場合や、時短遊技状態中に第１特図乱数又は第２特図乱数が記憶された場合にも、同様の事前判定処理を実行して、変動開始前に大当たりの抽選に関する各種判定を行ってもよい。
【００７９】
リーチモード決定乱数判定テーブル１１３は、変動演出パターン（変動演出の態様、変動時間）の決定に用いられる変動モード番号を決定するとともに、後述する変動パターン番号の決定に用いられる変動パターン抽選テーブル１１４を決定するためのものである。
このリーチモード決定乱数判定テーブル１１３は、大別して、大当たりの抽選の結果がハズレであった場合に参照されるハズレ用判定テーブルと、大当たりの抽選の結果が大当たりであった場合に参照される大当たり用判定テーブルと、を備えている。
【００８０】
また、ハズレ用判定テーブルは、上述のように決定されたグループの種別ごとに複数設けられている。ここでは、図８（ａ）〜（ｆ）に示すように、「第１グループ」が決定された場合に参照される第１グループ用判定テーブル１１３ａ、「第２グループ」が決定された場合に参照される第２グループ用判定テーブル１１３ｂ、「第３グループ」が決定された場合に参照される第３グループ用判定テーブル１１３ｃ、「第４グループ」が決定された場合に参照される第４グループ用判定テーブル１１３ｄ、「第５グループ」が決定された場合に参照される第５グループ用判定テーブル１１３ｅ、「第６グループ」が決定された場合に参照される第６グループ用判定テーブル１１３ｆについて説明する。
【００８１】
本形態に係るパチンコ機Ｐでは、第１始動入賞口１５又は第２始動入賞口１６へ遊技球が入球すると、０〜２０３８の数値範囲内で１個のリーチモード決定乱数が取得される。そして、上述したグループの種別の抽選によりグループが決定された場合に、この決定されたグループの種別に対応するハズレ用判定テーブルが選択され、取得されたリーチモード決定乱数と選択されたハズレ用判定テーブルとに基づいて、変動モード番号、及び、変動パターン抽選テーブル１１４が決定される。
【００８２】
具体的には、たとえば、上述したグループの種別の抽選により「第１グループ」が決定された場合に第１グループ用判定テーブル１１３ａが選択され、「第２グループ」が決定された場合に第２グループ用判定テーブル１１３ｂが選択され、「第３グループ」が決定された場合に第３グループ用判定テーブル１１３ｃが選択され、「第４グループ」が決定された場合に第４グループ用判定テーブル１１３ｄが選択され、「第５グループ」が決定された場合に第５グループ用判定テーブル１１３ｅが選択され、「第６グループ」が決定された場合に第６グループ用判定テーブル１１３ｆが選択される（図８（ａ）〜（ｆ）参照）。
【００８３】
そして、図８（ａ）に示すように、第１グループ用判定テーブル１１３ａによれば、リーチモード決定乱数が０〜２０３８であった場合に（すなわち、リーチモード決定乱数がいかなる値であっても）、「００Ｈ」（最後尾に「Ｈ」が付された英数字は１６進数表記。以下、同様）という変動モード番号が決定されるとともに、第１変動テーブル１１４ａが選択される。
また、図８（ｂ）に示すように、第２グループ用判定テーブル１１３ｂによれば、リーチモード決定乱数が０〜２０３８であった場合に、「０１Ｈ」の変動モード番号が決定されるとともに、第２変動テーブル１１４ｂが選択される。
また、図８（ｃ）に示すように、第３グループ用判定テーブル１１３ｃによれば、リーチモード決定乱数が０〜２０３８であった場合に、「００Ｈ」という変動モード番号が決定されるとともに、第３変動テーブル１１４ｃが選択される。
また、図８（ｄ）に示すように、第４グループ用判定テーブル１１３ｄによれば、リーチモード決定乱数が０〜９９９であった場合に、「０２Ｈ」という変動モード番号が決定されるとともに、第４変動テーブル１１４ｄが選択される。また、リーチモード決定乱数が１０００〜２０３８であった場合に、「０５Ｈ」という変動モード番号が決定されるとともに、第４変動テーブル１１４ｄが選択される。
また、図８（ｅ）に示すように、第５グループ用判定テーブル１１３ｅによれば、リーチモード決定乱数が０〜４９９であった場合に、「０２Ｈ」という変動モード番号が決定されるとともに、第５変動テーブル１１４ｅが選択される。また、リーチモード決定乱数が５００〜９９９であった場合に、「０３Ｈ」という変動モード番号が決定されるとともに、第５変動テーブル１１４ｅが選択される。また、リーチモード決定乱数が１０００〜１４９９であった場合に、「０５Ｈ」という変動モード番号が決定されるとともに、第５変動テーブル１１４ｅが選択される。また、リーチモード決定乱数が１５００〜２０３８であった場合に、「０６Ｈ」という変動モード番号が決定されるとともに、第５変動テーブル１１４ｅが選択される。
また、図８（ｆ）に示すように、第６グループ用判定テーブル１１３ｆによれば、リーチモード決定乱数が０〜２０３８であった場合に、「０７Ｈ」の変動モード番号が決定されるとともに、第６変動テーブル１１４ｆが選択される。
【００８４】
また、大当たり用判定テーブルは、大当たりの当選時（すなわち、大当たりの抽選時）の遊技状態、及び、大当たりとなった場合に決定された大当たり図柄の種別ごとに複数設けられている。
本形態に係るパチンコ機Ｐでは、図９（ａ）及び（ｂ）に示すように、大当たり用判定テーブルとして、非時短遊技状態において特別図柄Ｘ１又はＸ２が決定された場合に参照される第１大当たり用判定テーブル１１３ｇ、及び、時短遊技状態において特別図柄Ｘ１又はＸ２が決定された場合に参照される第２大当たり用判定テーブル１１３ｈが設けられている。
【００８５】
そして、大当たりに当選し特別図柄の種別が決定された場合に、決定された特別図柄の種別、及び、大当たりの当選時の遊技状態に対応する大当たり用判定テーブルが選択され、上述したハズレ用判定テーブルに基づく決定と同様に、取得されたリーチモード決定乱数と選択された大当たり用判定テーブルとに基づいて、変動モード番号及び変動パターン抽選テーブル１１４が決定される。
【００８６】
具体的には、非時短遊技状態において大当たりに当選し特別図柄Ｘ１又はＸ２が決定された場合に、第１大当たり用判定テーブル１１３ｇが選択され、時短遊技状態において大当たりに当選し特別図柄Ｘ１又はＸ２が決定された場合に、第２大当たり用判定テーブル１１３ｈが選択される（図９（ａ）及び（ｂ）参照）。
【００８７】
そして、図９（ａ）に示すように、第１大当たり用判定テーブル１１３ｇによれば、リーチモード決定乱数が０〜１９９であった場合に、「０２Ｈ」の変動モード番号が決定されるとともに、第３０変動テーブル１１４ｇが選択される。また、リーチモード決定乱数が２００〜６９９であった場合に、「０２Ｈ」の変動モード番号が決定されるとともに第３１変動テーブル１１４ｈが選択される。また、リーチモード決定乱数が７００〜１０９９であった場合に、「０３Ｈ」の変動モード番号が決定されるとともに第３２変動テーブル１１４ｉが選択される。また、リーチモード決定乱数が１１００〜１４９９であった場合に、「０５Ｈ」の変動モード番号が決定されるとともに第３２変動テーブル１１４ｉが選択される。また、リーチモード決定乱数が１５００〜１７９９であった場合に、「０６Ｈ」の変動モード番号が決定されるとともに第３２変動テーブル１１４ｉが選択される。また、リーチモード決定乱数が１８００〜２０３８であった場合に、「０７Ｈ」の変動モード番号が決定されるとともに第３３変動テーブル１１４ｊが選択される。
また、図９（ｂ）に示すように、第２大当たり用判定テーブル１１３ｈによれば、リーチモード決定乱数が０〜６９９であった場合に、「０２Ｈ」の変動モード番号が決定されるとともに第３１変動テーブル１１４ｈが選択され、リーチモード決定乱数が７００〜１３９９であった場合に、「０３Ｈ」の変動モード番号が決定されるとともに第３２変動テーブル１１４ｉが選択され、リーチモード決定乱数が１４００〜２０３８であった場合に、「０４Ｈ」の変動モード番号が決定されるとともに第３４変動テーブル１１４ｋが選択される。
【００８８】
なお、本形態に係るパチンコ機Ｐでは、上述の如く、大当たりの当選時の遊技状態、及び、大当たり図柄の種別ごとに大当たり用判定テーブルが設けられているが、遊技球が入球した始動入賞口の種別を考慮して、大当たりの当選時の遊技状態、始動入賞口の種別、及び、大当たり図柄の種別ごとに大当たり用判定テーブルを設けるようにしてもよい。
【００８９】
変動パターン抽選テーブル１１４は、変動演出パターン（変動演出の態様、変動時間）の決定に用いられる変動パターン番号を決定するためのものであり、多数設けられている。
ここでは、図１０（ａ）〜（ｋ）に示すように、大当たりの抽選の結果がハズレであった場合に決定される第１変動テーブル１１４ａ、第２変動テーブル１１４ｂ、第３変動テーブル１１４ｃ、第４変動テーブル１１４ｄ、第５変動テーブル１１４ｅ及び第６変動テーブル１１４ｆ、並びに、大当たりの抽選の結果が大当たりであった場合に決定される第３０変動テーブル１１４ｇ、第３１変動テーブル１１４ｈ、第３２変動テーブル１１４ｉ、第３３変動テーブル１１４ｊ及び第３４変動テーブル１１４ｋについて説明し、他の変動パターン抽選テーブル１１４の説明は省略する。
【００９０】
本形態に係るパチンコ機Ｐでは、第１始動入賞口１５又は第２始動入賞口１６へ遊技球が入球すると、０〜２４９の数値範囲内で１個の変動パターン乱数が取得される。そして、取得された変動パターン乱数と、上述の変動モード番号とともに決定された変動パターン抽選テーブル１１４とに基づいて、変動パターン番号が決定される。
たとえば、図１０（ａ）に示すように、第１変動テーブル１１４ａによれば、変動パターン乱数が０〜２４９であった場合に（すなわち、変動パターン乱数がいかなる値であっても）「００Ｈ」という変動パターン番号が決定される。また、図１０（ｆ）に示すように、第６変動テーブル１１４ｆによれば、変動パターン乱数が０〜２４９であった場合に「０８Ｈ」という変動パターン番号が決定される。
【００９１】
また、図１０（ｇ）に示すように、第３０変動テーブル１１４ｇによれば、変動パターン乱数が０〜２４９であった場合に「Ａ６Ｈ」という変動パターン番号が決定される。また、図１０（ｊ）に示すように、第３３変動テーブル１１４ｊによれば、変動パターン乱数が０〜２４９であった場合に「Ａ８Ｈ」という変動パターン番号が決定される。
なお、同様に、他の変動パターンテーブル１１４によっても、変動パターン乱数に対応して、所定の変動パターン番号が決定されるようになっている（図１０参照）。
【００９２】
本形態に係るパチンコ機Ｐでは、変動開始時（すなわち、後述する特別図柄の変動表示の開始時（変動演出の開始時））に、上述のような大当たりの抽選が行われるとともに、大当たりの抽選が行われると、大当たりの抽選の結果、大当たりの抽選時の遊技状態や保留数（第１特図保留数、第２特図保留数）等に応じて、変動モード番号及び変動パターン番号が決定される。上述の如く、変動モード番号及び変動パターン番号は、変動演出パターンを決定するためのものであり、変動モード番号及び変動パターン番号により、変動演出の態様及び変動時間が定められるようになっている。ここで、本形態に係るパチンコ機Ｐでは、変動演出が前半部分と後半部分に分けられている。そして、変動演出の前半部分の態様及び変動時間は、変動モード番号により決定され、変動演出の後半部分の態様及び変動時間は、変動パターン番号により決定されるようになっている。
【００９３】
次に、特図遊技における変動演出の変動時間の決定処理や特別遊技の制御について説明する。
本形態に係るパチンコ機Ｐは、上述の各種処理や特別遊技の制御を行うためのテーブルとして、変動時間決定テーブル１１５、特別電動役物作動テーブル１１６、及び、遊技状態設定テーブル１１７等を備えている。
【００９４】
変動時間決定テーブル１１５は、変動演出の変動時間を決定するためのものである。
本形態に係るパチンコ機Ｐは、この変動時間決定テーブル１１５として、各変動モード番号に対応する変動演出の前半部分の変動時間（以下、前半変動時間という）が定められた第１変動時間決定テーブル１１５ａ、及び、各変動パターン番号に対応する変動演出の後半部分の変動時間（以下、後半変動時間という）が定められた第２変動時間決定テーブル１１５ｂを備えている（図１１（ａ）及び（ｂ）参照）。
【００９５】
そして、変動モード番号が決定されると、この決定された変動モード番号及び第１変動時間決定テーブル１１５ａに基づき、対応する前半変動時間が決定される。また、変動パターン番号が決定されると、この決定された変動パターン番号及び第２変動時間決定テーブル１１５ｂに基づき、対応する後半変動時間が決定される。このように決定された前半変動時間と後半変動時間の合計値が、大当たりの抽選の結果を報知する変動演出の全体の変動時間に相当する。
また、決定された変動時間に基づいて、演出表示装置２１では変動演出が行われるとともに、特別図柄表示装置（第１特別図柄表示装置３０又は第２特別図柄表示装置３１）では特別図柄の変動表示が行われる。具体的には、遊技球が入球した始動入賞口が第１始動入賞口１５の場合には、決定された変動時間の間、第１特別図柄表示装置３０が点滅表示され、遊技球が入球した始動入賞口が第２始動入賞口１６の場合には、決定された変動時間の間、第２特別図柄表示装置３１が点滅表示される。そして、変動時間の経過後、決定された特別図柄が停止表示される。
【００９６】
たとえば、決定された変動モード番号が「０３Ｈ」及び変動パターン番号が「０７Ｈ」であった場合には、変動モード番号「０３Ｈ」に対応して「３０秒」の前半変動時間が決定され、変動パターン番号「０７Ｈ」に対応して「６０秒」の後半変動時間が決定される。そして、これらの合計値「９０秒（＝３０秒＋６０秒）」が、変動演出の全体の変動時間、すなわち特別図柄の変動表示の時間となる。
【００９７】
ここで、本形態に係るパチンコ機Ｐでは、変動演出の前半部分の態様として、特別図柄の変動表示の開始時点（変動演出の開始時点）から、後述する演出図柄５０（ダミー図柄）の変動表示の前半部分が所定時間実行される通常パターンと、特別図柄の変動表示が開始されると（変動演出が開始されると）まず後述の特殊演出が実行され、当該特殊演出の終了時点から、演出図柄５０の変動表示の前半部分が通常パターンと同じ時間実行される特殊パターンとが設けられている。そして、変動モード番号に通常パターン又は特殊パターンのいずれかが対応付けられており、決定された変動モード番号に応じて通常パターン又は特殊パターンのいずれかが実行されることとなる。
また、本形態における前半変動時間は、図１１（ａ）に示すように、特殊演出の実行時間である特殊演出時間、及び、演出図柄５０の変動表示の前半部分の実行時間である変動表示時間から構成されている。そして、通常パターンでは、特殊演出は実行されず演出図柄５０の変動表示のみ実行されるため、特殊演出時間は０秒、変動表示時間は１秒以上となっており、特殊パターンでは、特殊演出及び演出図柄５０の変動表示の両方が実行されるため、特殊演出時間及び変動表示時間はいずれも１秒以上となっている（図１１（ａ）参照）。なお、本形態に係るパチンコ機Ｐでは、特殊演出時間として「４秒」又は「８秒」のいずれかが定められている（図１１（ａ）参照）。
【００９８】
たとえば、図１１（ａ）に示すように、変動モード番号「０３Ｈ」には、「０秒」の特殊演出時間及び「３０秒」の変動表示時間が定められており、この変動モード番号「０３Ｈ」が決定された場合には、変動演出の前半部分の態様として、変動表示時間が「３０秒」の通常パターンが実行されることとなる。これに対して、変動モード番号「０５Ｈ」には、「４秒」の特殊演出時間及び「１５秒」の変動表示時間が定められており、この変動モード番号「０５Ｈ」が決定された場合には、変動演出の前半部分の態様として、特殊演出時間が「４秒」及び変動表示時間が「１５秒」の特殊パターンが実行されることとなる。また、変動モード番号「０７Ｈ」には、「８秒」の特殊演出時間及び「３０秒」の変動表示時間が定められており、この変動モード番号「０７Ｈ」が決定された場合には、変動演出の前半部分の態様として、特殊演出時間が「８秒」及び変動表示時間が「３０秒」の特殊パターンが実行されることとなる。
演出図柄５０の変動表示の開始前に実行される特殊演出については、後程詳述する。
【００９９】
なお、図１１（ａ）に示すように、「００Ｈ」又は「０４Ｈ」の変動モード番号には「０秒」の前半変動時間が定められており、この変動モード番号が決定された場合には、変動演出の前半部分は実行されることなく、決定された変動パターン番号に基づき変動演出の後半部分のみが実行されるようになっている。また、本形態に係るパチンコ機Ｐでは、大当たりの抽選の結果がハズレの場合にのみ変動モード番号「００Ｈ」が決定されるため（図８及び図９参照）、当該変動モード番号が決定された場合には必ず、変動演出においてハズレの表示が行われることとなる。
【０１００】
また、本形態に係るパチンコ機Ｐでは、上述の如く、変動モード番号及び変動パターン番号が決定されると、この決定された変動モード番号に対応する変動モードコマンド、及び、この決定された変動パターン番号に対応する変動パターンコマンドが生成され、副制御基板３００に送信される。そして、副制御基板３００においては、受信した変動モードコマンド及び変動パターンコマンドに基づいて、変動演出の態様が決定されるようになっている。具体的には、変動モードコマンドに基づいて変動演出の前半部分の態様が決定され、変動パターンコマンドに基づいて変動演出の後半部分の態様が決定されるようになっている。
なお、変動演出の態様については、変動モードコマンドに基づいて変動演出の前半部分の態様を決定し、変動パターンコマンドに基づいて変動演出の後半部分の態様を決定するのではなく、変動パターンコマンドに基づいて変動演出の前半部分の態様を決定し、変動モードコマンドに基づいて変動演出の後半部分の態様を決定するようにしてもよい。
また、変動演出は、前半部分と後半部分とに分けるのではなく、より多くの部分に分けて、変動モードコマンドや変動パターンコマンドに基づいて、それぞれの部分の態様を決定するようにしてもよい。
また、変動演出の態様は、変動モードコマンド及び変動パターンコマンドのみならず、他のコマンドに基づいて決定してもよい。また、変動モードコマンド又は変動パターンコマンドのいずれかのみに基づいて決定してもよい。
【０１０１】
特別電動役物作動テーブル１１６は、大当たりに当選した場合に実行される特別遊技を制御するためのものであり、特別遊技の実行中に大入賞口ソレノイド１８ｃを作動させるために参照されるものである。本形態に係るパチンコ機Ｐでは、図１２（ａ）及び（ｂ）に示すように、特別電動役物作動テーブル１１６として、特別図柄Ｘ１が決定された場合に参照される第１作動テーブル１１６ａと、特別図柄Ｘ２が決定された場合に参照される第２作動テーブル１１６ｂと、が設けられている。
【０１０２】
具体的には、特別図柄Ｘ１が決定されると、図１２（ａ）に示すように、第１作動テーブル１１６ａを参照して特別遊技が実行される。この第１作動テーブル１１６ａによれば、大入賞口１８が２９．０秒開放するか又は大入賞口１８に１０個の遊技球が入球するかのいずれかの条件が成立することで終了するラウンド遊技が１６回実行される。また、各ラウンド遊技の実行中、大入賞口１８は１回のみ開放され、各ラウンド遊技間に大入賞口１８が閉鎖する時間（すなわち、インターバル時間）は２．０秒に設定されている。
【０１０３】
特別図柄Ｘ２が決定されると、図１２（ｂ）に示すように、第２作動テーブル１１６ｂを参照して特別遊技が実行される。この第２作動テーブル１１６ｂによれば、第１作動テーブル１１６ａと同態様のラウンド遊技が４回実行される。また、各ラウンド遊技の実行中における大入賞口１８の開閉回数及びインターバル時間は第１作動テーブル１１６ａと同様の内容に設定されている。
なお、特別遊技中に獲得可能な賞球数の期待値は、特別図柄Ｘ２が決定された場合よりも、特別図柄Ｘ１が決定された場合の方が大きい。
【０１０４】
遊技状態設定テーブル１１７は、特別遊技が実行された場合に、当該特別遊技の終了後の遊技状態を設定するためのものである。
本形態に係るパチンコ機Ｐでは、図１３に示すように、特別図柄Ｘ１及び特別図柄Ｘ２のいずれが決定された場合であっても、特別遊技の終了後の遊技状態が高確率時短遊技状態に設定される。また、高確率遊技状態の継続回数（以下、高確回数という）及び時短遊技状態の継続回数（以下、時短回数という）はいずれも、１００回に設定される。すなわち、特別遊技の終了後、大当たりの抽選の結果が１００回導出されるまで、高確率時短遊技状態が継続する。また、この遊技状態の継続中に大当たりに当選した場合には、再度、高確回数及び時短回数が設定されるようになっている。したがって、特別遊技の終了後に高確率時短遊技状態が設定され、この遊技状態の継続中に大当たりに当選することなく、１００回の抽選の結果がすべてハズレとなると、遊技状態が通常遊技状態に変更されることとなる。
なお、特別遊技の終了後の遊技状態としては、いずれの特別図柄が決定された場合にも同一の遊技状態を設定するのではなく、大当たりの抽選によって決定された特別図柄の種別に基づいて異なる遊技状態（たとえば、低確率遊技状態と時短遊技状態とを組み合わせた遊技状態、高確率遊技状態と非時短遊技状態とを組み合わせた遊技状態等）を設定するようにしてもよい。
【０１０５】
次に、普図遊技に関する処理について説明する。
本形態に係るパチンコ機Ｐでは、発射装置（図示しておらず）により発射され遊技領域１２を流下する遊技球がゲート２０を通過すると、第２始動入賞口１６の可動片１６ｂを作動させて当該可動片１６ｂを開くか否かを決定する普通図柄の抽選が行われる。そして、この普通図柄の抽選によって当たりとなると、可動片１６ｂが開き、第２始動入賞口１６が開状態となるため、第２始動入賞口１６への遊技球の入球が容易となる。
この普通図柄の抽選は、遊技球がゲート２０を通過することを契機に取得される当たり決定乱数、及び、メインＲＯＭ１０２に格納されており当該乱数を判定するための当たり決定乱数判定テーブル１１８に基づいて、行われる。
【０１０６】
そして、遊技球がゲート２０を通過すると、上述の当たり決定乱数が取得されるとともに、当該乱数値がメインＲＡＭ１０３の普図保留記憶領域に４個を上限として記憶されるようになっている。具体的には、この普図保留記憶領域は、第１記憶部から第４記憶部までの計４つの記憶部から構成されており、ゲート２０の通過順に、第１記憶部から記憶されるようになっている。また、既にいくつかの記憶部に当たり決定乱数が記憶されている場合には、空きの記憶部のうち最も番号の小さい記憶部に当たり決定乱数が記憶されるようになっている。そして、普図保留記憶領域に既に４個の当たり決定乱数が記憶されている場合に、遊技球がゲート２０を通過しても、この通過に係る当たり決定乱数は普図保留記憶領域に記憶されない。
なお、本形態に係るパチンコ機Ｐにおいて、当たり決定乱数には、主制御基板１００に内蔵されたハードウェア乱数を用いている。この当たり決定乱数は、一定の規則に従って更新され、乱数列が一巡するごとに自動的に乱数列が変更されるとともに、システムリセット毎にスタート値が変更されるようになっている。
また、本形態に係るパチンコ機Ｐでは、普図保留記憶領域に記憶されている当たり決定乱数の数（以下、普図保留数という）は、普図保留数カウンタ（特に図示しておらず）に記憶されるようになっている。
なお、本明細書においては、上述のように、当たり決定乱数が普図保留記憶領域に記憶されることを「普図保留」ともいう。
【０１０７】
また、当たり決定乱数判定テーブル１１８は、普通図柄の抽選により当たりか否かの判定を行うためのものであって、図１４（ａ）及び（ｂ）に示すように、非時短遊技状態において参照される非時短判定テーブル１１８ａと、時短遊技状態において参照される時短判定テーブル１１８ｂと、を備えている。
本形態に係るパチンコ機Ｐでは、遊技球がゲート２０を通過すると、０〜６５５３５の数値範囲内で１個の当たり決定乱数が取得される。そして、普通図柄の抽選を行う時点の遊技状態が非時短遊技状態であれば、非時短判定テーブル１１８ａが選択され、取得された当たり決定乱数と選択された非時短判定テーブル１１８ａとに基づいて普通図柄の抽選が行われる。また、普通図柄の抽選を行う時点の遊技状態が時短遊技状態であれば、時短判定テーブル１１８ｂが選択され、取得された当たり決定乱数と選択された時短判定テーブル１１８ｂとに基づいて普通図柄の抽選が行われる。
【０１０８】
この非時短判定テーブル１１８ａによれば、当たり決定乱数が１であった場合に当たりと判定され、これ以外の当たり決定乱数（０、２〜６５５３５）であった場合にハズレと判定される。したがって、この非時短判定テーブル１１８ａにおいて当たりとなる確率は１／６５５３６となる。
また、時短判定テーブル１１８ｂによれば、当たり決定乱数が１〜６５０００であった場合に当たりと判定され、これ以外の当たり決定乱数（０、６５００１〜６５５３５）であった場合にハズレと判定される。したがって、この時短判定テーブル１１８ｂにおいて当たりとなる確率は６５０００／６５５３６、すなわち、およそ９９／１００となる。
なお、普通図柄の抽選によって当たりとなった場合には当たり図柄が決定され、ハズレとなった場合にはハズレ図柄が決定される。
【０１０９】
また、本形態に係るパチンコ機Ｐは、普通図柄の変動や可動片１６ｂの開閉の制御に係るテーブルとして、普通図柄変動パターン決定テーブル１１９、及び、第２始動入賞口開放制御テーブル１２０等を備えている。
【０１１０】
普通図柄変動パターン決定テーブル１１９は、普通図柄の変動パターンを決定するためのものである。普通図柄の変動パターンには、それぞれ普通図柄の変動時間が対応付けられている。そして、上述のように、ゲート２０を遊技球が通過することにより普通図柄の抽選が行われると、この普通図柄変動パターン決定テーブル１１９に基づいて普通図柄の変動パターン（すなわち、普通図柄の変動時間）が決定される。
本形態に係るパチンコ機Ｐでは、図１５に示すように、遊技状態が非時短遊技状態の場合には普通図柄の変動時間が３秒に決定され、遊技状態が時短遊技状態の場合には普通図柄の変動時間が０．６秒に決定される。そして、普通図柄の変動時間が決定されると、この決定された普通図柄の変動時間の間、普通図柄表示装置３２（図３参照）が点滅表示される。そして、普通図柄の抽選により当たりとなって当たり図柄が決定された場合には、普通図柄表示装置３２が点灯し、ハズレとなってハズレ図柄が決定された場合には、普通図柄表示装置３２が消灯する。
【０１１１】
また、第２始動入賞口開放制御テーブル１２０は、第２始動入賞口１６に設けられた可動片１６ｂの作動を制御するために参照されるものである。
本形態に係るパチンコ機Ｐでは、普通図柄表示装置３２が点灯すると、第２始動入賞口１６の可動片１６ｂが、第２始動入賞口開放制御テーブル１２０に定められた態様で開閉するようになっている。具体的には、遊技状態が非時短遊技状態の場合には、図１６に示すように、始動入賞口ソレノイド１６ｃが０．２秒（＝０．２秒×１回）通電されるため、第２始動入賞口１６の可動片１６ｂが０．２秒開放される。また、遊技状態が時短遊技状態の場合には、図１６に示すように、始動入賞口ソレノイド１６ｃが２．４秒（＝１．２秒×２回）通電されるため、第２始動入賞口１６の可動片１６ｂが合計２．４秒開放される。
【０１１２】
以上のように、非時短遊技状態と時短遊技状態とには、それぞれ、第２始動入賞口１６を開閉するための条件が定められており、この条件の内容により、時短遊技状態においては、非時短遊技状態よりも第２始動入賞口１６に遊技球が入球しやすくなっている。すなわち、時短遊技状態においては、遊技球がゲート２０を通過する限りにおいて、次々と普通図柄の抽選が行われ、第２始動入賞口１６が頻繁に開放されるため、遊技の進行に伴う遊技球の減少を抑えながら、大当たりの抽選の機会を獲得できることとなる。
【０１１３】
（パチンコ機Ｐにおける処理の概要）
次に、上述の特図遊技、普図遊技及び特別遊技の進行に伴って主制御基板１００で実行される処理の概要について、フローチャートを用いて説明する。
まず、主制御基板１００のメイン処理を説明する。
電源基板により電源が供給されると、メインＣＰＵ１０１にシステムリセットが発生し、メインＣＰＵ１０１は、図１７のフローチャートに示すメイン処理を実行する。
【０１１４】
ステップ１００において、メインＣＰＵ１０１は、初期化処理として、電源投入に応じて、メインＲＯＭ１０２から起動プログラムを読み込むとともに、メインＲＡＭ１０３に記憶されるフラグなどを初期化したり、副制御基板３００に送信する各種のコマンドを、メインＲＡＭ１０３に設けられた演出用伝送データ格納領域に記憶したりする。そして、次のステップ１０１に進む。
ステップ１０１において、メインＣＰＵ１０１は、当たり図柄乱数を更新する際に参照される当たり図柄乱数用初期値更新乱数の更新を行う。この当たり図柄乱数用初期値更新乱数は、当たり図柄乱数の初期値を決定するためのものである。すなわち、当たり図柄乱数は、更新を開始する時点の当たり図柄乱数用初期値更新乱数を初期値として更新が行われる。そして、この乱数範囲を１周すると、その時点における当たり図柄乱数用初期値更新乱数を初期値として、当たり図柄乱数の更新が継続されるようになっている。そして、次のステップ１０２に進む。
【０１１５】
ステップ１０２において、メインＣＰＵ１０１は、変動演出パターンを決定するための乱数である、リーチグループ決定乱数、リーチモード決定乱数、及び、変動パターン乱数を更新する。そして、ステップ１０２の処理が終了すると、以降は、所定の割込み処理が行われるまで、ステップ１０１とステップ１０２の処理を繰り返し実行する。
【０１１６】
次に、主制御基板１００のタイマ割込処理を説明する。
主制御基板１００に設けられたリセット用クロックパルス発生回路により、所定の周期（本形態に係るパチンコ機Ｐでは、４ミリ秒）毎にクロックパルスが発生されることで、図１８のフローチャートに示すタイマ割込処理が実行される。
【０１１７】
ステップ２００において、メインＣＰＵ１０１は、各種タイマカウンタを更新するタイマ更新処理を実行する。そして、次のステップ２０１に進む。
なお、本形態に係るパチンコ機Ｐでは、減算タイマを採用しており、主制御基板１００のタイマ割込処理が実行されるたびにタイマカウンタが１ずつ減算され、０になると減算を停止するようになっている。
ステップ２０１において、メインＣＰＵ１０１は、当たり図柄乱数の更新を行う。具体的には、乱数カウンタを「１」加算して更新し、加算した結果が乱数範囲の最大値を超えた場合には、乱数カウンタを「０」に戻し、乱数カウンタが１周した場合には、その時点の当たり図柄乱数用初期値更新乱数の値から乱数を更新する。そして、次のステップ２０２に進む。
【０１１８】
ステップ２０２において、メインＣＰＵ１０１は、ゲート検出センサ２０ａ、第１始動入賞口検出センサ１５ａ、第２始動入賞口検出センサ１６ａに入力があったか否かを判定し、これに基づいて所定の処理を行うセンサ検出時処理を実行する。そして、次のステップ２０３に進む。
ステップ２０３において、メインＣＰＵ１０１は、特図遊技及び特別遊技に関する制御を行うための特図関連制御処理を実行する。そして、次のステップ２０４に進む。
【０１１９】
ステップ２０４において、メインＣＰＵ１０１は、普図遊技に関する制御を行うための普図関連制御処理を実行する。そして、次のステップ２０５に進む。
ステップ２０５において、メインＣＰＵ１０１は、各種エラーの発生や解除に関する制御を行うためのエラー関連処理を実行する。具体的には、前扉３の開放に基づく扉開放コマンドや、受皿７の満タン状態に基づく受皿満タンコマンド等を、主制御基板１００が受信した場合に、メインＣＰＵ１０１は、対応するエラー指定コマンド（たとえば、扉開放指定コマンド、満タン状態指定コマンド等）を生成して演出用伝送データ格納領域に記憶（セット）する。また、上述のコマンドを主制御基板１００が受信しなくなった場合に、メインＣＰＵ１０１は、対応するエラー解除指定コマンド（たとえば、扉閉鎖指定コマンド、満タン解除指定コマンド等）を生成して演出用伝送データ格納領域に記憶する。そして、次のステップ２０６に進む。
【０１２０】
ステップ２０６において、一般入賞口検出センサ１４ａ、第１始動入賞口検出センサ１５ａ、第２始動入賞口検出センサ１６ａ、大入賞口検出センサ１８ａからの検出信号がメインＣＰＵ１０１に入力された場合に、当該メインＣＰＵ１０１は、それぞれの検出信号に対応して設けられている賞球カウンタを更新するとともに、それぞれの検出信号に対応する払出個数指定コマンドを発射払出制御基板２００に送信する。なお、発射払出制御基板２００により賞球の払い出しが行われると、当該払い出しごとに主制御基板１００に払い出しコマンドが送信され、メインＣＰＵ１０１は、当該払い出しコマンドを受信すると、賞球カウンタを減算する。そして、次のステップ２０７に進む。
ステップ２０７において、メインＣＰＵ１０１は、パチンコ機Ｐの遊技状態を当該パチンコ機Ｐの外部に出力するための外部情報データ、第２始動入賞口１６の可動片１６ｂを開閉するための始動入賞口ソレノイドデータ、大入賞口１８の開閉を制御するための大入賞口ソレノイドデータ、各種表示装置（第１特別図柄表示装置３０、第２特別図柄表示装置３１、普通図柄表示装置３２、第１特図保留表示装置３８、第２特図保留表示装置３９及び普通図柄保留表示装置３３）の表示データ等の作成を実行する。そして、次のステップ２０８に進む。
【０１２１】
ステップ２０８において、メインＣＰＵ１０１は、上述のステップ２０７で作成した各データの信号を出力するポート出力、及び、演出用伝送データ格納領域に記憶されたコマンドを送信するコマンド送信等の処理を行う出力制御処理を実行する。そして、主制御基板１００のタイマ割込処理を終了する。
【０１２２】
次に、上述したステップ２０２のセンサ検出時処理について、図１９のフローチャートを参照して説明する。
ステップ３００において、メインＣＰＵ１０１は、遊技球がゲート２０を通過したことに基づいて、普通図柄の抽選を行うためのゲート検出時処理を実行する。そして、次のステップ３０１に進む。
ステップ３０１において、メインＣＰＵ１０１は、遊技球が第１始動入賞口１５に入球したことに基づいて、大当たりの抽選を行うための第１始動入賞口検出時処理を実行する。そして、次のステップ３０２に進む。
【０１２３】
ステップ３０２において、メインＣＰＵ１０１は、遊技球が第２始動入賞口１６に入球したことに基づいて、大当たりの抽選を行うための第２始動入賞口検出時処理を実行する。そして、センサ検出時処理を終了する。
【０１２４】
次に、上述したステップ３００のゲート検出時処理について、図２０のフローチャートを参照して説明する。
ステップ４００において、メインＣＰＵ１０１は、ゲート検出センサ２０ａからの検出信号が入力されたか否かを判定する。そして、ゲート検出センサ２０ａからの検出信号が入力されていないと判定した場合、ゲート検出時処理を終了する。一方、ゲート検出センサ２０ａからの検出信号が入力されたと判定した場合、次のステップ４０１に進む。
ステップ４０１において、メインＣＰＵ１０１は、普図保留数カウンタの値（すなわち、現時点における普図保留数）が「４」未満であるか否かを判定する。そして、当該値が「４」未満でない（すなわち、「４」）と判定した場合、ゲート検出時処理を終了する。一方、当該値が４未満であると判定した場合、次のステップ４０２に進む。
【０１２５】
ステップ４０２において、メインＣＰＵ１０１は、普図保留数カウンタの値を「１」インクリメントする。そして、次のステップ４０３に進む。
ステップ４０３において、メインＣＰＵ１０１は、現時点の当たり決定乱数を取得して普図保留記憶領域に記憶し、ゲート検出時処理を終了する。
【０１２６】
次に、上述したステップ３０１の第１始動入賞口検出時処理について、図２１のフローチャートを参照して説明する。
ステップ５００において、メインＣＰＵ１０１は、第１始動入賞口検出センサ１５ａからの検出信号が入力されたか否かを判定する。そして、第１始動入賞口検出センサ１５ａからの検出信号が入力されていないと判定した場合、第１始動入賞口検出時処理を終了する。一方、第１始動入賞口検出センサ１５ａからの検出信号が入力されたと判定した場合、次のステップ５０１に進む。
ステップ５０１において、メインＣＰＵ１０１は、第１特図保留数カウンタの値（すなわち、現時点における第１特図保留数）が「４」未満であるか否かを判定する。そして、当該値が「４」未満でない（すなわち、「４」）と判定した場合、第１始動入賞口検出時処理を終了する。一方、当該値が「４」未満であると判定した場合、次のステップ５０２に進む。
【０１２７】
ステップ５０２において、メインＣＰＵ１０１は、第１特図保留数カウンタの値を「１」インクリメントする。そして、次のステップ５０３に進む。
ステップ５０３において、メインＣＰＵ１０１は、大当たり決定乱数を取得して第１保留記憶領域の記憶部に記憶する。そして、次のステップ５０４に進む。
【０１２８】
ステップ５０４において、メインＣＰＵ１０１は、上述のステップ２０１で更新された当たり図柄乱数を取得して、上述のステップ５０３で大当たり決定乱数を記憶した第１保留記憶領域の記憶部に記憶する。そして、次のステップ５０５に進む。
ステップ５０５において、メインＣＰＵ１０１は、上述のステップ１０２で更新されたリーチグループ決定乱数を取得して、上述のステップ５０３で大当たり決定乱数を記憶した第１保留記憶領域の記憶部に記憶する。そして、次のステップ５０６に進む。
【０１２９】
ステップ５０６において、メインＣＰＵ１０１は、上述のステップ１０２で更新されたリーチモード決定乱数を取得して、上述のステップ５０３で大当たり決定乱数を記憶した第１保留記憶領域の記憶部に記憶する。そして、次のステップ５０７に進む。
ステップ５０７において、メインＣＰＵ１０１は、上述のステップ１０２で更新された変動パターン乱数を取得して、上述のステップ５０３で大当たり決定乱数を記憶した第１保留記憶領域の記憶部に記憶する。以上より、取得された大当たり決定乱数、当たり図柄乱数、リーチグループ決定乱数、リーチモード決定乱数及び変動パターン乱数はすべて同じ第１保留記憶領域の記憶部に記憶されることとなる。そして、次のステップ５０８に進む。
【０１３０】
ステップ５０８において、メインＣＰＵ１０１は、第１特図乱数が記憶されたことを示す始動入賞コマンドを生成して演出用伝送データ格納領域に記憶する。そして、次のステップ５０９に進む。
ステップ５０９において、メインＣＰＵ１０１は、現時点の遊技状態が非時短遊技状態（すなわち、通常遊技状態）であるか否かを判定する。そして、非時短遊技状態でない（すなわち、時短遊技状態である）と判定した場合、第１始動入賞口検出時処理を終了する。一方、非時短遊技状態であると判定した場合、次のステップ５１０に進む。
【０１３１】
ステップ５１０において、メインＣＰＵ１０１は、記憶された第１特図乱数について、当該第１特図乱数に基づく変動開始前に（第１特図乱数が保留として記憶された時点で）大当たりの抽選に関する各種判定を行う事前判定処理を実行する。そして、第１始動入賞口検出時処理を終了する。
【０１３２】
次に、上述したステップ５１０の事前判定処理について、図２２のフローチャートを参照して説明する。
ステップ５５０において、メインＣＰＵ１０１は、大当たり決定乱数判定テーブル１１０のうち、現時点の遊技状態に対応するいずれかを取得し、取得したテーブルと、上述のステップ５０３で第１保留記憶領域の記憶部に記憶された大当たり決定乱数とに基づいて、大当たりの抽選の結果を判定する大当たり判定処理を実行する。その後、当該判定の結果（大当たり又はハズレ）に係るデータをメインＲＡＭ１０３の所定の処理領域に記憶する。そして、次のステップ５５１に進む。
【０１３３】
ステップ５５１において、メインＣＰＵ１０１は、特別図柄の種別を判定する特別図柄判定処理を実行する。具体的には、上述のステップ５５０における判定の結果が大当たりであった場合には、第１始動入賞口判定テーブル１１１ａを取得し、当該テーブルと、上述のステップ５０４で第１保留記憶領域の記憶部に記憶された当たり図柄乱数とに基づいて、特別図柄の種別（大当たり図柄の種別）を判定する。一方、上述のステップ５５０における判定の結果がハズレであった場合には、特別図柄はＹ１（ハズレ図柄）であると判定する。そして、当該判定の結果（特別図柄の種別）に係るデータを、メインＲＡＭ１０３の所定の処理領域に記憶する。また、この特別図柄判定処理においては、現時点の遊技状態、すなわち、特別図柄を判定した時点の遊技状態が遊技状態バッファに記憶される。そして、次のステップ５５２に進む。
【０１３４】
ステップ５５２において、メインＣＰＵ１０１は、上述のステップ５５１で判定された特別図柄が大当たり図柄であるか否かを判定する。そして、大当たり図柄でない（すなわち、ハズレ図柄である）と判定した場合、ステップ５５５に進む。一方、大当たり図柄であると判定した場合、次のステップ５５３に進む。
ステップ５５３において、メインＣＰＵ１０１は、上述のステップ５５２で判定された大当たり図柄、及び、現時点の遊技状態を確認する。そして、次のステップ５５４に進む。
【０１３５】
ステップ５５４において、メインＣＰＵ１０１は、上述のステップ５５３で確認した大当たり図柄、及び、現時点の遊技状態に基づいて、対応するリーチモード決定乱数判定テーブル１１３（大当たり用判定テーブル）を取得する。そして、ステップ５５９に進む。
また、上述のステップ５５２で大当たり図柄でないと判定した場合に進むステップ５５５において、メインＣＰＵ１０１は、現時点の遊技状態、及び、現時点の保留数（第１特図保留数）を確認する。そして、次のステップ５５６に進む。
【０１３６】
ステップ５５６において、メインＣＰＵ１０１は、上述のステップ５５５で確認した現時点の遊技状態、保留数、及び、遊技球が入球した始動入賞口の種別（すなわち、第１始動入賞口１５）に基づいて、対応するリーチグループ決定乱数判定テーブル１１２を取得する。そして、次のステップ５５７に進む。
ステップ５５７において、メインＣＰＵ１０１は、上述のステップ５０５で第１保留記憶領域の記憶部に記憶されたリーチグループ決定乱数と、上述のステップ５５６で取得されたリーチグループ決定乱数判定テーブル１１２とに基づいて、グループの種別を判定し、当該グループの種別をメインＲＡＭ１０３の所定の処理領域に記憶する。そして、次のステップ５５８に進む。
【０１３７】
ステップ５５８において、メインＣＰＵ１０１は、上述のステップ５５７で判定されたグループの種別に基づいて、リーチモード決定乱数判定テーブル１１３（ハズレ用判定テーブル）を取得する。そして、次のステップ５５９に進む。
ステップ５５９において、メインＣＰＵ１０１は、上述のステップ５５４で取得されたリーチモード決定乱数判定テーブル１１３（大当たり用判定テーブル）、又は、上述のステップ５５８で取得されたリーチモード決定乱数判定テーブル１１３（ハズレ用判定テーブル）と、上述のステップ５０６で第１保留記憶領域の記憶部に記憶されたリーチモード決定乱数とに基づいて、変動モード番号及び変動パターン抽選テーブル１１４を判定する変動モード番号判定処理を実行する。そして、次のステップ５６０に進む。
【０１３８】
ステップ５６０において、メインＣＰＵ１０１は、上述のステップ５５９で判定された変動パターン抽選テーブル１１４を取得する。そして、次のステップ５６１に進む。
ステップ５６１において、メインＣＰＵ１０１は、上述のステップ５６０で取得された変動パターン抽選テーブル１１４と、上述のステップ５０７で第１保留記憶領域の記憶部に記憶された変動パターン乱数とに基づいて、変動パターン番号を判定する変動パターン番号判定処理を実行する。そして、次のステップ５６２に進む。
【０１３９】
ステップ５６２において、メインＣＰＵ１０１は、上述のステップ５５０で判定された大当たりの抽選の結果（大当たり又はハズレ）、上述のステップ５５１で判定された特別図柄の種別、上述のステップ５５９で判定された変動モード番号、及び、上述のステップ５６１で判定された変動パターン番号に対応する事前判定コマンドを演出用伝送データ格納領域にセットする。
なお、特に図示していないが、本形態に係るパチンコ機Ｐは事前判定コマンドテーブルを有しており、この事前判定コマンドテーブルには、上述の判定結果（大当たりの抽選の結果、特別図柄の種別、変動モード番号及び変動パターン番号）に対応付けられて事前判定コマンドが定められている。そして、メインＣＰＵ１０１は、この事前判定コマンドテーブルを参照して上述の判定結果に対応する事前判定コマンドを取得できるようになっている。そして、事前判定処理を終了する。
以上の処理により、新たに記憶された第１特図乱数（保留）について、特別図柄の変動開始時に決定される大当たりの抽選の結果、特別図柄の種別、変動モード番号及び変動パターン番号が、事前判定コマンドによって、当該保留が記憶された時点で事前に（すなわち、変動開始前に）副制御基板３００に伝達される。
【０１４０】
次に、上述したステップ３０２の第２始動入賞口検出時処理について、図２３のフローチャートを参照して説明する。
ステップ６００において、メインＣＰＵ１０１は、第２始動入賞口検出センサ１６ａからの検出信号が入力されたか否かを判定する。そして、第２始動入賞口検出センサ１６ａからの検出信号が入力されていないと判定した場合、第２始動入賞口検出時処理を終了する。一方、第２始動入賞口検出センサ１６ａからの検出信号が入力されたと判定した場合、次のステップ６０１に進む。
ステップ６０１において、メインＣＰＵ１０１は、第２特図保留数カウンタの値（すなわち、現時点における第２特図保留数）が「４」未満であるか否かを判定する。そして、当該値が「４」未満でない（すなわち、「４」）と判定した場合、第２始動入賞口検出時処理を終了する。一方、当該値が「４」未満であると判定した場合、次のステップ６０２に進む。
【０１４１】
ステップ６０２において、メインＣＰＵ１０１は、第２特図保留数カウンタの値を「１」インクリメントする。そして、次のステップ６０３に進む。
ステップ６０３において、メインＣＰＵ１０１は、大当たり決定乱数を取得して第２保留記憶領域の記憶部に記憶する。そして、次のステップ６０４に進む。
【０１４２】
ステップ６０４において、メインＣＰＵ１０１は、上述のステップ２０１で更新された当たり図柄乱数を取得して、上述のステップ６０３で大当たり決定乱数を記憶した第２保留記憶領域の記憶部に記憶する。そして、次のステップ６０５に進む。
ステップ６０５において、メインＣＰＵ１０１は、上述のステップ１０２で更新されたリーチグループ決定乱数を取得して、上述のステップ６０３で大当たり決定乱数を記憶した第２保留記憶領域の記憶部に記憶する。そして、次のステップ６０６に進む。
【０１４３】
ステップ６０６において、メインＣＰＵ１０１は、上述のステップ１０２で更新されたリーチモード決定乱数を取得して、上述のステップ６０３で大当たり決定乱数を記憶した第２保留記憶領域の記憶部に記憶する。そして、次のステップ６０７に進む。
ステップ６０７において、メインＣＰＵ１０１は、上述のステップ１０２で更新された変動パターン乱数を取得して、上述のステップ６０３で大当たり決定乱数を記憶した第２保留記憶領域の記憶部に記憶する。以上より、取得された大当たり決定乱数、当たり図柄乱数、リーチグループ決定乱数、リーチモード決定乱数及び変動パターン乱数はすべて同じ第２保留記憶領域の記憶部に記憶されることとなる。そして、次のステップ６０８に進む。
【０１４４】
ステップ６０８において、メインＣＰＵ１０１は、第２特図乱数が記憶されたことを示す始動入賞コマンドを生成して演出用伝送データ格納領域に記憶し、第２始動入賞口検出時処理を終了する。
【０１４５】
次に、上述したステップ２０３の特図関連制御処理について、図２４のフローチャートを参照して説明する。
ステップ７００において、メインＣＰＵ１０１は、実行フェーズデータの値をロードする。この実行フェーズデータは、当該特図関連制御処理を構成する複数の機能モジュール（サブルーチン）のうちいずれを実行するかを示すものである。具体的には、この実行フェーズデータは、後述する特別図柄変動開始処理の実行を示すデータ「００」と、後述する特別図柄変動停止処理の実行を示すデータ「０１」と、後述する停止後処理の実行を示すデータ「０２」と、後述する特別遊技制御処理の実行を示すデータ「０３」と、後述する特別遊技終了処理の実行を示すデータ「０４」と、を有している。
そして、メインＣＰＵ１０１は、上述のステップ７００でロードした実行フェーズデータの値に基づき、特別図柄変動開始処理（ステップ７０１）、特別図柄変動停止処理（ステップ７０２）、停止後処理（ステップ７０３）、特別遊技制御処理（ステップ７０４）又は特別遊技終了処理（ステップ７０５）のいずれかを実行する。そして、特図関連制御処理を終了する。
【０１４６】
次に、上述したステップ７０１の特別図柄変動開始処理について、図２５のフローチャートを参照して説明する。
ステップ８００において、メインＣＰＵ１０１は、実行フェーズデータが特別図柄変動開始処理の実行を示すデータ「００」であるか否かを判定する。そして、実行フェーズデータが「００」でないと判定した場合、特別図柄変動開始処理を終了する。一方、実行フェーズデータが「００」であると判定した場合、次のステップ８０１に進む。
ステップ８０１において、メインＣＰＵ１０１は、第２保留記憶領域の記憶部に第２特図乱数が記憶されているか否か、すなわち、第２特図保留数カウンタが「１」以上であるか否かを判定する。そして、第２特図乱数が記憶されていると判定した場合、ステップ８０４に進む。一方、第２特図乱数が記憶されていないと判定した場合、次のステップ８０２に進む。
【０１４７】
ステップ８０２において、メインＣＰＵ１０１は、第１保留記憶領域の記憶部に第１特図乱数が記憶されているか否か、すなわち、第１特図保留数カウンタが「１」以上であるか否かを判定する。そして、第１特図乱数が記憶されていないと判定した場合、ステップ８１１に進む。一方、第１特図乱数が記憶されていると判定した場合、次のステップ８０３に進む。
ステップ８０３において、メインＣＰＵ１０１は、第１特図保留数カウンタの値を「１」デクリメントするとともに、第１保留記憶領域のシフト処理を実行する。具体的には、第１保留記憶領域の第１記憶部に記憶されている各乱数を、メインＲＡＭ１０３に設けられている所定の処理領域に記憶するとともに、第１保留記憶領域の第２記憶部〜第４記憶部に記憶されている各乱数を、１つ番号の小さい記憶部にシフトさせる。これにより、第１保留記憶領域に記憶された各乱数は、いわゆる先入れ先出し（ＦＩＦＯ）で、後述の大当たり判定処理に用いられるようになっている。そして、ステップ８０５に進む。
【０１４８】
また、上述のステップ８０１で第２特図乱数が記憶されていると判定した場合に進むステップ８０４において、メインＣＰＵ１０１は、第２特図保留数カウンタの値を「１」デクリメントするとともに、第２保留記憶領域のシフト処理を実行する。具体的には、第２保留記憶領域の第１記憶部に記憶されている各乱数を、メインＲＡＭ１０３に設けられている所定の処理領域に記憶するとともに、第２保留記憶領域の第２記憶部〜第４記憶部に記憶されている各乱数を、１つ番号の小さい記憶部にシフトさせる。これにより、第２保留記憶領域に記憶された各乱数は、いわゆる先入れ先出し（ＦＩＦＯ）で、後述の大当たり判定処理に用いられるようになっている。そして、ステップ８０５に進む。
ステップ８０５において、メインＣＰＵ１０１は、大当たり決定乱数判定テーブル１１０のうち、現時点の遊技状態に対応するいずれかを取得し、取得したテーブルと上述のステップ８０３又はステップ８０４で所定の処理領域に記憶された大当たり決定乱数とに基づいて、大当たりの抽選の結果を導出する大当たり判定処理を実行する。そして、次のステップ８０６に進む。
【０１４９】
ステップ８０６において、メインＣＰＵ１０１は、特別図柄の種別を決定する特別図柄決定処理を実行する。具体的には、上述のステップ８０５における抽選の結果が大当たりであった場合には、当該抽選の判定に用いられた大当たり決定乱数がいずれの始動入賞口への遊技球の入球によるものか（すなわち、第１始動入賞口１５か、又は、第２始動入賞口１６か）を確認した上で、これに応じた当たり図柄乱数判定テーブル１１１を取得し、取得したテーブルと上述のステップ８０３又はステップ８０４で所定の処理領域に記憶された当たり図柄乱数とに基づいて、特別図柄の種別を決定する。一方、上述のステップ８０５における抽選の結果がハズレであった場合には、当該抽選の判定に用いられた大当たり決定乱数が第１始動入賞口１５への遊技球の入球によるものであれば特別図柄Ｙ１を決定し、当該抽選の判定に用いられた大当たり決定乱数が第２始動入賞口１６への遊技球の入球によるものであれば特別図柄Ｙ２を決定する。そして、決定した特別図柄に対応するデータを、メインＲＡＭ１０３の所定の一時記憶領域に記憶する。また、この特別図柄決定処理においては、現時点の遊技状態、すなわち、特別図柄を決定した時点の遊技状態が遊技状態バッファに記憶される。そして、次のステップ８０７に進む。
なお、本形態に係るパチンコ機Ｐの特別図柄変動開始処理では、第１特図乱数及び第２特図乱数の両方が記憶されている場合には、第１特図乱数に優先して第２特図乱数が処理されるようになっているが、これに限定されるものではなく、保留記憶領域に記憶された順に処理してもよい。
【０１５０】
ステップ８０７において、メインＣＰＵ１０１は、上述のステップ８０６で決定された特別図柄の種別を示す図柄決定コマンドを演出用伝送データ格納領域に記憶する。これにより、決定された特別図柄の種別に係る情報が、変動開始時に副制御基板３００に送信されることとなる。そして、次のステップ８０８に進む。
ステップ８０８において、メインＣＰＵ１０１は、上述のステップ８０３又はステップ８０４で所定の処理領域に記憶されたリーチグループ決定乱数、リーチモード決定乱数及び変動パターン乱数に基づいて、変動演出パターンの決定に係る変動演出パターン決定処理を実行する。そして、次のステップ８０９に進む。
【０１５１】
ステップ８０９において、メインＣＰＵ１０１は、第１特別図柄表示装置３０又は第２特別図柄表示装置３１で特別図柄の変動表示を開始するための変動表示データをセットする。これにより、第１特図乱数に基づいて特別図柄の変動表示が行われる場合には、第１特別図柄表示装置３０が点滅表示を開始し、また、第２特図乱数に基づいて特別図柄の変動表示が行われる場合には、第２特別図柄表示装置３１が点滅表示を開始する。ここで、点滅表示とは、各表示装置において「−」が所定の間隔で点滅することをいうものである。
また、本形態に係るパチンコ機Ｐでは、第１特図乱数が第１保留記憶領域に記憶されている場合には、第１特図保留数を認識できる態様で第１特図保留表示装置３８が表示され、第２特図乱数が第２保留記憶領域に記憶されている場合には、第２特図保留数を認識できる態様で第２特図保留表示装置３９が表示されるようになっている。そして、第１特図乱数に基づいて上述の特別図柄の変動表示が行われる場合には、変動表示の開始と同時に、第１特図保留数が１つ減ることを示すように、第１特図保留表示装置３８が表示制御され、第２特図乱数に基づいて上述の特別図柄の変動表示が行われる場合には、変動表示の開始と同時に、第２特図保留数が１つ減ることを示すように、第２特図保留表示装置３９が表示制御される。
そして、次のステップ８１０に進む。
【０１５２】
ステップ８１０において、メインＣＰＵ１０１は、特図関連制御処理において特別図柄変動停止処理が実行されるように、実行フェーズデータに「０１」をセットし、特別図柄変動開始処理を終了する。
また、上述のステップ８０２で第１保留記憶領域に第１特図乱数が記憶されていないと判定した場合に進むステップ８１１において、メインＣＰＵ１０１は、変動表示が行われていないことに基づき、演出表示装置２１においてデモ表示を行うためのデモ判定処理を実行する。具体的には、メインＣＰＵ１０１は特別図柄の変動表示が行われていない時間を計時するとともに、特別図柄の変動表示が行われることなく所定のデモ開始時間（たとえば、３０秒）が経過した場合に、演出表示装置２１にデモ画面を表示するためのデモコマンドを演出用伝送データ格納領域に記憶する。そして、特別変動開始処理を終了する。
【０１５３】
次に、上述したステップ８０８の変動演出パターン決定処理について、図２６のフローチャートを参照して説明する。
ステップ９００において、メインＣＰＵ１０１は、上述のステップ８０６で決定された特別図柄が大当たり図柄であるか否かを判定する。そして、大当たり図柄でない（すなわち、ハズレ図柄である）と判定した場合、ステップ９０３に進む。一方、大当たり図柄であると判定した場合、次のステップ９０１に進む。
ステップ９０１において、メインＣＰＵ１０１は、上述のステップ８０６で決定された大当たり図柄、及び、現時点の遊技状態を確認する。そして、次のステップ９０２に進む。
【０１５４】
ステップ９０２において、メインＣＰＵ１０１は、上述のステップ９０１で確認した大当たり図柄、及び、遊技状態に基づいて、対応するリーチモード決定乱数判定テーブル１１３（大当たり用判定テーブル）を選択する。そして、ステップ９０７に進む。
また、上述のステップ９００で大当たり図柄でないと判定した場合に進むステップ９０３において、メインＣＰＵ１０１は、当該抽選の判定に係る始動入賞口の種別（すなわち、当該抽選の判定に用いられた大当たり決定乱数がいずれの始動入賞口への入球により取得されたものであるか）を確認するとともに、現時点の遊技状態、及び、現時点の保留数（第１特図保留数、第２特図保留数）を確認する。そして、次のステップ９０４に進む。
【０１５５】
ステップ９０４において、メインＣＰＵ１０１は、上述のステップ９０３で確認した始動入賞口の種別、遊技状態及び保留数に基づいて、対応するリーチグループ決定乱数判定テーブル１１２を取得する。そして、次のステップ９０５に進む。
ステップ９０５において、メインＣＰＵ１０１は、上述のステップ８０３又はステップ８０４で所定の処理領域に記憶されたリーチグループ決定乱数と上述のステップ９０４で取得されたリーチグループ決定乱数判定テーブル１１２とに基づいて、グループの種別を決定し、当該グループの種別を所定の処理領域に記憶する。そして、次のステップ９０６に進む。
【０１５６】
ステップ９０６において、メインＣＰＵ１０１は、上述のステップ９０５で決定されたグループの種別に基づいて、リーチモード決定乱数判定テーブル１１３（ハズレ用判定テーブル）を選択する。そして、次のステップ９０７に進む。
ステップ９０７において、メインＣＰＵ１０１は、上述のステップ９０２で取得されたリーチモード決定乱数判定テーブル１１３（大当たり用判定テーブル）、又は、上述のステップ９０６で取得されたリーチモード決定乱数判定テーブル１１３（ハズレ用判定テーブル）と、上述のステップ８０３又はステップ８０４で所定の処理領域に記憶されたリーチモード決定乱数とに基づいて、変動モード番号及び変動パターン抽選テーブル１１４を決定し、この決定された変動モード番号を所定の一時記憶領域に記憶する。そして、次のステップ９０８に進む。
【０１５７】
ステップ９０８において、メインＣＰＵ１０１は、上述のステップ９０７で決定された変動パターン抽選テーブル１１４を取得する。そして、次のステップ９０９に進む。
ステップ９０９において、メインＣＰＵ１０１は、上述のステップ９０８で取得された変動パターン抽選テーブル１１４と、上述のステップ８０３又はステップ８０４で所定の処理領域に記憶された変動パターン乱数とに基づいて、変動パターン番号を決定し、この決定された変動パターン番号を所定の一時記憶領域に記憶する。そして、次のステップ９１０に進む。
【０１５８】
ステップ９１０において、メインＣＰＵ１０１は、変動時間決定テーブル１１５と、所定の一時記憶領域に記憶された変動モード番号及び変動パターン番号とに基づいて、変動時間を決定する。また、メインＣＰＵ１０１は、この決定された変動時間を変動時間タイマカウンタにセットする。そして、次のステップ９１１に進む。
ステップ９１１において、メインＣＰＵ１０１は、所定の一時記憶領域に記憶された変動モード番号に基づいて変動モードコマンドを生成し、所定の一時記憶領域に記憶された変動パターン番号に基づいて変動パターンコマンドを生成する。さらに、メインＣＰＵ１０１は、生成された変動モードコマンド及び変動パターンコマンドを演出用伝送データ格納領域に記憶する。そして、変動演出パターン決定処理を終了する。
【０１５９】
次に、上述したステップ７０２の特別図柄変動停止処理について、図２７のフローチャートを参照して説明する。
ステップ１０００において、メインＣＰＵ１０１は、実行フェーズデータが特別図柄変動停止処理の実行を示すデータ「０１」であるか否かを判定する。そして、実行フェーズデータが「０１」でないと判定した場合、特別図柄変動停止処理を終了する。一方、実行フェーズデータが「０１」であると判定した場合、次のステップ１００１に進む。
【０１６０】
ステップ１００１において、メインＣＰＵ１０１は、ステップ９１０で変動時間タイマカウンタにセットされた変動時間が経過したか否かを判定する。そして、当該変動時間が経過していないと判定した場合、特別図柄変動停止処理を終了する。一方、当該変動時間が経過したと判定した場合、次のステップ１００２に進む。
ステップ１００２において、メインＣＰＵ１０１は、上述のステップ８０６で決定された特別図柄を、第１特別図柄表示装置３０又は第２特別図柄表示装置３１に停止表示するための停止表示データをセットし、特別図柄の停止表示を実行する。そして、次のステップ１００３に進む。
【０１６１】
ステップ１００３において、メインＣＰＵ１０１は、特別図柄が確定したことを示す図柄確定コマンドを演出用伝送データ格納領域に記憶する。そして、次のステップ１００４に進む。
ステップ１００４において、メインＣＰＵ１０１は、特別図柄を停止表示する停止表示時間を停止表示時間タイマカウンタにセットする。そして、次のステップ１００５に進む。
【０１６２】
ステップ１００５において、メインＣＰＵ１０１は、特図関連制御処理において停止後処理が実行されるように、実行フェーズデータに「０２」をセットする。そして、特別図柄変動停止処理を終了する。
【０１６３】
次に、上述したステップ７０３の停止後処理について、図２８のフローチャートを参照して説明する。
ステップ１１００において、メインＣＰＵ１０１は、実行フェーズデータが停止後処理の実行を示すデータ「０２」であるか否かを判定する。そして、実行フェーズデータが「０２」でないと判定した場合、停止後処理を終了する。一方、実行フェーズデータが「０２」であると判定した場合、次のステップ１１０１に進む。
ステップ１１０１において、メインＣＰＵ１０１は、上述のステップ１００４で停止表示時間タイマカウンタにセットされた停止表示時間が経過したか否かを判定する。そして、停止表示時間が経過していないと判定した場合、停止後処理を終了する。一方、停止表示時間が経過したと判定した場合、次のステップ１１０２に進む。
【０１６４】
ステップ１１０２において、メインＣＰＵ１０１は、現時点の遊技状態を遊技状態バッファに記憶する。そして、次のステップ１１０３に進む。
ステップ１１０３において、メインＣＰＵ１０１は、時短回数更新処理を実行する。具体的には、メインＣＰＵ１０１は、現時点の遊技状態が時短遊技状態であることを示す時短遊技フラグがオンとなっているか否かを判定する。そして、時短遊技フラグがオンとなっていると判定した場合、メインＲＡＭ１０３に設けられた時短回数記憶領域を更新する。この時短回数記憶領域には、時短遊技状態が終了するまでの残りの変動回数が記憶されている。そして、この記憶されている残りの変動回数を「１」デクリメントする。また、残りの変動回数の更新により当該残りの変動回数が「０」となった場合には、時短遊技フラグをオフにする処理も実行する。また、時短遊技フラグがオンとなっていないと判定した場合、メインＣＰＵ１０１は何も処理を行わない。そして、次のステップ１１０４に進む。
【０１６５】
ステップ１１０４において、メインＣＰＵ１０１は、高確回数更新処理を行う。ここでは、メインＣＰＵ１０１は、現時点の遊技状態が高確率遊技状態であることを示す高確遊技フラグがオンとなっているか否かを判定する。そして、高確遊技フラグがオンとなっていると判定した場合、メインＲＡＭ１０３に設けられた高確回数記憶領域を更新する。この高確回数記憶領域には、高確率遊技状態が終了するまでの残りの変動回数が記憶されている。そして、この記憶されている残りの変動回数を「１」デクリメントする。また、残りの変動回数の更新により当該残りの変動回数が「０」となった場合には、高確遊技フラグをオフにする処理も実行される。また、高確遊技フラグがオンとなっていないと判定した場合、メインＣＰＵ１０１は何も処理を行わない。そして、次のステップ１１０５に進む。
ステップ１１０５において、メインＣＰＵ１０１は、停止表示されている特別図柄が大当たり図柄であるか否かを判定する。そして、停止表示されている特別図柄が大当たり図柄でない（すなわち、ハズレ図柄である）と判定した場合、ステップ１１１１に進む。一方、停止表示されている特別図柄が大当たり図柄であると判定した場合、次のステップ１１０６に進む。
【０１６６】
ステップ１１０６において、メインＣＰＵ１０１は、大当たり当選時の遊技状態及び停止表示された大当たり図柄の種別（特別図柄Ｘ１又はＸ２）を副制御基板３００に伝達するための大当たり当選時コマンドをセットする。そして、次のステップ１１０７に進む。
ステップ１１０７において、メインＣＰＵ１０１は、現時点の遊技状態をリセットする。そして、次のステップ１１０８に進む。
【０１６７】
ステップ１１０８において、メインＣＰＵ１０１は、特別遊技の開始時に設定される待機時間であるオープニング時間をオープニング時間タイマカウンタにセットするとともに、オープニング処理が開始されることを示すオープニングコマンドを演出用伝送データ格納領域に記憶する。そして、次のステップ１１０９に進む。
ステップ１１０９において、メインＣＰＵ１０１は、停止表示されている大当たり図柄の種別に基づいて、メインＲＡＭ１０３にラウンド数をセットする。具体的には、メインＣＰＵ１０１は、停止表示されている大当たり図柄が特別図柄Ｘ１であれば、ラウンド数として「１６」をセットし、停止表示されている大当たり図柄が特別図柄Ｘ２であれば、ラウンド数として「４」をセットする。そして、次のステップ１１１０に進む。
【０１６８】
ステップ１１１０において、メインＣＰＵ１０１は、特図関連制御処理において特別遊技制御処理が実行されるように、実行フェーズデータに「０３」をセットする。そして、停止後処理を終了する。
また、上述のステップ１１０５で停止表示されている特別図柄が大当たり図柄でないと判定した場合に進むステップ１１１１において、メインＣＰＵ１０１は、現時点の遊技状態を確認し、当該遊技状態を示す遊技状態コマンドを演出用伝送データ格納領域に記憶する。そして、次のステップ１１１２に進む。
【０１６９】
ステップ１１１２において、メインＣＰＵ１０１は、特図関連制御処理において特別図柄変動開始処理が実行されるように、実行フェーズデータに「００」をセットする。そして、停止後処理を終了する。
【０１７０】
次に、上述したステップ７０４の特別遊技制御処理について、図２９のフローチャートを参照して説明する。
ステップ１２００において、メインＣＰＵ１０１は、実行フェーズデータが特別遊技制御処理の実行を示すデータ「０３」であるか否かを判定する。そして、実行フェーズデータが「０３」でないと判定した場合、特別遊技制御処理を終了する。一方、実行フェーズデータが「０３」であると判定した場合、次のステップ１２０１に進む。
ステップ１２０１において、メインＣＰＵ１０１は、上述のステップ１１０８でオープニング時間タイマカウンタにセットされたオープニング時間が経過しているか否かを判定する。そして、オープニング時間が経過していないと判定した場合、特別遊技制御処理を終了する。一方、オープニング時間が経過していると判定した場合、次のステップ１２０２に進む。
【０１７１】
ステップ１２０２において、メインＣＰＵ１０１は、この特別遊技制御処理において全ラウンド遊技が終了した後に行われる待機処理であるエンディング処理中であるか否かを判定する。そして、エンディング処理中であると判定した場合、ステップ１２１０に進む。一方、エンディング処理中でないと判定した場合、次のステップ１２０３に進む。
ステップ１２０３において、メインＣＰＵ１０１は、停止表示された大当たり図柄の種別に応じた特別電動役物作動テーブル１１６に基づいて、大入賞口１８の開閉を行う大入賞口開閉制御処理を実行する。そして、次のステップ１２０４に進む。
【０１７２】
ステップ１２０４において、メインＣＰＵ１０１は、上述のステップ１２０３の大入賞口開閉制御に基づいてラウンド遊技が開始された時点であるか否かを判定する。そして、ラウンド遊技が開始された時点ではないと判定した場合、ステップ１２０６に進む。一方、ラウンド遊技が開始された時点であると判定した場合、次のステップ１２０５に進む。
ステップ１２０５において、メインＣＰＵ１０１は、ラウンド遊技の開始を示すラウンド遊技開始コマンドを演出用伝送データ格納領域に記憶する。そして、次のステップ１２０６に進む。
なお、ラウンド遊技開始コマンドは、ラウンド遊技の回数ごとに設けられており、これにより、何回目のラウンド遊技が開始されたかを副制御基板３００に伝達できるようになっている。
【０１７３】
ステップ１２０６において、メインＣＰＵ１０１は、上述のステップ１２０３の大入賞口開閉制御に基づいてラウンド遊技が終了したか否かを判定する。そして、ラウンド遊技が終了していないと判定した場合、特別遊技制御処理を終了する。一方、ラウンド遊技が終了したと判定した場合、次のステップ１２０７に進む。
ステップ１２０７において、メインＣＰＵ１０１は、メインＲＡＭ１０３に記憶されているラウンド数を「１」デクリメントする。そして、次のステップ１２０８に進む。
【０１７４】
ステップ１２０８において、メインＣＰＵ１０１は、上述のステップ１２０７でデクリメントしたラウンド数が「０」であるか否かを判定する。そして、当該ラウンド数が「０」でないと判定した場合、特別遊技制御処理を終了する。一方、当該ラウンド数が「０」であると判定した場合、次のステップ１２０９に進む。
ステップ１２０９において、メインＣＰＵ１０１は、特別遊技の終了時に設定される待機時間であるエンディング時間をエンディング時間タイマカウンタにセットし、エンディング処理が開始されることを示すエンディングコマンドを演出用伝送データ格納領域に記憶する。そして、特別遊技制御処理を終了する。
【０１７５】
また、上述のステップ１２０２でエンディング処理中であると判定した場合に進むステップ１２１０において、メインＣＰＵ１０１は、上述のステップ１２０９でエンディング時間タイマカウンタにセットしたエンディング時間が経過したか否かを判定する。そして、当該エンディング時間が経過していないと判定した場合、特別遊技制御処理を終了する。一方、当該エンディング時間が経過したと判定した場合、次のステップ１２１１に進む。
ステップ１２１１において、メインＣＰＵ１０１は、特別遊技が終了したことを示す特別遊技終了コマンドを演出用伝送データ格納領域に記憶する。そして、次のステップ１２１２に進む。
【０１７６】
ステップ１２１２において、メインＣＰＵ１０１は、特図関連制御処理において特別遊技終了処理が実行されるように、実行フェーズデータに「０４」をセットする。そして、特別遊技制御処理を終了する。
【０１７７】
次に、上述したステップ７０５の特別遊技終了処理について、図３０のフローチャートを参照して説明する。
ステップ１３００において、メインＣＰＵ１０１は、実行フェーズデータが特別遊技終了処理の実行を示すデータ「０４」であるか否かを判定する。そして、実行フェーズデータが「０４」でないと判定した場合、特別遊技終了処理を終了する。一方、実行フェーズデータが「０４」であると判定した場合、次のステップ１３０１に進む。
ステップ１３０１において、メインＣＰＵ１０１は、終了した特別遊技の実行契機となった大当たり図柄（メインＲＡＭ１０３の記憶領域に記憶）を確認するとともに、上述の大当たり図柄に応じた遊技状態設定テーブル１１７に基づいて、特別遊技の終了後の遊技状態を設定する。
具体的には、メインＣＰＵ１０１は、高確遊技フラグ、時短遊技フラグ、高確回数、時短回数を設定する。本形態に係るパチンコ機Ｐでは、大当たり図柄が特別図柄Ｘ１及びＸ２のいずれの場合であっても、高確遊技フラグ及び時短遊技フラグをいずれもオンとするとともに、高確回数及び時短回数のいずれにも「１００」をセットする。
そして、次のステップ１３０２に進む。
【０１７８】
ステップ１３０２において、メインＣＰＵ１０１は、上述のステップ１３０１で設定された遊技状態に応じて、遊技状態指定コマンドを演出用伝送データ格納領域にセットする。この遊技状態指定コマンドには、上述のステップ１３０１で設定された高確遊技フラグがオンである旨の情報、時短遊技フラグがオンである旨の情報、高確回数の情報、時短回数の情報が含まれている。そして、次のステップ１３０３に進む。
ステップ１３０３において、メインＣＰＵ１０１は、特図関連制御処理において特別図柄変動開始処理が実行されるように、実行フェーズデータに「００」をセットする。そして、特別遊技終了処理を終了する。
【０１７９】
次に、上述したステップ２０４の普図関連制御処理について、図３１のフローチャートを参照して説明する。
ステップ１４００において、メインＣＰＵ１０１は、普図実行フェーズデータの値をロードする。この普図実行フェーズデータは、当該普図関連制御処理を構成する複数の機能モジュール（サブルーチン）のうちいずれを実行するかを示すものである。具体的には、この普図実行フェーズデータは、後述する普通図柄変動開始処理の実行を示すデータ「１０」と、後述する普通図柄変動停止処理の実行を示すデータ「１１」と、後述する普通図柄停止後処理の実行を示すデータ「１２」と、後述する可動片制御処理の実行を示すデータ「１３」と、を有している。
そして、メインＣＰＵ１０１は、上述のステップ１４００でロードした普図実行フェーズデータの値に基づき、普通図柄変動開始処理（ステップ１４０１）、普通図柄変動停止処理（ステップ１４０２）、普通図柄停止後処理（ステップ１４０３）又は可動片制御処理（ステップ１４０４）のいずれかを実行する。そして、普図関連制御処理を終了する。
【０１８０】
次に、上述したステップ１４０１の普通図柄変動開始処理について、図３２のフローチャートを参照して説明する。
ステップ１５００において、メインＣＰＵ１０１は、普図実行フェーズデータが普通図柄変動開始処理の実行を示す「１０」であるか否かを判定する。そして、普図実行フェーズデータが「１０」でないと判定した場合、普通図柄変動開始処理を終了する。一方、普図実行フェーズデータが「１０」と判定した場合、次のステップ１５０１に進む。
ステップ１５０１において、メインＣＰＵ１０１は、普図保留記憶領域に当たり決定乱数が記憶されているか否か、すなわち、普図保留数カウンタが「１」以上であるか否かを判定する。そして、普図保留数カウンタが「１」以上でない（すなわち、「０」）と判定した場合、普通図柄変動開始処理を終了する。一方、普図保留数カウンタが「１」以上であると判定した場合、次のステップ１５０２に進む。
【０１８１】
ステップ１５０２において、メインＣＰＵ１０１は、普図保留数カウンタの値を「１」デクリメントする。そして、次のステップ１５０３に進む。
ステップ１５０３において、メインＣＰＵ１０１は、普図保留記憶領域のシフト処理を実行する。具体的には、第１記憶部に記憶されている当たり決定乱数を、メインＲＡＭ１０３に設けられている所定の処理領域に記憶するとともに、第２記憶部〜第４記憶部に記憶されている当たり決定乱数を、１つ番号の小さい記憶部にシフトさせる。これにより、普図保留記憶領域に記憶された当たり決定乱数は、いわゆる先入れ先出し（ＦＩＦＯ）で、後述の当選判定処理に用いられるようになっている。そして、次のステップ１５０４に進む。
【０１８２】
ステップ１５０４において、メインＣＰＵ１０１は、現時点の遊技状態に対応する当たり決定乱数判定テーブル１１８（非時短判定テーブル１１８ａ又は時短判定テーブル１１８ｂのいずれか）を選択し、当該選択したテーブルと、上述のステップ１５０３で所定の処理領域に記憶された当たり決定乱数とに基づいて、普通図柄の抽選の結果を導出する当選判定処理を実行する。具体的には、メインＣＰＵ１０１は、現在の遊技状態が非時短遊技状態である場合には、非時短判定テーブル１１８ａを参照して、所定の処理領域に記憶された当たり決定乱数を判定する。これに対して、現在の遊技状態が時短遊技状態である場合には、時短判定テーブル１１８ｂを参照して、所定の処理領域に記憶された当たり決定乱数を判定する。そして、次のステップ１５０５に進む。
ステップ１５０５において、メインＣＰＵ１０１は、上述のステップ１５０４における当選判定処理の結果が当たりであるか否かを判定する。そして、当たりでない（すなわち、ハズレ）と判定した場合、ステップ１５０７に進む。一方、当たりであると判定した場合、次のステップ１５０６に進む。
【０１８３】
ステップ１５０６において、メインＣＰＵ１０１は、当たり図柄データをメインＲＡＭ１０３の所定の普図記憶領域に記憶する。そして、ステップ１５０８に進む。
また、上述のステップ１５０５で当選判定処理の結果が当たりでないと判定した場合に進むステップ１５０７において、メインＣＰＵ１０１は、ハズレ図柄データをメインＲＡＭ１０３の所定の普図記憶領域に記憶する。そして、次のステップ１５０８に進む。
【０１８４】
ステップ１５０８において、メインＣＰＵ１０１は、現時点の遊技状態が、非時短遊技状態又は時短遊技状態のいずれに設定されているかを確認するとともに、普通図柄変動パターン決定テーブル１１９を参照して、現時点の遊技状態に応じた普通図柄の変動時間を普図変動時間タイマカウンタにセットする。具体的には、メインＣＰＵ１０１は、現時点の遊技状態が非時短遊技状態である場合には、普図変動時間タイマカウンタに「３秒」をセットし、時短遊技状態である場合には、普図変動時間タイマカウンタに「０．６秒」をセットする。そして、次のステップ１５０９に進む。
ステップ１５０９において、メインＣＰＵ１０１は、普通図柄の変動表示を開始するための変動表示データをセットする。これにより、普通図柄表示装置３２が点滅表示を開始する。また、本形態に係るパチンコ機Ｐでは、当たり決定乱数が普図保留記憶領域に記憶されている場合には、普図保留数を認識できる態様で普通図柄保留表示装置３３が表示されるようになっている。そして、普通図柄の変動表示が行われる場合には、当該変動表示の開始と同時に、普図保留数が１つ減ることを示すように、普通図柄保留表示装置３３が表示制御される。そして、次のステップ１５１０に進む。
【０１８５】
ステップ１５１０において、メインＣＰＵ１０１は、現時点の遊技状態を変動開始時の遊技状態として遊技状態バッファに記憶する。そして、次のステップ１５１１に進む。
ステップ１５１１において、メインＣＰＵ１０１は、普図関連制御処理において普通図柄変動停止処理が実行されるように、普図実行フェーズデータに「１１」をセットする。そして、普通図柄変動開始処理を終了する。
【０１８６】
次に、上述したステップ１４０２の普通図柄変動停止処理について、図３３のフローチャートを参照して説明する。
ステップ１６００において、メインＣＰＵ１０１は、普図実行フェーズデータが普通図柄変動停止処理の実行を示すデータ「１１」であるか否かを判定する。そして、普図実行フェーズデータが「１１」でないと判定した場合、普通図柄変動停止処理を終了する。一方、普図実行フェーズデータが「１１」であると判定した場合、次のステップ１６０１に進む。
ステップ１６０１において、メインＣＰＵ１０１は、上述のステップ１５０８で普図変動時間タイマカウンタにセットされた普通図柄の変動時間が経過したか否かを判定する。そして、当該変動時間が経過していないと判定した場合、普通図柄変動停止処理を終了する。一方、当該変動時間が経過したと判定した場合、次のステップ１６０２に進む。
【０１８７】
ステップ１６０２において、メインＣＰＵ１０１は、普通図柄を普通図柄表示装置３２に停止表示するための停止表示データをセットし、普通図柄の停止表示を実行する。そして、次のステップ１６０３に進む。
ステップ１６０３において、メインＣＰＵ１０１は、普通図柄を停止表示する普図停止表示時間を普図停止表示時間タイマカウンタにセットする。そして、次のステップ１６０４に進む。
【０１８８】
ステップ１６０４において、メインＣＰＵ１０１は、普図関連制御処理において普通図柄停止後処理が実行されるように、普図実行フェーズデータに「１２」をセットする。そして、普通図柄変動停止処理を終了する。
【０１８９】
次に、上述したステップ１４０３の普通図柄停止後処理について、図３４のフローチャートを参照して説明する。
ステップ１７００において、メインＣＰＵ１０１は、普図実行フェーズデータが普通図柄停止後処理の実行を示すデータ「１２」であるか否かを判定する。そして、普図実行フェーズデータが「１２」でないと判定した場合、普通図柄停止後処理を終了する。一方、普図実行フェーズデータが「１２」であると判定した場合、次のステップ１７０１に進む。
ステップ１７０１において、メインＣＰＵ１０１は、上述のステップ１６０３で普図停止表示時間タイマカウンタにセットされた普図停止表示時間が経過したか否かを判定する。そして、当該普図停止表示時間が経過していないと判定した場合、普通図柄停止後処理を終了する。一方、当該普図停止表示時間が経過したと判定した場合、次のステップ１７０２に進む。
【０１９０】
ステップ１７０２において、メインＣＰＵ１０１は、停止表示されている普通図柄が当たり図柄であるか否かを判定する。そして、停止表示されている普通図柄が当たり図柄でない（すなわち、ハズレ図柄である）と判定した場合、ステップ１７０４に進む。一方、停止表示されている普通図柄が当たり図柄であると判定した場合、次のステップ１７０３に進む。
ステップ１７０３において、メインＣＰＵ１０１は、普図関連制御処理において可動片制御処理が実行されるように、普図実行フェーズデータに「１３」をセットする。そして、普通図柄停止後処理を終了する。
【０１９１】
また、上述のステップ１７０２で停止表示されている普通図柄が当たり図柄でないと判定した場合に進むステップ１７０４において、メインＣＰＵ１０１は、普図関連制御処理において普通図柄変動開始処理が実行されるように、普図実行フェーズデータに「１０」をセットする。そして、普通図柄停止後処理を終了する。
【０１９２】
次に、上述したステップ１４０４の可動片制御処理について、図３５のフローチャートを参照して説明する。
ステップ１８００において、メインＣＰＵ１０１は、普図実行フェーズデータが可動片制御処理の実行を示すデータ「１３」であるか否かを判定する。そして、普図実行フェーズデータが「１３」でないと判定した場合、可動片制御処理を終了する。一方、普図実行フェーズデータが「１３」であると判定した場合、次のステップ１８０１に進む。
ステップ１８０１において、メインＣＰＵ１０１は、可動片１６ｂが作動制御中であるか否か、すなわち、始動入賞口ソレノイド１６ｃが通電されているか否かを判定する。そして、可動片１６ｂが作動制御中であると判定した場合、ステップ１８０４に進む。一方、可動片１６ｂが作動制御中でないと判定した場合、次のステップ１８０２に進む。
【０１９３】
ステップ１８０２において、メインＣＰＵ１０１は、普通図柄の変動開始時の遊技状態が、非時短遊技状態又は時短遊技状態のいずれであったかを確認する。そして、次のステップ１８０３に進む。
ステップ１８０３において、メインＣＰＵ１０１は、第２始動入賞口開放制御テーブル１２０を参照し、上述のステップ１８０２で確認した遊技状態に応じて、始動入賞口ソレノイド１６ｃの通電制御データ（開放データ）として、通電回数（開放回数）及び通電時間（開放時間）をセットする。そして、可動片制御処理を終了する。
【０１９４】
また、上述のステップ１８０１で可動片１６ｂが作動制御中であると判定した場合に進むステップ１８０４において、メインＣＰＵ１０１は、上述のステップ１８０３でセットされた通電時間（開放時間）を経過したか否かを判定する。そして、通電時間（開放時間）を経過していないと判定した場合、可動片制御処理を終了する。一方、通電時間（開放時間）を経過したと判定した場合、次のステップ１８０５に進む。
ステップ１８０５において、メインＣＰＵ１０１は、可動片１６ｂの作動の停止、すなわち、始動入賞口ソレノイド１６ｃの通電の停止を実行する。そして、次のステップ１８０６に進む。
【０１９５】
ステップ１８０６において、メインＣＰＵ１０１は、普図関連制御処理において普通図柄変動開始処理が実行されるように、普図実行フェーズデータに「１０」をセットする。そして、可動片制御処理を終了する。
【０１９６】
（パチンコ機Ｐにおける演出の概要）
以上のように、主制御基板１００において各種処理が実行されることにより、特図遊技、普図遊技及び特別遊技が進行することとなる。そして、これら遊技の進行中には、主制御基板１００から種々のコマンドを副制御基板３００に送信し、このコマンドを副制御基板３００が受信することにより、当該副制御基板３００が、遊技の進行に伴う演出の制御を実行する。
以下では、特別図柄の変動表示中に実行され、大当たりの抽選の結果を報知する変動演出、保留の記憶に基づいて所定態様での表示を行う保留表示演出、変動演出中に実行され、大当たりの当選の期待度を示唆する示唆演出、実行される示唆演出を報知する特定演出について説明する。なおここでは、遊技状態が非時短遊技状態（すなわち、通常遊技状態）である場合の各演出の内容について説明し、遊技状態が時短遊技状態（すなわち、高確率時短遊技状態）である場合の各演出の内容については説明を省略する。
【０１９７】
（変動演出の概要）
本形態に係るパチンコ機Ｐで実行される変動演出では、演出表示装置２１に表示される背景画像に重ねて、演出図柄５０（ダミー図柄）の変動表示が行われる。そして、変動表示した後に停止表示された演出図柄５０の組み合わせ（停止表示態様）により、大当たりの抽選の結果が遊技者に報知されるようになっている。
ここで、本形態に係るパチンコ機Ｐでは、変動演出の前半部分の態様として、特別図柄の変動表示の開始とともに演出図柄５０の変動表示の前半部分が開始される通常パターンと、特別図柄の変動表示が開始されるとまず特殊演出が実行され、当該特殊演出の終了とともに演出図柄５０の変動表示の前半部分が開始される特殊パターンとが設けられている。
そして、通常パターンにより変動演出の前半部分が実行される場合、具体的には、０秒の特殊演出時間が定められた前半変動時間が決定された場合（「００Ｈ」、「０１Ｈ」、「０２Ｈ」又は「０３Ｈ」」の変動モード番号が決定された場合）には、特別図柄の変動表示の開始と同時に、すべての演出図柄５０の変動表示が開始される（図３６（ａ）及び（ｂ）、図３７（ａ）及び（ｂ）等参照）。一方、特殊パターンにより変動演出の前半部分が実行される場合、具体的には、「４秒」の特殊演出時間が定められた前半変動時間が決定された場合（「０５Ｈ」又は「０６Ｈ」の変動モード番号が決定された場合）には、特別図柄の変動表示が開始されてから４秒経過後に、すべての演出図柄５０の変動表示が開始され（図３９参照）、「８秒」の特殊演出時間が定められた前半変動時間が決定された場合（「０７Ｈ」の変動モード番号が決定された場合）には、特別図柄の変動表示が開始されてから８秒経過後に、すべての演出図柄５０の変動表示が開始される（図４１参照）。
なお、図中の下向き矢印は、演出図柄５０が上方から下方へ向けてスクロールする表示がなされていることを示す。また、本明細書においては、通常パターンにおける特別図柄の変動表示の開始とともに開始される演出図柄５０の変動表示、及び、特殊パターンにおける特殊演出の終了とともに開始される演出図柄５０の変動表示を「本変動」というものとする。また、変動演出の前半部分に対応する本変動を「前半本変動」、変動演出の後半部分に対応する本変動を「後半本変動」というものとする。
【０１９８】
その後、左側に位置する演出図柄５０（以下、第１停止図柄という）、右側に位置する演出図柄５０（以下、第２停止図柄という）、中央に位置する演出図柄５０（以下、第３停止図柄）という順番で停止表示される（図３６（ｃ）〜（ｅ）及び図３７（ｃ）〜（ｅ）参照）。
そして、大当たりの抽選の結果が大当たりであった場合には、すべての演出図柄５０が同一の図柄で停止表示される（図３７（ｅ）参照）。すなわち、すべての演出図柄５０が同一の図柄で停止表示されることにより、大当たりの抽選の結果が大当たりであることが報知される。
これに対して、大当たりの抽選の結果がハズレであった場合には、すべての演出図柄５０が同一の図柄で停止表示されることはない（図３６（ｅ）参照）。すなわち、少なくとも一の演出図柄５０が他の演出図柄５０とは異なる図柄で停止表示されることにより、大当たりの抽選の結果がハズレであることが報知される。
【０１９９】
また、第３停止図柄は、第１特別図柄表示装置３０又は第２特別図柄表示装置３１に特別図柄が停止表示するのとほぼ同時に停止表示されるようになっている。これにより、演出図柄５０の停止表示に先んじて、第１特別図柄表示装置３０又は第２特別図柄表示装置３１に特別図柄が停止表示され、特別図柄の種別で大当たりの抽選の結果が把握されてしまうことを防止している。
【０２００】
また、前半本変動（変動演出の前半部分における演出図柄５０の変動表示）の態様としては、第１停止図柄と第２停止図柄とが異なる図柄で停止表示される（以下、リーチなし表示という）リーチなし変動パターン（図３６（ｄ）参照）と、第１停止図柄と第２停止図柄とが同一の図柄で停止表示される（以下、リーチ表示という）リーチ変動パターン（図３７（ｄ）参照）とが設けられている。なお、リーチ変動パターンにおいては、第１停止図柄と第２停止図柄とが同一の図柄で停止表示されるリーチ表示を行わず、当該リーチ表示を行う代わりにリーチが発生した旨を所定の画像を表示することにより報知するようにしてもよい。
本形態に係るパチンコ機Ｐでは、受信した変動モードコマンドに対応する変動モード番号が「００Ｈ」又は「０１Ｈ」であった場合にリーチなし変動パターンにより前半本変動が実行され、「００Ｈ」及び「０１Ｈ」以外であった場合にリーチ変動パターンにより前半本変動が実行される。なお、大当たりの抽選の結果が大当たりであった場合には必ず、リーチ変動パターンにより前半本変動が実行される（図９参照）。
【０２０１】
また、リーチなし変動パターンやリーチ変動パターンには複数種類の態様が設けられており、演出図柄５０の変動の仕方、第１停止図柄及び第２停止図柄の種類等が種々設定されている。
たとえば、リーチ変動パターンとしては、所定時間の変動表示が行われた後にすべての演出図柄５０が所定の停止表示態様で仮停止し、その後変動表示を再開するという態様の演出（以下、擬似変動という）が所定回数実行され、その後にリーチ表示がなされる態様（いわゆる擬似連）等が設けられている。また、各リーチ変動パターンについては、大当たりに当選した場合に実行される可能性の高低がそれぞれ別個に設定されている。これにより、実行されるリーチ変動パターンに応じて、大当たりに対する遊技者の期待感を変化させることができるようになっている。
なおここで、本形態に係るパチンコ機Ｐでは、「０７Ｈ」の変動モード番号が決定されると、「０８Ｈ」又は「Ａ８Ｈ」の変動パターン番号が決定されるようになっており（図８〜図１０参照）、この場合には、後述する特定演出が実行されるようになっている。そして、この場合（「０７Ｈ」の変動モード番号が決定された場合）には必ず、１０秒間の擬似変動が３回行われる擬似連のリーチ変動パターンにより前半本変動が実行されるようになっている（図４７参照）。
【０２０２】
また、前半本変動の態様としてリーチなし変動パターンが実行された場合における後半本変動（変動演出の後半部分）の態様には、第２停止図柄の停止表示後にそのまま第３停止図柄が停止表示されるノーマルハズレパターンが設けられている（図３６参照）。
本形態に係るパチンコ機Ｐでは、受信した変動パターンコマンドに対応する変動パターン番号が「００Ｈ」、「０１Ｈ」、「０２Ｈ」、「０３Ｈ」又は「０４Ｈ」であった場合にはノーマルハズレパターンにより後半本変動が実行される。
また、ノーマルハズレパターンの態様には複数種類設けられており、第３停止図柄の種類等が種々設定されている。
【０２０３】
また、前半本変動の態様としてリーチ変動パターンが実行された場合における後半本変動の態様には、リーチ表示後に演出表示装置２１に所定の発展演出画像等（たとえば、演出図柄５０が次々と破壊されていくような動画等）を表示するリーチ発展演出を行う発展ありパターン（図３８参照）と、リーチ表示後にリーチ発展演出が実行されることなく、大当たりの抽選の結果を報知する発展なしパターン（図３７参照）とが設けられている。
本形態に係るパチンコ機Ｐでは、受信した変動パターンコマンドに対応する変動パターン番号が「０５Ｈ」であった場合に発展なしパターンにより後半本変動が実行され、当該変動パターン番号が「０６Ｈ」、「０７Ｈ」、「０８Ｈ」、「Ａ６Ｈ」、「Ａ７Ｈ」又は「Ａ８Ｈ」であった場合に発展ありパターンにより後半本変動が実行される。
【０２０４】
また、発展なしパターン及び発展ありパターンの態様には複数種類設けられており、発展演出画像の種類等が種々設定されている。
たとえば、発展ありパターンとして、所定の動画（たとえば、所定のキャラクター同士が対戦する動画等）が表示され、当該動画の最終表示内容（たとえば、キャラクター同士の対戦の結果等）により大当たりの抽選の結果が報知される態様や、リーチ発展演出中に、より大当たりの期待度の高い発展演出画像の表示に切り替わる（いわゆるリーチアップ演出が行われる）態様等が設けられている。また、各発展ありパターンについては、大当たりに当選した場合に実行される可能性の高低がそれぞれ別個に設定されている。これにより、実行される発展ありパターンに応じて、大当たりに対する遊技者の期待感を変化させることができるようになっている。
【０２０５】
また、変動演出においては、画像の表示のみならず、画像の表示に併せて、音声出力装置１０（スピーカ）から所定のＢＧＭや音声等を出力してもよいし、演出照明装置２３（ランプ）を所定の点灯パターンや色で発光させてもよい。また、カットイン画像や発展演出画像の表示中の所定の期間内に、演出操作装置９（操作ダイヤル９ａ、操作ボタン９ｂ）が操作されることにより、他の画像が表示されるようにしてもよい。
【０２０６】
またここで、本形態に係るパチンコ機Ｐで実行される変動演出の前半部分の態様として、特殊パターンが設けられており、この特殊パターンが決定された場合（すなわち、「０５Ｈ」、「０６Ｈ」又は「０７Ｈ」の変動モード番号が決定された場合）には、特殊演出が実行されるようになっている。
この特殊演出は、特別図柄の変動表示が開始されるとともに開始され、変動モード番号に対応する前半変動時間に定められた特殊演出時間（「０５Ｈ」又は「０６Ｈ」の変動モード番号の場合には４秒、「０７Ｈ」の変動モード番号の場合には８秒）が経過すると終了する。そして、上述の如く、この特殊演出の終了とともに、本変動（演出図柄５０の変動表示）が開始される。
【０２０７】
「０５Ｈ」又は「０６Ｈ」の変動モード番号が決定された場合には、特殊演出として、演出表示装置２１の表示部２１ａに表示される演出図柄５０及び背景画像全てが消去され、表示部２１ａの全面が黒色表示されるブラックアウト演出が４秒間実行される（図３９参照）。
また、「０７Ｈ」の変動モード番号が決定された場合（「０８Ｈ」又は「Ａ８Ｈ」の変動パターン番号が決定された場合）には、上述のように特定演出が実行されるようになっているが、この場合には、特殊演出として、この特定演出が実行される旨を報知する特定演出開始報知演出が８秒間実行される（図４６（ｅ）参照）。
なお、特殊演出としては、ブラックアウト演出や特定演出開始報知演出に限られるものではなく、所定の画像（静止画、動画）が表示される画像表示演出や、操作演出装置９による所定の操作が行われることにより所定の画像が表示される操作演出等を設けてもよい。
【０２０８】
また、特に図示していないが、本形態に係るパチンコ機Ｐでは、副制御基板３００のサブＲＯＭ３０２に、前半本変動の態様（リーチなし変動パターンの態様、リーチ変動パターンの態様、停止表示させる演出図柄５０の種類等）、及び、後半本変動の態様（発展なしパターンの態様、発展ありパターンの態様（発展演出画像の種類）等）を決定するための種々の変動演出決定テーブルが記憶されている。副制御基板３００のサブＣＰＵ３０１は、主制御基板１００から送信された変動モードコマンド及び変動パターンコマンドを受信することにより、所定の条件に応じた変動演出決定テーブルを選択するとともに、所定の数値範囲内（たとえば、０〜２４９）で演出乱数（前半変動演出乱数、後半変動演出乱数）を取得する。そして、選択された変動演出決定テーブル、主制御基板１００のメインＣＰＵ１０１から受信した変動モードコマンドに対応する変動モード番号、変動パターンコマンドに対応する変動パターン番号及び取得された演出乱数（前半変動演出乱数、後半変動演出乱数）に基づいて、前半本変動の態様及び後半本変動の態様を決定する。
このように、本形態に係るパチンコ機Ｐでは、変動モードコマンドに基づいて変動演出の前半部分の態様（前半本変動の態様）が決定され、変動パターンコマンドに基づいて変動演出の後半部分の態様（後半本変動の態様）が決定されるようになっている。これにより、決定された態様に基づいた変動演出が、演出表示装置２１において実行されることとなる。
【０２０９】
また、本形態に係るパチンコ機Ｐでは、上述の如く、受信した変動モードコマンドに対応する変動モード番号が「００Ｈ」又は「０１Ｈ」であった場合にリーチなし変動パターンにより前半本変動が実行され、「００Ｈ」及び「０１Ｈ」以外であった場合にリーチ変動パターンにより前半本変動が実行される。また、受信した変動パターンコマンドに対応する変動パターン番号が「０５Ｈ」であった場合に発展なしパターンにより後半本変動が実行され、当該変動パターン番号が「０６Ｈ」、「０７Ｈ」、「０８Ｈ」、「Ａ６Ｈ」、「Ａ７Ｈ」又は「Ａ８Ｈ」であった場合に発展ありパターンにより後半本変動が実行される。
すなわち、本形態に係るパチンコ機Ｐでは、変動モード番号ごとに、前半本変動の態様（リーチなし変動パターン又はリーチ変動パターン）が一義的に決定され、変動パターン番号ごとに、後半本変動の態様（発展なしパターン又は発展ありパターン）が一義的に決定されるようになっている。
【０２１０】
ここで、大当たりの抽選の結果がハズレの場合には、上述の如く、変動パターン抽選テーブル１１４を決定するためのグループとして、第１グループ、第２グループ、第４グループ、第５グループ又は第６グループのいずれかが決定され、この決定されたグループに対応するハズレ用判定テーブル（リーチモード決定乱数判定テーブル１１３）に基づいて、変動モード番号と変動パターン抽選テーブル１１４とが決定される。
また、第１グループ又は第２グループのいずれかが決定された場合には、前半本変動の態様が必ずリーチなし変動パターンとなる変動モード番号が決定されるとともに、後半本変動の態様が必ずノーマルハズレパターンとなる変動パターン番号が定められた変動パターン抽選テーブル１１４が決定されるように、ハズレ用判定テーブルが設定されている。これに対して、第４グループが決定された場合には、前半本変動の態様が必ずリーチ変動パターンとなる変動モード番号が決定されるとともに、後半本変動の態様が必ず発展なしパターンとなる変動パターン番号が定められた変動パターン抽選テーブル１１４が決定されるように、ハズレ用判定テーブルが設定されている。また、第５グループ又は第６グループが決定された場合には、前半本変動の態様が必ずリーチ変動パターンとなる変動モード番号が決定されるとともに、後半本変動の態様が必ず発展ありパターンとなる変動パターン番号が定められた変動パターン抽選テーブル１１４が決定されるように、ハズレ用判定テーブルが設定されている。
そして、上述の如く、事前判定処理において第１グループ又は第２グループのいずれかのグループ種別が決定された場合には、変動開始時においても、第１グループ又は第２グループのいずれかのグループ種別が決定される。また、上述の事前判定処理において第４グループ、第５グループ又は第６グループのいずれかのグループ種別が決定された場合には、変動開始時においても、第４グループ、第５グループ又は第６グループのいずれかのグループ種別が決定される。
【０２１１】
また、大当たりに当選した場合には、前半本変動の態様が必ずリーチ変動パターンとなる変動モード番号が決定されるとともに、後半本変動の態様が必ず発展なしパターン又は発展ありパターンとなる変動パターン番号が定められた変動パターン抽選テーブル１１４が決定されるように、大当たり用判定テーブルが設定されている。
【０２１２】
したがって、上述の事前判定処理において、前半本変動の態様がリーチなし変動パターン、後半本変動の態様がノーマルハズレパターンとなる事前判定コマンドがセットされた保留（第１特図乱数）については、リーチなし変動パターンにより前半本変動が実行され、ノーマルハズレパターンにより後半本変動が実行されることとなる。また、前半本変動の態様がリーチ変動パターン、後半本変動の態様が発展なしパターンとなる事前判定コマンドがセットされた保留については、リーチ変動パターンにより前半本変動が実行され、発展なしパターンにより後半本変動が実行されることとなる。また、前半本変動の態様がリーチ変動パターン、後半本変動の態様が発展ありパターンとなる事前判定コマンドがセットされた保留については、リーチ変動パターンにより前半本変動が実行され、発展ありパターンにより後半本変動が実行されることとなる。
なお、上述したように、第４グループ、第５グループ又は第６グループには一義的に変動モード番号及び変動パターン抽選テーブル１１４が対応付けられているため、事前判定処理において第４グループ、第５グループ又は第６グループのいずれかのグループ種別が決定された場合には、事前判定処理時及び変動開始時のいずれの時点でも、同一の変動モード番号及び変動パターン番号が決定される。したがって、事前判定処理において、記憶された保留の変動モード番号が「０７Ｈ」（後述する特定演出が実行される変動モード番号）であると判定された場合には、当該保留に係る変動開始時にも「０７Ｈ」の変動モード番号が決定される。すなわち、事前判定処理において、記憶された保留について特定演出が実行されると判定された場合には、当該保留の変動演出中に特定演出が実行されることとなる。
【０２１３】
（保留表示演出の概要）
保留表示演出は、保留記憶がなされた場合や保留記憶が読み出された場合に、演出表示装置２１において、所定の表示態様で保留表示を行うものである。ここでは、第１特図乱数の保留記憶に基づく保留表示演出についてのみ説明するものとし、第２特図乱数の保留記憶に基づく保留表示演出については説明を省略する。
【０２１４】
図４０に示すように、本形態における演出表示装置２１の表示部２１ａには、第１特図乱数の保留表示領域５２が設けられている。そして、第１特図乱数について保留記憶がなされると、この保留表示領域５２に、保留記憶がなされた旨を示す保留表示が行われ、この保留表示により保留数が遊技者に報知されるようになっている。
具体的には、保留表示領域５２の左端部に、読み出された保留（すなわち、現時点における特別図柄の変動表示の対象である保留、以下、「当該保留」という。）を表示する読み出し保留表示部５２ａが設けられているとともに、読み出し保留表示部５２ａの右側に、記憶された保留を記憶順に表示する第１保留表示部５２ｂ、第２保留表示部５２ｃ、第３保留表示部５２ｄ、第４保留表示部５２ｅが設けられている。そして、第１保留表示部５２ｂ、第２保留表示部５２ｃ、第３保留表示部５２ｄ、第４保留表示部５２ｅの４つの保留表示部により第１特図保留数が示されるようになっている。
【０２１５】
ここで、本形態に係るパチンコ機Ｐにおいては、上述したように、主制御基板１００のメインＲＡＭ１０３に第１特図乱数を記憶する第１保留記憶領域が設けられているが、副制御基板３００のサブＲＡＭ３０３にも、第１特図乱数に係る大当たり情報、事前判定コマンドが有する変動モード番号及び変動パターン番号等の事前判定情報、保留表示の態様を示す保留情報が記憶される第１保留記憶領域が設けられている。
このサブＲＡＭ３０３に設けられる第１保留記憶領域には、第１記憶部〜第４記憶部の計４つの記憶部から構成されており、第１記憶部が第１保留表示部５２ａに対応し、以下、第２記憶部〜第４記憶部が、それぞれ第２保留表示部５２ｂ〜第４保留表示部５２ｄに対応している。そして、各記憶部に保留情報が記憶されると、対応する保留表示部５２において保留表示が行われる。また、第１記憶部に記憶された保留情報が読み出されると、当該保留情報がサブＲＡＭ３０３の所定の処理領域に記憶されるとともに、特別図柄の変動表示及び変動演出が開始される。そして、これに伴って、読み出し保留表示部５２ａにおいて当該保留（読み出された保留）を対象とする保留表示が行われる。
【０２１６】
たとえば、特別図柄の変動表示及び変動演出が実行されておらず第１特図保留数が「０」である場合には、読み出し保留表示部５２ａ、第１保留表示部５２ｂ、第２保留表示部５２ｃ、第３保留表示部５２ｄ、第４保留表示部５２ｅのいずれにも保留表示が行われていない。そして、この場合に保留記憶がなされると、第１記憶部に保留情報が記憶されるため、第１保留表示部５２ｂにおいて保留表示が行われる。その後、当該保留記憶が読み出されて特別図柄の変動表示及び変動演出が開始されると、第１保留表示部５２ｂにおける保留表示が読み出し保留表示部５２ａへシフトされて、読み出し保留表示部５２ａにおいて保留表示が行われるとともに、第１保留表示部５２ｂにおける保留表示が消去されることとなる。
また、特別図柄の変動表示及び変動演出の実行中であって第１特図保留数が「３」である場合には、第１記憶部〜第３記憶部に保留情報が記憶されることとなるため、読み出し保留表示部５２ａにおいて保留表示が行われるとともに、第１保留表示部５２ｂ、第２保留表示部５２ｃ、第３保留表示部５２ｄにおいて保留表示が行われる。その後、実行中の特別図柄の変動表示及び変動演出が終了し、第１記憶部における保留記憶が読み出されて、次の特別図柄の変動表示及び変動演出が開始されると、第１保留表示部５２ｂにおける保留表示が読み出し保留表示部５２ａへシフトされ、第２保留表示部５２ｃにおける保留表示が第１保留表示部５２ｂへシフトされ、第３保留表示部５２ｄにおける保留表示が第２保留表示部５２ｃへシフトされて、各保留表示部における保留表示が更新されるとともに、第３保留表示部５２ｄにおける保留表示が消去されることとなる。
【０２１７】
また、特に図示していないが、保留表示の表示態様として、白色の丸印が表示される態様、赤色の丸印が表示される態様、金色の丸印が表示される態様が設けられており、保留記憶がなされるといずれかの表示態様により保留表示が行われる。そして、これらの保留表示の表示態様については、大当たりに当選した場合に表示される可能性の高低がそれぞれ別個に設定されている。これにより、保留表示における態様に応じて、大当たりに対する遊技者の期待感を変化させることができるようになっている。
なお、保留表示の表示態様としては、上述の態様に限定されるものではなく、他の色の丸印が表示される態様としてもよいし、他の形（たとえば、星印、キャラクター等）が表示される態様としてもよい。また、変動演出の実行中に、保留表示の表示態様が、より大当たりの期待度の高い他の表示態様に切り替わる（いわゆる保留変化演出が行われる）ようにしてもよい。
【０２１８】
（示唆演出の概要）
示唆演出は、上述の如く、変動演出中に実行され、大当たりの当選の期待度を示唆するものである。
本形態に係るパチンコ機Ｐにおいては、示唆演出として、所定のカットイン画像が表示されるカットイン演出、所定の特殊映像が表示される特殊映像演出、役物演出装置２２が所定の演出実行位置まで可動するとともに役物ランプ２２ｃが所定の色で発光する役物作動演出、複数のキャラクターが会話を行う画像が表示される会話演出、所定の次回予告画像が表示される次回予告演出が設けられている。
【０２１９】
（カットイン演出の概要）
カットイン演出は、上述の如く、演出表示装置２１の表示部２１ａにおいて所定のカットイン画像（本形態では、「ＵＰ！」という文字画像）が表示されるものであり（図４１（ａ）参照）、前半本変動の態様がリーチ変動パターン、後半本変動の態様が発展ありパターンである変動演出中の所定タイミングにおいて実行される。
すなわち、変動モード番号が「０２Ｈ」、「０３Ｈ」、「０５Ｈ」、「０６Ｈ」又は「０７Ｈ」のいずれかであって、かつ変動パターン番号が「０６Ｈ」、「０７Ｈ」、「０８Ｈ」、「Ａ６Ｈ」、「Ａ７Ｈ」又は「Ａ８Ｈ」のいずれかである場合の変動演出中に実行される。なお、本形態に係るパチンコ機Ｐでは、「０６Ｈ」、「０７Ｈ」、「０８Ｈ」、「Ａ６Ｈ」、「Ａ７Ｈ」又は「Ａ８Ｈ」のいずれかの変動パターン番号が決定される場合には必ず、「０２Ｈ」、「０３Ｈ」、「０５Ｈ」、「０６Ｈ」又は「０７Ｈ」のいずれかの変動モード番号が決定されるため（図８〜図１０参照）、決定された変動パターン番号に基づいて、前半本変動の態様がリーチ変動パターン、後半本変動の態様が発展ありパターンである変動演出か否かを判定できることとなる。
【０２２０】
本形態に係るパチンコ機Ｐでは、特に図示していないが、カットイン演出の態様として、文字の色が白色のカットイン画像が表示されるカットインパターンＡと、文字の色が赤色のカットイン画像が表示されるカットインパターンＢとが設けられている。そして、リーチ発展演出の開始時に、いずれかのパターンによりカットイン演出が実行されるようになっている。
なお、カットイン演出の態様は、これらに限定されるものではなく、たとえば表示される文字が異なる態様や表示される画像の大きさが異なる態様等を設けてもよい。また、カットイン演出が実行されるタイミングは、リーチ発展演出の開始時のみに限定されるものではなく、他のタイミングとしてもよい。また、複数の実行タイミングを設けてもよい。
【０２２１】
なお、カットイン演出の実行の可否、及び、カットイン演出を実行する場合の態様は、変動演出の開始時点（すなわち、変動モードコマンド及び変動パターンコマンドを受信した時点）において、主制御基板１００から受信した変動パターンコマンドに応じた変動パターン番号に基づいて決定されるようになっている。
具体的には、副制御基板３００のサブＲＯＭ３０２には、図４２に示すように、カットイン演出の実行の可否、及び、カットイン演出を実行する場合の態様を決定するためのカットイン演出実行決定テーブル１２１が記憶されている。
カットイン演出実行決定テーブル１２１には、主制御基板１００のメインＣＰＵ１０１から受信する変動パターンコマンドに応じた変動パターン番号、及び、所定の数値範囲（本形態では０〜２４９）内で取得されるカットイン演出決定乱数ごとに対応付けられて、カットイン演出の実行の可否、及び、カットイン演出を実行する場合の態様（カットインパターンＡ又はカットインパターンＢ）が定められている。そして、副制御基板３００のサブＣＰＵ３０１が、主制御基板１００のメインＣＰＵ１０１から変動パターンコマンドを受信すると、当該サブＣＰＵ３０１は、所定の数値範囲（０〜２４９）から１のカットイン演出決定乱数を取得するとともに、変動パターン番号、取得したカットイン演出決定乱数及びカットイン演出実行決定テーブル１２１に基づいて、カットイン演出の実行の可否、及び、カットイン演出を実行する場合の態様が決定される。
【０２２２】
また、図４２において変動パターン番号とカットイン演出の実行の可否又はカットイン演出を実行する場合の態様が対応付けられた各選択領域に記された数字は、当該選択領域に割り振られた乱数の範囲（当該選択領域の選択比率）を示している。
本形態に係るパチンコ機Ｐでは、サブＣＰＵ３０１が受信した変動パターンコマンドに対応する変動パターン番号が「０６Ｈ」、「０７Ｈ」又は「０８Ｈ」であった場合（すなわち、ハズレの場合）よりも、「Ａ６Ｈ」、「Ａ７Ｈ」又は「Ａ８Ｈ」であった場合（すなわち、大当たりの場合）の方が、カットイン演出が実行される可能性が高くなるように設定されている。したがって、カットイン演出が実行された場合には、カットイン演出が実行されない場合よりも大当たりに対する期待度が高いこととなる。
また、変動パターン番号が「０６Ｈ」、「０７Ｈ」又は「０８Ｈ」であった場合よりも、「Ａ６Ｈ」、「Ａ７Ｈ」又は「Ａ８Ｈ」であった場合の方が、カットインパターンＢによるカットイン演出が実行される可能性が高くなるように設定されている。したがって、カットインパターンＢによるカットイン演出が実行された場合には、カットインパターンＡによるカットイン演出が実行された場合よりも大当たりに対する期待度が高いこととなる。
【０２２３】
（特殊映像演出の概要）
特殊映像演出は、上述の如く、演出表示装置２１の表示部２１ａにおいて所定の特殊映像が表示されるものであり（図４１（ｂ）参照）、前半本変動の態様がリーチ変動パターン、後半本変動の態様が発展ありパターンである変動演出中の所定タイミングにおいて実行される。
本形態に係るパチンコ機Ｐでは、特に図示していないが、特殊映像演出の態様として、一のキャラクターに関する映像が表示される特殊映像パターンＡと、複数のキャラクターに関する映像が表示される特殊映像パターンＢとが設けられている。そして、リーチ発展演出の開始から所定時間（本形態では１５秒）経過後に、いずれかのパターンにより特殊映像演出が実行されるようになっている。
なお、特殊映像演出の態様は、これらに限定されるものではなく、たとえば映像の表示時間が異なる態様等を設けてもよい。また、特殊映像演出が実行されるタイミングは、リーチ発展演出の開始から所定時間経過後のみに限定されるものではなく、他のタイミングを設けてもよい。また、複数の実行タイミングを設けてもよい。
【０２２４】
なお、特殊映像演出の実行の可否、及び、特殊映像演出を実行する場合の態様は、変動演出の開始時点（変動モードコマンド及び変動パターンコマンドを受信した時点）において、主制御基板１００から受信した変動パターンコマンドに応じた変動パターン番号に基づいて決定されるようになっている。
具体的には、副制御基板３００のサブＲＯＭ３０２には、図４３に示すように、特殊映像演出の実行の可否、及び、特殊映像演出を実行する場合の態様を決定するための特殊映像演出実行決定テーブル１２２が記憶されている。
特殊映像演出実行決定テーブル１２２には、主制御基板１００のメインＣＰＵ１０１から受信する変動パターンコマンドに応じた変動パターン番号、及び、所定の数値範囲（本形態では０〜２４９）内で取得される特殊映像演出決定乱数ごとに対応付けられて、特殊映像演出の実行の可否、及び、特殊映像演出を実行する場合の態様（特殊映像パターンＡ又は特殊映像パターンＢ）が定められている（図４３参照）。そして、副制御基板３００のサブＣＰＵ３０１が、主制御基板１００のメインＣＰＵ１０１から変動パターンコマンドを受信すると、当該サブＣＰＵ３０１は、所定の数値範囲（０〜２４９）から１の特殊映像演出決定乱数を取得するとともに、変動パターン番号、取得した特殊映像演出決定乱数及び特殊映像演出実行決定テーブル１２２に基づいて、特殊映像演出の実行の可否、及び、特殊映像演出を実行する場合の態様が決定される。
【０２２５】
また、図４３において変動パターン番号と特殊映像演出の実行の可否又は特殊映像演出を実行する場合の態様が対応付けられた各選択領域に記された数字は、上述と同様に、当該選択領域に割り振られた乱数の範囲（当該選択領域の選択比率）を示している。
本形態に係るパチンコ機Ｐでは、サブＣＰＵ３０１が受信した変動パターンコマンドに対応する変動パターン番号が「０６Ｈ」、「０７Ｈ」又は「０８Ｈ」であった場合（ハズレの場合）よりも、「Ａ６Ｈ」、「Ａ７Ｈ」又は「Ａ８Ｈ」であった場合（大当たりの場合）の方が、特殊映像演出が実行される可能性が高くなるように設定されている。したがって、特殊映像演出が実行された場合には、特殊映像演出が実行されない場合よりも大当たりに対する期待度が高いこととなる。
また、変動パターン番号が「０６Ｈ」、「０７Ｈ」又は「０８Ｈ」であった場合よりも、「Ａ６Ｈ」、「Ａ７Ｈ」又は「Ａ８Ｈ」であった場合の方が、特殊映像パターンＢによる特殊映像演出が実行される可能性が高くなるように設定されている。したがって、特殊映像パターンＢによる特殊映像演出が実行された場合には、特殊映像パターンＡによる特殊映像演出が実行された場合よりも大当たりに対する期待度が高いこととなる。
【０２２６】
（役物作動演出の概要）
役物作動演出は、上述の如く、役物演出装置２２が所定の演出実行位置まで可動するとともに役物ランプ２２ｃが所定の色で発光するものであり（図４１（ｃ）参照）、前半本変動の態様がリーチ変動パターン、後半本変動の態様が発展ありパターンである変動演出中における前半本変動の所定タイミングにおいて実行される。
本形態に係るパチンコ機Ｐでは、特に図示していないが、役物作動演出の態様として、役物ランプ２２ｃが白色で発光する役物作動パターンＡと、役物ランプ２２ｃが赤色で発光する役物作動パターンＢと、役物ランプ２２ｃが金色で発光する役物作動パターンＣとが設けられている。そして、前半本変動中の所定タイミングにおいて、いずれかのパターンにより役物作動演出が実行されるようになっている。
なお、役物作動演出の態様は、これらに限定されるものではなく、たとえば前半本変動中に、役物演出装置２２が複数回可動するとともに各可動時に役物ランプ２２ｃが異なる色で発光するような態様や、役物演出装置２２が所定の演出実行位置に停留する時間が異なる態様等を設けてもよい。
【０２２７】
なお、役物作動演出の実行の可否、並びに、役物作動演出を実行する場合の実行タイミング及び態様は、変動演出の開始時点（変動モードコマンド及び変動パターンコマンドを受信した時点）において、主制御基板１００から受信した変動モードコマンドに応じた変動モード番号、変動パターンコマンドに応じた変動パターン番号に基づいて決定されるようになっている。
具体的には、副制御基板３００のサブＲＯＭ３０２には、図４４に示すように、役物作動演出の実行の可否、並びに、役物作動演出を実行する場合の実行タイミング及び態様を決定するための役物作動演出実行決定テーブル１２３が記憶されている。そして、この役物作動演出実行決定テーブル１２３は、変動パターン番号が「０６Ｈ」、「０７Ｈ」、「Ａ６Ｈ」又は「Ａ７Ｈ」であった場合に参照される第１決定テーブル１２３ａ（図４４（ａ）参照）と、変動パターン番号が「０８Ｈ」又は「Ａ８Ｈ」であった場合に参照される第２決定テーブル１２３ｂ（図４４（ｂ）参照）と、を備えている。
【０２２８】
第１決定テーブル１２３ａ及び第２決定テーブル１２３ｂには、主制御基板１００のメインＣＰＵ１０１から受信する変動モードコマンドに応じた変動モード番号、変動パターンコマンドに応じた変動パターン番号、及び、所定の数値範囲（本形態では０〜２４９）内で取得される役物作動演出決定乱数ごとに対応付けられて、役物作動演出の実行の可否、並びに、役物作動演出を実行する場合の実行タイミング（前半本変動開始後５秒、前半本変動開始後１０秒、２回目の擬似変動開始時、３回目の擬似変動開始時）及び態様（役物作動パターンＡ、役物作動パターンＢ，役物作動パターンＣ）が定められている（図４４（ａ）及び（ｂ）参照）。そして、副制御基板３００のサブＣＰＵ３０１が、主制御基板１００のメインＣＰＵ１０１から変動モードコマンド及び変動パターンコマンドを受信すると、当該サブＣＰＵ３０１は、所定の数値範囲（０〜２４９）から１の役物作動演出決定乱数を取得するとともに、変動モード番号、変動パターン番号、取得した役物作動演出決定乱数及び変動パターン番号に対応する役物作動演出実行決定テーブル１２３に基づいて、役物作動演出の実行の可否、並びに、役物作動演出を実行する場合の実行タイミング及び態様が決定される。
【０２２９】
具体的には、図４４（ａ）に示すように、第１決定テーブル１２３ａによれば、サブＣＰＵ３０１が受信した変動モードコマンドに対応する変動モード番号が「０２Ｈ」又は「０３Ｈ」であって、変動パターンコマンドに対応する変動パターン番号が「０６Ｈ」、「０７Ｈ」、「Ａ６Ｈ」又は「Ａ７Ｈ」であった場合には、役物作動演出の非実行、前半本変動開始後５秒経過時における役物作動パターンＡ、役物作動パターンＢ又は役物作動パターンＣのいずれかによる役物作動演出の実行、或いは、前半本変動開始後１０秒経過時における役物作動パターンＡ、役物作動パターンＢ又は役物作動パターンＣのいずれかによる役物作動演出の実行が決定される。
また、図４４（ｂ）に示すように、第２決定テーブル１２３ｂによれば、サブＣＰＵ３０１が受信した変動モードコマンドに対応する変動モード番号が「０２Ｈ」又は「０３Ｈ」であって、変動パターンコマンドに対応する変動パターン番号が「０８Ｈ」又は「Ａ８Ｈ」であった場合には、役物作動演出の非実行、２回目の擬似変動開始時における役物作動パターンＡ、役物作動パターンＢ又は役物作動パターンＣのいずれかによる役物作動演出の実行、或いは、３回目の擬似変動開始時における役物作動パターンＡ、役物作動パターンＢ又は役物作動パターンＣのいずれかによる役物作動演出の実行が決定される。
【０２３０】
また、図４４（ａ）及び（ｂ）において、変動モード番号及び変動パターン番号と役物作動演出の実行の可否、並びに、役物作動演出を実行する場合の実行タイミング及び態様が対応付けられた各選択領域に記された数字は、上述と同様に、当該選択領域に割り振られた乱数の範囲（当該選択領域の選択比率）を示している。
【０２３１】
（会話演出、次回予告演出の概要）
会話演出は、上述の如く、複数のキャラクターが会話を行う画像が表示されるものであり（図４１（ｄ）参照）、次回予告演出は、上述の如く、所定の次回予告画像が表示されるものである（図４１（ｅ）参照）。そして、前半本変動の態様がリーチ変動パターン、後半本変動の態様が発展ありパターンである変動演出中における前半本変動の所定タイミングにおいて、会話演出又は次回予告演出のいずれか一方を実行可能となっている。
本形態に係るパチンコ機Ｐでは、特に図示していないが、会話演出の態様として、会話を示す文字の色が白色の会話パターンＡと、会話を示す文字の色が赤色の会話パターンＢと、会話を示す文字の色が金色の会話パターンＣとが設けられている。また、特に図示していないが、次回予告演出の態様として、一のキャラクターが示された次回予告画像が表示される次回予告パターンＡと、複数のキャラクターが示された次回予告画像が表示される次回予告パターンＢとが設けられている。そして、前半本変動中のいずれかのタイミングにおいて、会話パターンＡ、会話パターンＢ又は会話パターンＣによる会話演出、或いは、次回予告パターンＡ又は次回予告パターンＢによる次回予告演出のいずれかが実行されるようになっている。
なお、会話演出の態様は、これらに限定されるものではなく、たとえば会話の内容や会話を行うキャラクター等が異なる態様等を設けてもよい。また、次回予告演出の態様も、これらに限定されるものではなく、たとえば次回予告画像に表示されるキャラクター等が異なる態様や、次回予告画像の表示時間が異なる態様等を設けてもよい。
【０２３２】
なお、会話演出及び次回予告演出の実行の可否、並びに、会話演出又は次回予告演出を実行する場合の実行タイミング及び態様は、変動演出の開始時点（変動モードコマンド及び変動パターンコマンドを受信した時点）において、主制御基板１００から受信した変動モードコマンドに応じた変動モード番号、変動パターンコマンドに応じた変動パターン番号に基づいて決定されるようになっている。
具体的には、副制御基板３００のサブＲＯＭ３０２には、図４５に示すように、会話演出及び次回予告演出の実行の可否、並びに、会話演出又は次回予告演出を実行する場合の実行タイミング及び態様を決定するための会話・次回予告演出実行決定テーブル１２４が記憶されている。そして、この会話・次回予告演出実行決定テーブル１２４は、変動パターン番号が「０６Ｈ」、「０７Ｈ」、「Ａ６Ｈ」又は「Ａ７Ｈ」であった場合に参照される第１決定テーブル１２４ａ（図４５（ａ）参照）と、変動パターン番号が「０８Ｈ」又は「Ａ８Ｈ」であった場合に参照される第２決定テーブル１２４ｂ（図４５（ｂ）参照）と、を備えている。
【０２３３】
第１決定テーブル１２４ａ及び第２決定テーブル１２４ｂには、主制御基板１００のメインＣＰＵ１０１から受信する変動モードコマンドに応じた変動モード番号、変動パターンコマンドに応じた変動パターン番号、及び、所定の数値範囲（本形態では０〜２４９）内で取得される会話次回予告演出決定乱数ごとに対応付けられて、会話演出及び次回予告演出の実行の可否、並びに、会話演出又は次回予告演出を実行する場合の実行タイミング（前半本変動終了前３秒、３回目の擬似変動終了前３秒）及び態様（会話パターンＡ、会話パターンＢ、会話パターンＣ、次回予告パターンＡ、次回予告パターンＢ）が定められている（図４５（ａ）及び（ｂ）参照）。そして、副制御基板３００のサブＣＰＵ３０１が、主制御基板１００のメインＣＰＵ１０１から変動モードコマンド及び変動パターンコマンドを受信すると、当該サブＣＰＵ３０１は、所定の数値範囲（０〜２４９）から１の会話次回予告演出決定乱数を取得するとともに、変動モード番号、変動パターン番号、取得した会話次回予告演出決定乱数及び変動パターン番号に対応する会話・次回予告演出実行決定テーブル１２４に基づいて、会話演出及び次回予告演出の実行の可否、並びに、会話演出又は次回予告演出を実行する場合の実行タイミング及び態様が決定される。
【０２３４】
具体的には、図４５（ａ）に示すように、第１決定テーブル１２４ａによれば、サブＣＰＵ３０１が受信した変動モードコマンドに対応する変動モード番号が「０２Ｈ」又は「０３Ｈ」であって、変動パターンコマンドに対応する変動パターン番号が「０６Ｈ」、「０７Ｈ」、「Ａ６Ｈ」又は「Ａ７Ｈ」であった場合には、会話演出及び次回予告演出の非実行、前半本変動終了前３秒における会話パターンＡ、会話パターンＢ又は会話パターンＣのいずれかによる会話演出の実行、或いは、前半本変動終了前３秒における次回予告パターンＡ又は次回予告パターンＢのいずれかによる次回予告演出の実行が決定される。
また、図４５（ｂ）に示すように、第２決定テーブル１２４ｂによれば、サブＣＰＵ３０１が受信した変動モードコマンドに対応する変動モード番号が「０２Ｈ」又は「０３Ｈ」であって、変動パターンコマンドに対応する変動パターン番号が「０８Ｈ」又は「Ａ８Ｈ」であった場合には、会話演出及び次回予告演出の非実行、３回目の擬似変動終了前３秒における会話パターンＡ、会話パターンＢ又は会話パターンＣのいずれかによる会話演出の実行、或いは、３回目の擬似変動終了前３秒における次回予告パターンＡ又は次回予告パターンＢのいずれかによる次回予告演出の実行が決定される。
【０２３５】
また、図４５（ａ）及び（ｂ）において、変動モード番号及び変動パターン番号と会話演出及び次回予告演出の実行の可否、並びに、会話演出又は次回予告演出を実行する場合の実行タイミング及び態様が対応付けられた各選択領域に記された数字は、上述と同様に、当該選択領域に割り振られた乱数の範囲（当該選択領域の選択比率）を示している。
【０２３６】
（特定演出の概要）
特定演出は、上述の如く、実行される示唆演出に関する報知を行うものであり、具体的には、「０７Ｈ」の変動モード番号、及び、「０８Ｈ」又は「Ａ８Ｈ」の変動パターン番号が決定された場合の変動演出中に実行され、当該変動演出中に実行される示唆演出の種類を報知するものである。
なお、「０７Ｈ」の変動モード番号が決定された場合には、上述の如く、特殊演出として、特定演出が実行される旨を報知する特定演出開始報知演出が８秒間実行された後、１０秒間の擬似変動が３回行われる擬似連のリーチ変動パターンにより前半本変動が実行されるようになっている（図１１（ａ）、図４６及び図４７参照）。また、「０８Ｈ」又は「Ａ８Ｈ」の変動パターン番号が決定された場合には、後半変動時間が９０秒に設定された発展ありパターンにより後半本変動が実行されるようになっている（図１１（ｂ）参照）。
【０２３７】
この特定演出では、表示部２１ａの左部及び右部に、当該変動演出中に実行される示唆演出の種類を示すアイコン画像が所定個数（本形態では２個又は３個）表示され（図４７（ｂ）参照）、当該変動演出中においてアイコン画像に対応する示唆演出の実行タイミングに至ると、アイコン画像が消去されるとともに（図４７（ｃ）〜（ｅ）参照）、アイコン画像に対応する示唆演出（カットイン演出、特殊映像演出、役物作動演出、会話演出又は次回予告演出のいずれか）が実行される（図４７（ｃ）〜（ｅ）参照）。
このように、特定演出においては、表示されたアイコン画像により、当該変動演出中に実行される示唆演出の種類が報知されるようになっている。したがって、特定演出が実行されることにより、変動演出中において実行される示唆演出の内容を当該示唆演出が実行される前に把握することができるため、変動演出に対する遊技者の興趣を高めるとともに、大当たりの当選に対する期待感を高めることができるのである。
【０２３８】
以下、特定演出の実行の流れについて、より具体的に説明する。なおここでは、新たに記憶された保留に基づき、「０７Ｈ」の変動モード番号及び「０８Ｈ」の変動パターン番号が決定され、当該保留が読み出されることにより行われる変動演出において特定演出が実行されるとともに、当該特定演出により実行が報知される示唆演出の種類及び態様として、２回目の擬似変動開始時に実行される役物作動パターンＡによる役物演出、３回目の擬似変動終了前３秒の時点で実行される次回予告パターンＡによる次回予告演出、リーチ発展演出の開始時に実行されるカットインパターンＡによるカットイン演出の実行が決定された場合を例として、説明を行う。
【０２３９】
本形態に係るパチンコ機Ｐでは、事前判定処理により、新たに記憶された保留について「０７Ｈ」の変動モード番号及び「０８Ｈ」の変動パターン番号が決定されると判定された場合には、当該保留記憶がなされた時点から当該保留記憶が読み出されて変動演出が開始されるまでの間、特定演出の実行を期待させる煽り演出を実行可能となっている。煽り演出は、図４６（ｃ）及び（ｄ）に示すように、保留記憶がなされた時点から当該保留記憶に基づく変動演出の開始時点が近付くに連れて、次第に星の数が増えるような背景画像を表示部２１ａに表示するものである。
なお、本形態に係るパチンコ機Ｐでは、新たに記憶された保留について「０７Ｈ」の変動モード番号及び「０８Ｈ」の変動パターン番号が決定されると判定された場合であっても、上述の煽り演出が行われないこともあり、他の変動モード番号及び変動パターン番号が決定されると判定された場合に、上述の煽り演出が行われることもあるように設定されている。このように設定したことで、特定演出の実行の可否が把握困難となるため、常に特定演出の実行に対する期待感を抱かせることができるのである。
【０２４０】
そして、上述の保留記憶が読み出されて変動演出が開始されると、上述の如く、特殊演出として、特定演出が実行される旨を報知する特定演出開始報知演出が８秒間実行される。この特定演出開始報知演出は、図４６（ｅ）に示すように、特定演出の開始を報知する所定の画像（本形態では、「特殊ゾーン突入！！」という文字が表示された画像）を表示部２１ａに表示するものである。なお、特定演出開始報知演出においては、上述の所定の画像を表示するのみならず、役物演出装置２２が作動するようにしてもよい。
【０２４１】
その後、特定演出開始報知演出が終了し（変動演出が開始されてから８秒間が経過し）、変動演出において１回目の擬似変動（すなわち、前半本変動）が開始されると、特定演出の実行を示す特殊ゾーン画像が表示部２１ａに表示される（図４６（ｆ）参照）。そして、１回目の擬似変動中に獲得アイコン画像示唆演出が実行される。獲得アイコン画像示唆演出は、特定演出により実行が報知される示唆演出に対応するアイコン画像を示唆するものであり、１回目の擬似変動の開始時点で所定個数（本形態では４個）のアイコン画像が表示され、１回目の擬似変動の終了時点で、表示されているアイコン画像のうち、特定演出により報知される示唆演出に対応するアイコン画像のみが引き続き表示され、他のアイコン画像（特定演出により実行が報知されない示唆演出に対応するアイコン画像）は消去されるようになっている。
たとえば、図４７（ａ）に示すように、１回目の擬似変動の開始時点では、役物作動演出に対応するアイコン画像、カットイン演出に対応するアイコン画像、特殊映像演出に対応するアイコン画像、及び、次回予告演出に対応するアイコン画像が表示されるものの、ここでは、特定演出により実行が報知される示唆演出として、役物作動演出、カットイン演出及び次回予告演出が決定されているため、１回目の擬似変動の終了時点では、特殊映像演出に対応するアイコン画像は消去され、役物作動演出に対応するアイコン画像、カットイン演出に対応するアイコン画像、及び、次回予告演出に対応するアイコン画像が引き続き表示されることとなる（図４７（ｂ）参照）。
【０２４２】
そして、ここでは、上述したように、特定演出により実行が報知される示唆演出として、２回目の擬似変動開始時に実行される役物作動パターンＡによる役物作動演出が決定されているため、２回目の擬似変動が開始されると、役物作動演出に対応するアイコン画像が消去されるとともに、役物作動パターンＡによる役物作動演出が実行される（図４７（ｃ）参照）。
また、特定演出により実行が報知される示唆演出として、３回目の擬似変動終了前３秒の時点で実行される次回予告パターンＡによる次回予告演出が決定されているため、３回目の擬似変動が開始され当該時点に到達すると、次回予告演出に対応するアイコン画像が消去されるとともに、次回予告パターンＡによる次回予告演出が実行される（図４７（ｄ）参照）。
さらに、特定演出により実行が報知される示唆演出として、リーチ発展演出の開始時に実行されるカットインパターンＡによるカットイン演出が決定されているため、前半本変動が終了しリーチ発展演出（後半本変動）が開始されると、カットイン演出に対応するアイコン画像が消去されるとともに、カットインパターンＡによるカットイン演出が実行される（図４７（ｅ）参照）。そして、特定演出が終了する。
【０２４３】
（特定演出の実行に関する各種決定の概要）
次に、特定演出の実行に関する各種決定について説明する。
本形態に係るパチンコ機Ｐでは、上述の如く、「０７Ｈ」の変動モード番号（「０８」又は「Ａ８Ｈ」の変動パターン番号）が決定された場合に、特定演出が実行される。そして、特定演出が実行される場合には、当該特定演出により実行を報知する示唆演出の個数及び種類を決定した上で、獲得アイコン画像示唆演出の開始時（１回目の擬似変動の開始時）において表示するアイコン画像の種類を決定する。
【０２４４】
（特定演出により実行を報知する示唆演出の個数及び種類の決定の概要）
本形態に係るパチンコ機Ｐでは、上述の如く、変動開始時において各種示唆演出の実行（カットイン演出の実行、特殊映像演出の実行、役物作動演出の実行、会話演出又は次回予告演出の実行）の決定が行われる。この変動開始時における各種示唆演出の実行の決定（以下、通常決定という）は、特定演出が実行される場合においても行われるようになっているが、特定演出が実行される場合には、この通常決定が行われた後に、当該通常決定とは別個に、当該特定演出において実行を報知する示唆演出の個数、種類及び態様の決定（以下、特殊決定という）が行われるようになっている。
そして、特殊決定により決定された示唆演出については、特定演出において対応するアイコン画像が表示されることにより実行が報知され、当該示唆演出の実行タイミングに到達すると、上述のように、アイコン画像が消去されるとともに当該示唆演出が実行されるようになっている。これに対して、通常決定により決定された示唆演出については、特定演出において対応するアイコン画像が表示されることはないため、アイコン画像の表示により実行が報知されることはなく、当該示唆演出の実行タイミングに到達すると、当該示唆演出のみが実行されるようになっている。
【０２４５】
また、本形態に係るパチンコ機Ｐでは、同種の示唆演出について、通常決定及び特殊決定のいずれにおいても実行が決定された場合には、予め定められた優先順位に基づいていずれか一方の決定に基づく実行のみが行われるようになっている。具体的には、本形態に係るパチンコ機Ｐでは、特殊決定において決定された示唆演出を優先して実行するようになっている。
【０２４６】
たとえば、通常決定において役物作動パターンＡによる役物作動演出の実行が決定された後に、特殊決定において役物作動パターンＢによる役物作動演出の実行が決定された場合には、通常決定に基づく役物作動パターンＡによる役物作動演出は実行されることなく、特殊決定に基づく役物作動パターンＢによる役物作動演出が実行されることとなる。すなわち、特定演出において役物作動演出に対応するアイコン画像が表示され、当該役物作動演出の実行時点に到達すると、表示されている当該アイコン画像が消去されるとともに、役物作動パターンＢによる役物作動演出が実行される。
また、通常決定において会話パターンＢによる会話演出の実行が決定された後に、特殊決定において次回予告パターンＣによる次回予告演出の実行が決定された場合には、通常決定に基づく会話パターンＢによる会話演出は実行されることなく、特殊決定に基づく次回予告パターンＣによる次回予告演出が実行されることとなる。すなわち、特定演出において次回予告演出に対応するアイコン画像が表示され、当該次回予告演出の実行時点に到達すると、表示されている当該アイコン画像が消去されるとともに、次回予告パターンＣによる次回予告演出が実行される。
また、通常決定において特殊映像パターンＢによる特殊映像演出の実行が決定された後に、特殊決定において特殊映像パターンＢによる特殊映像演出の実行が決定された場合には、通常決定に基づく特殊映像パターンＢによる特殊映像演出は実行されることなく、特殊決定に基づく特殊映像パターンＢによる特殊映像演出が実行されることとなる。すなわち、特定演出において特殊映像演出に対応するアイコン画像が表示され、当該特殊映像演出の実行時点に到達すると、表示されている当該アイコン画像が消去されるとともに、特殊映像パターンＢによる特殊映像演出が実行される。
【０２４７】
これに対して、通常決定においてカットインパターンＡによるカットイン演出の実行が決定されたものの、特殊決定においてはカットイン演出の実行が決定されなかった場合には、通常決定に基づくカットインパターンＡによるカットイン演出が実行されることとなる。すなわち、特定演出においてはカットイン演出に対応するアイコン画像が表示されることはなく、当該カットイン演出の実行時点に到達すると、カットインパターンＡによるカットイン演出が実行される。
【０２４８】
このように、本形態に係るパチンコ機Ｐにおいては、特定演出が実行される場合には、通常決定及び特殊決定の両方で示唆演出の実行が決定され、特殊決定において実行が決定された示唆演出が優先して実行されるようになっている。したがって、示唆演出の実行の機会を増やしつつ、特定演出においてアイコン画像の表示による示唆演出の報知を実行しやすくすることができ、演出効果を向上させることができるのである。
【０２４９】
そして、副制御基板３００のサブＲＯＭ３０２には、図４８に示すように、特殊決定において、特定演出により実行を報知する示唆演出の個数、種類及び態様を決定するための特殊決定テーブル１２５が記憶されている。
この特殊決定テーブル１２５には、主制御基板１００のメインＣＰＵ１０１から受信する変動パターンコマンドに応じた変動パターン番号、及び、所定の数値範囲（本形態では０〜２４９）内で取得される特殊決定乱数ごとに対応付けられて、特定演出により実行を報知する示唆演出の種類及び態様が定められている（図４８参照）。そして、副制御基板３００のサブＣＰＵ３０１が、主制御基板１００のメインＣＰＵ１０１から変動パターンコマンドを受信すると、当該サブＣＰＵ３０１は、所定の数値範囲（０〜２４９）から１の特殊決定乱数を取得するとともに、変動パターン番号、取得した特殊決定乱数、及び、特殊決定テーブル１２５に基づいて、特定演出により実行を報知する示唆演出の種類及び態様が決定される。
【０２５０】
図４８に示すように、この特殊決定テーブル１２５によれば、変動パターン番号が「０８Ｈ」又は「Ａ８Ｈ」のいずれの場合であっても、特定演出により実行を報知する示唆演出として、カットインパターンＢにより実行されるカットイン演出と３回目の擬似変動開始時に役物作動パターンＣにより実行される役物作動演出の２個が定められたパターン、カットインパターンＢにより実行されるカットイン演出と会話パターンＣにより実行される会話演出の２個が定められたパターン、カットインパターンＢにより実行されるカットイン演出と次回予告パターンＢにより実行される次回予告演出の２個が定められたパターン、３回目の擬似変動開始時に役物作動パターンＣにより実行される役物作動演出と会話パターンＣにより実行される会話演出の２個が定められたパターン、３回目の擬似変動開始時に役物作動パターンＣにより実行される役物作動演出と次回予告パターンＢにより実行される次回予告演出の２個が定められたパターン、カットインパターンＢにより実行されるカットイン演出と特殊映像パターンＢにより実行される特殊映像演出と３回目の擬似変動開始時に役物作動パターンＣにより実行される役物作動演出の３個が定められたパターン、カットインパターンＢにより実行されるカットイン演出と特殊映像パターンＢにより実行される特殊映像演出と会話パターンＣにより実行される会話演出の３個が定められたパターン、カットインパターンＢにより実行されるカットイン演出と特殊映像パターンＢにより実行される特殊映像演出と次回予告パターンＢにより実行される次回予告演出の３個が定められたパターン、特殊映像パターンＢにより実行される特殊映像演出と３回目の擬似変動開始時に役物作動パターンＣにより実行される役物作動演出と会話パターンＣにより実行される会話演出の３個が定められたパターン、特殊映像パターンＢにより実行される特殊映像演出と３回目の擬似変動開始時に役物作動パターンＣにより実行される役物作動演出と次回予告パターンＢにより実行される次回予告演出の３個が定められたパターンのいずれかが決定される。
【０２５１】
なお、図４８において、変動パターン番号と特定演出により実行を報知する示唆演出の種類とが対応付けられた各選択領域に記された数字は、上述と同様に、当該選択領域に割り振られた乱数の範囲（当該選択領域の選択比率）を示している。
【０２５２】
（獲得アイコン画像示唆演出の開始時において表示するアイコン画像の種類の決定）
本形態に係るパチンコ機Ｐでは、上述の如く、特殊決定において、特定演出により実行を報知する示唆演出の個数、種類及び態様を決定した上で、獲得アイコン画像示唆演出の開始時（１回目の擬似変動の開始時）において表示するアイコン画像の種類を決定する。
具体的には、副制御基板３００のサブＲＯＭ３０２には、図４９に示すように、獲得アイコン画像示唆演出の開始時において表示するアイコン画像を決定するための開始時アイコン画像決定テーブル１２６が記憶されている。
この開始時アイコン画像決定テーブル１２６には、特殊決定において決定された特定演出により実行を報知する示唆演出の種類、及び、所定の数値範囲（本形態では０〜２４９）内で取得されるアイコン決定乱数ごとに対応付けられて、獲得アイコン画像示唆演出の開始時において表示するアイコン画像の種類が定められている（図４９参照）。そして、特殊決定において上述の示唆演出が決定されると、サブＣＰＵ３０１は、所定の数値範囲（０〜２４９）から１のアイコン決定乱数を取得するとともに、取得したアイコン決定乱数、及び、開始時アイコン画像決定テーブル１２６に基づいて、獲得アイコン画像示唆演出の開始時において表示するアイコン画像の種類が決定される。
【０２５３】
図４９に示すように、この開始時アイコン画像決定テーブル１２６によれば、獲得アイコン画像示唆演出の開始時において表示するアイコン画像として、カットイン演出に対応するアイコン画像、特殊映像演出に対応するアイコン画像、役物作動演出に対応するアイコン画像、会話演出に対応するアイコン画像が定められた第１表示パターン、カットイン演出に対応するアイコン画像、特殊映像演出に対応するアイコン画像、役物作動演出に対応するアイコン画像、次回予告演出に対応するアイコン画像が定められた第２表示パターン、カットイン演出に対応するアイコン画像、特殊映像演出に対応するアイコン画像、会話演出に対応するアイコン画像、次回予告演出に対応するアイコン画像が定められた第３表示パターン、カットイン演出に対応するアイコン画像、役物作動演出に対応するアイコン画像、会話演出に対応するアイコン画像、次回予告演出に対応するアイコン画像が定められた第４表示パターン、特殊映像演出に対応するアイコン画像、役物作動演出に対応するアイコン画像、会話演出に対応するアイコン画像、次回予告演出に対応するアイコン画像が定められた第５表示パターンのいずれかが決定される。
【０２５４】
なお、図４９において、特定演出により実行を報知する示唆演出と獲得アイコン画像示唆演出の開始時において表示するアイコン画像とが対応付けられた各選択領域に記された数字は、上述と同様に、当該選択領域に割り振られた乱数の範囲（当該選択領域の選択比率）を示している。
【０２５５】
（煽り演出の実行可否の決定の概要）
本形態に係るパチンコ機Ｐでは、新たな保留記憶がなされた時点において、主制御基板１００から取得する事前判定コマンドに含まれる変動モード番号に基づいて、特定演出の実行を期待させる煽り演出の実行の可否が決定されるようになっている。
具体的には、副制御基板３００のサブＲＯＭ３０２には、図５０に示すように、煽り演出の実行の可否を決定するための煽り演出実行決定テーブル１２７が記憶されている。
煽り演出実行決定テーブル１２７には、主制御基板１００のメインＣＰＵ１０１から受信する事前判定コマンドに含まれる変動モード番号、及び、所定の数値範囲（本形態では０〜２４９）内で取得される煽り演出決定乱数ごとに対応付けられて、煽り演出の実行の可否が定められている。そして、副制御基板３００のサブＣＰＵ３０１が、主制御基板１００のメインＣＰＵ１０１から事前判定コマンドを受信すると、当該サブＣＰＵ３０１は、所定の数値範囲（０〜２４９）から１の煽り演出決定乱数を取得するとともに、取得した煽り演出決定乱数及び煽り演出実行決定テーブル１２７に基づいて、煽り演出の実行の可否が決定される。
【０２５６】
また、図５０において、変動モード番号と煽り演出の実行の可否とが対応付けられた各選択領域に記された数字は、上述と同様に、当該選択領域に割り振られた乱数の範囲（当該選択領域の選択比率）を示している。
本形態に係るパチンコ機Ｐでは、サブＣＰＵ３０１が受信した事前判定コマンドに対応する変動モード番号が、「０５Ｈ」又は「０６Ｈ」であった場合よりも「０７Ｈ」であった場合の方が、煽り演出が実行される可能性が高くなるように設定されている。したがって、煽り演出が実行された場合には、煽り演出が実行されない場合よりも特定演出の実行に対する期待度が高いこととなる。
【０２５７】
次に、上述のような各種処理を実行するための副制御基板３００における制御処理について説明する。
まず、副制御基板３００のメイン処理について、図５１に示すフローチャートを参照して説明する。
ステップ２０００において、電源投入に応じて、サブＲＯＭ３０２からメイン処理プログラムを読み込むとともに、サブＲＡＭ３０３に記憶されるフラグなどの初期化、設定処理を実行する。そして、次のステップ２００１に進む。
ステップ２００１において、サブＣＰＵ３０１は、各演出乱数（前半変動演出乱数、後半変動演出乱数、カットイン演出決定乱数、特殊映像演出決定乱数、役物作動演出決定乱数、会話次回予告演出決定乱数、特殊決定乱数、アイコン決定乱数、煽り演出決定乱数）を更新する処理を行うとともに、以後は、割込処理が行われるまでステップ２００１の処理を繰り返し実行する。なお、演出乱数は複数種類設けられており、ここでは、それぞれの演出乱数が非同期的に更新されている。
【０２５８】
次に、副制御基板３００のタイマ割込処理について、図５２に示すフローチャートを参照して説明する。
副制御基板３００には、所定の周期（４ミリ秒）でクロックパルスを発生するリセット用クロックパルス発生回路（特に図示しておらず）が設けられている。そして、このリセット用クロックパルス発生回路によるクロックパルスの発生により、サブＣＰＵ３０１は
タイマ割込処理プログラムを読み込んで、図５２に示すタイマ割込処理を開始する。
【０２５９】
ステップ２１００において、サブＣＰＵ３０１は、副制御基板３００で用いられる各種タイマカウンタの更新処理を実行する。そして、次のステップ２１０１に進む。
なお、本形態に係るパチンコ機Ｐでは、減算タイマを採用しており、副制御基板３００のタイマ割込処理が実行されるたびにタイマカウンタが１ずつ減算され、０になると減算を停止するようになっている。
ステップ２１０１において、サブＣＰＵ３０１は、サブＲＡＭ３０３の受信バッファに格納されているコマンドを解析するとともに、受信したコマンドに応じた種々の処理を実行する。具体的には、副制御基板３００においては、主制御基板１００からコマンドが送信されると、コマンド受信割込処理が行われ、主制御基板１００から送信されたコマンドが受信バッファに格納される。そして、サブＣＰＵ３０１は、コマンド受信割込処理によって受信バッファに格納されたコマンドを解析する。そして、次のステップ２１０２に進む。
【０２６０】
ステップ２１０２において、サブＣＰＵ３０１は、実行中の変動演出等の進行状況に応じて、演出操作装置９の操作の受け付け可否を判定するとともに、回転操作検出センサ９ｃ及び押下操作検出センサ９ｄからの操作信号が入力されたか否かを判定する。そして、回転操作検出センサ９ｃ又は押下操作検出センサ９ｄから操作信号が入力されたときに、演出操作装置９の操作受け付け中であった場合には、演出操作装装置９が操作されたことを画像制御基板（特に図示しておらず）、音声制御基板（特に図示しておらず）、電飾制御基板（特に図示しておらず）、作動制御基板（特に図示しておらず）等の各種制御基板に送信すべく、送信バッファにコマンドを格納する。そして、次のステップ２１０３に進む。
【０２６１】
ステップ２１０３において、サブＣＰＵ３０１は、示唆演出の実行を制御する示唆演出制御処理を実行する。そして、次のステップ２１０４に進む。
ステップ２１０４において、サブＣＰＵ３０１は、サブＲＡＭ３０３の送信バッファにセットされているコマンドを、画像制御基板、音声制御基板、電飾制御基板、作動制御基板等の各種制御基板へ送信する。そして、副制御基板３００のタイマ割込処理を終了する。
【０２６２】
次に、上述したステップ２１０１のコマンド解析処理のうち、事前判定コマンドを受信した場合に実行される事前判定コマンド受信処理について、図５３のフローチャートを参照して説明する。なお、上述の如く、事前判定コマンドは、主制御基板１００において、事前判定処理のステップ５６２で記憶された後、ステップ２０８の出力制御処理によって副制御基板３００に送信される。
【０２６３】
ステップ２２００において、サブＣＰＵ３０１は、受信した事前判定コマンドに基づき、当該事前判定コマンドに含まれる大当たりの抽選の結果、特別図柄の種別、変動モード番号及び変動パターン番号等の事前判定情報を、サブＲＡＭ３０３の第１保留記憶領域のうち対応する記憶部に記憶する。そして、次のステップ２２０１に進む。
ステップ２２０１において、サブＣＰＵ３０１は、保留表示領域５２において保留表示を行うための保留表示処理を実行する。具体的には、サブＣＰＵ３０１は、保留表示コマンドを送信バッファにセットする。ここでセットされた保留表示コマンドは、上述のステップ２１０３において、各種制御基板に送信され、当該制御基板において、新たになされた保留記憶に対応する保留表示部に保留表示を行うための処理が実行されることとなる。そして、次のステップ２２０２に進む。
【０２６４】
ステップ２２０２において、サブＣＰＵ３０１は、受信した事前判定コマンドに含まれる変動モード番号が「０５Ｈ」、「０６Ｈ」又は「０７Ｈ」であるか否かを判定する。そして、「０５Ｈ」、「０６Ｈ」及び「０７Ｈ」のいずれでもないと判定した場合、事前判定コマンド受信処理を終了する。一方、「０５Ｈ」、「０６Ｈ」又は「０７Ｈ」であると判定した場合、次のステップ２２０３に進む。
ステップ２２０３において、サブＣＰＵ３０１は、上述のステップ２００１で更新された煽り演出決定乱数を取得する。そして、次のステップ２２０４に進む。
【０２６５】
ステップ２２０４において、サブＣＰＵ３０１は、上述のステップ２２０３で取得した煽り演出決定乱数、煽り演出実行決定テーブル１２７及び事前判定情報に含まれる変動モード番号に基づいて、煽り演出の実行の可否を決定する。そして、次のステップ２２０５に進む。
ステップ２２０５において、サブＣＰＵ３０１は、上述のステップ２２０４で煽り演出の実行が決定された場合に、煽り演出を実行するための煽り演出実行コマンドを送信バッファにセットする。ここでセットされた煽り演出実行コマンドは、上述のステップ２１０４において、各種制御基板へ送信されるとともに、これらの制御基板により、受信した煽り演出実行コマンドに基づいて煽り演出を実行する制御が行われることとなる。なお、上述のステップ２２０４で煽り演出を実行しない旨が決定された場合には、サブＣＰＵ３０１はここでは何も処理を行わない。そして、事前判定コマンド受信処理を終了する。
【０２６６】
次に、上述したステップ２１０１のコマンド解析処理のうち、変動モードコマンドを受信した場合に実行される変動モードコマンド受信処理について、図５４のフローチャートを参照して説明する。なお、上述の如く、変動モードコマンドは、主制御基板１００において、変動演出パターン決定処理のステップ９１１で記憶された後、ステップ２０８の出力制御処理によって副制御基板３００に送信される。
ステップ２３００において、サブＣＰＵ３０１は、第１保留記憶領域に記憶された保留数が１減少するのに伴って、対応する保留表示部の表示をシフトする保留シフト処理を実行する。具体的には、サブＣＰＵ３０１は、変動モードコマンドを受信すると、第１保留記憶領域の各記憶部のシフト処理を行う。ここでは、第１記憶部に記憶されている情報（事前判定情報等）をサブＲＡＭ３０３に設けられた所定の処理記憶部にシフトするとともに、第２記憶部〜第４記憶部に記憶されている情報を１つ番号の小さい記憶部にシフトする。併せて、保留表示もシフトする。そして、次のステップ２３０１に進む。
【０２６７】
ステップ２３０１において、サブＣＰＵ３０１は、上述のステップ２００１で更新された前半変動演出乱数を取得する。そして、次のステップ２３０２に進む。
ステップ２３０２において、サブＣＰＵ３０１は、上述のステップ２３０１で取得した前半変動演出乱数、変動演出の態様を決定するための変動演出決定テーブル及び受信した変動モードコマンドに対応する変動モード番号に基づいて、変動演出の前半部分の態様を決定する。そして、次のステップ２３０３に進む。
【０２６８】
ステップ２３０３において、サブＣＰＵ３０１は、変動演出の前半部分の態様を定めた前半変動演出実行コマンドを送信バッファにセットする。ここでセットされた前半変動演出実行コマンドは、上述のステップ２１０４において、各種制御基板へ送信されるとともに、これらの制御基板により、受信した前半変動演出実行コマンドに基づいて変動演出の前半部分を実行する制御が行われることとなる。そして、変動モードコマンド受信処理を終了する。
【０２６９】
次に、上述したステップ２１０１のコマンド解析処理のうち、変動パターンコマンドを受信した場合に実行される変動パターンコマンド受信処理について、図５５のフローチャートを参照して説明する。なお、上述の如く、変動パターンコマンドは、主制御基板１００において、変動演出パターン決定処理のステップ９１１で記憶された後、ステップ２０８の出力制御処理によって副制御基板３００に送信される。
【０２７０】
ステップ２４００において、サブＣＰＵ３０１は、上述のステップ２００１で更新された後半変動演出乱数を取得する。そして、次のステップ２４０１に進む。
ステップ２４０１において、サブＣＰＵ３０１は、上述のステップ２４００で取得した後半変動演出乱数、変動演出決定テーブル及び受信した変動パターンコマンドに対応する変動パターン番号に基づいて、変動演出の後半部分の態様を決定する。そして、次のステップ２４０２に進む。
【０２７１】
ステップ２４０２において、サブＣＰＵ３０１は、上述のステップ２４０１で決定した変動演出の後半部分の態様に対応する後半変動演出実行コマンドを送信バッファにセットする。ここでセットされた後半変動演出実行コマンドは、上述のステップ２１０４において、各種制御基板へ送信されるとともに、これらの制御基板により、受信した後半変動演出実行コマンドに基づいて変動演出の後半部分を実行する制御が行われることとなる。そして、次のステップ２４０３に進む。
ステップ２４０３において、サブＣＰＵ３０１は、各種示唆演出の実行の可否及び実行の態様を決定する通常決定処理を実行する。そして、次のステップ２４０４に進む。
【０２７２】
ステップ２４０４において、サブＣＰＵ３０１は、特定演出の実行を制御する特定演出制御処理を実行する。そして、変動パターンコマンド受信処理を終了する。
【０２７３】
次に、上述したステップ２４０３の通常決定処理について、図５６のフローチャートを参照して説明する。
ステップ２５００において、サブＣＰＵ３０１は、各種示唆演出（カットイン演出、特殊映像演出、役物作動演出、会話演出又は次回予告演出）の実行の可否、及び、実行が決定された場合の態様を決定する。そして、次のステップ２５０１に進む。
ステップ２５０１において、サブＣＰＵ３０１は、上述のステップ２５００で実行が決定された示唆演出の種類、当該示唆演出の態様、及び、通常決定により決定された旨を、サブＲＡＭ３０３における所定の記憶領域に記憶する。そして、通常決定処理を終了する。
【０２７４】
次に、上述したステップ２４０４の特定演出制御処理について、図５７のフローチャートを参照して説明する。
ステップ２６００において、サブＣＰＵ３０１は、受信した変動モードコマンドに対応する変動モード番号が「０７Ｈ」であるか否かを判定する。そして、「０７Ｈ」でないと判定した場合、特定演出制御処理を終了する。一方、「０７Ｈ」であると判定した場合、次のステップ２６０１に進む。
ステップ２６０１において、サブＣＰＵ３０１は、特定演出により実行を報知する示唆演出を決定する特殊決定処理を実行する。そして、次のステップ２６０２に進む。
ステップ２６０２において、サブＣＰＵ３０１は、獲得アイコン画像示唆演出の実行を制御する獲得アイコン画像示唆演出制御処理を実行する。そして、特定演出制御処理を終了する。
【０２７５】
次に、上述したステップ２６０１の特殊決定処理について、図５８のフローチャートを参照して説明する。
ステップ２７００において、サブＣＰＵ３０１は、上述のステップ２００１で更新された特殊決定乱数を取得する。そして、次のステップ２７０１に進む。
ステップ２７０１において、サブＣＰＵ３０１は、上述のステップ２７００で取得した特殊決定乱数、特殊決定テーブル１２５及び受信した変動パターンコマンドに対応する変動パターン番号に基づいて、特定演出により実行を報知する示唆演出の個数、種類及び態様を決定する。そして、次のステップ２７０２に進む。
【０２７６】
ステップ２７０２において、サブＣＰＵ３０１は、上述のステップ２７０１で決定された示唆演出と同種の示唆演出が、サブＲＡＭ３０３における所定の記憶領域に記憶されているか否かを判定する。そして、記憶されていないと判定した場合、ステップ２７０４に進む。一方、記憶されていると判定した場合、次のステップ２７０３に進む。
ステップ２７０３において、サブＣＰＵ３０１は、上述のステップ２７０２でサブＲＡＭ３０３における所定の記憶領域に記憶されていると判定された同種の示唆演出についての態様を、上述のステップ２７０１で決定された態様に書き換えるとともに、当該示唆演出については特殊決定により決定された旨を記憶する。また、上述のステップ２７０１で決定された示唆演出のうち、サブＲＡＭ３０３における所定の記憶領域に記憶されていなかった示唆演出については、その種類、態様及び特殊決定により決定された旨を当該記憶領域に記憶する。これにより、上述の記憶領域には、通常決定により実行が決定された示唆演出の種類及び態様、特殊決定により実行が決定された示唆演出の種類及び態様がそれぞれ記憶されることとなり、当該記憶領域に記憶された記憶に基づいて実行すべき示唆演出を把握することができることとなる。そして、次のステップ２７０４に進む。
【０２７７】
ステップ２７０４において、サブＣＰＵ３０１は、実行が決定された全ての示唆演出について、各示唆演出の実行タイミングまでの時間である開始時間を、それぞれ別個の開始時間タイマカウンタにセットする。これにより、全ての示唆演出が実行されるまでの時間がそれぞれ別個に計時されることとなる。そして、特殊決定処理を終了する。
【０２７８】
次に、上述したステップ２６０２の獲得アイコン画像示唆演出制御処理について、図５９のフローチャートを参照して説明する。
ステップ２８００において、サブＣＰＵ３０１は、上述のステップ２００１で更新されたアイコン決定乱数を取得する。そして、次のステップ２８０１に進む。
ステップ２８０１において、サブＣＰＵ３０１は、上述のステップ２７０１で決定された、特定演出により実行を報知する示唆演出の種類を確認する。そして、次のステップ２８０２に進む。
【０２７９】
ステップ２８０２において、サブＣＰＵ３０１は、上述のステップ２８００で取得したアイコン決定乱数、開始時アイコン画像決定テーブル１２６及び特定演出により実行を報知する示唆演出の種類に基づいて、獲得アイコン画像示唆演出の開始時に表示するアイコン画像を決定する。そして、次のステップ２８０３に進む。
ステップ２８０３において、サブＣＰＵ３０１は、上述のステップ２７０１で決定した特定演出により実行を報知する示唆演出の種類、及び、上述のステップ２８０２で決定したアイコン画像に対応するアイコン画像表示実行コマンドをセットする。ここでセットされたアイコン画像表示実行コマンドは、上述のステップ２１０４において、各種制御基板へ送信されるとともに、これらの制御基板により、受信したアイコン画像表示実行コマンドに対応する獲得アイコン画像示唆演出についての各種制御が行われることとなる。そして、獲得アイコン画像示唆演出制御処理を終了する。
【０２８０】
次に、上述したステップ２１０３の示唆演出制御処理について、図６０のフローチャートを参照して説明する。
ステップ２９００において、サブＣＰＵ３０１は、上述のステップ２７０４でいずれかの開始時間タイマカウンタにセットされた開始時間が経過したか否かを判定する。そして、いずれの開始時間タイマカウンタにおいても開始時間が経過していないと判定した場合、示唆演出制御処理を終了する。一方、いずれかの開始時間タイマカウンタにおいて開始時間が経過したと判定した場合、次のステップ２９０１に進む。
ステップ２９０１において、サブＣＰＵ３０１は、上述のステップ２９００において開始時間が経過したと判定された開始時間タイマカウンタに対応する示唆演出が、特殊決定により決定されたものであるか否かを判定する。そして、特殊決定により決定された示唆演出でない（すなわち、通常決定により決定された示唆演出である）と判定した場合、ステップ２９０３に進む。一方、特殊決定により決定された示唆演出であると判定した場合、次のステップ２９０２に進む。
【０２８１】
ステップ２９０２において、サブＣＰＵ３０１は、上述の示唆演出に対応するアイコン画像を消去するためのアイコン画像クリアコマンドをセットする。ここでセットされたアイコン画像クリアコマンドは、上述のステップ２１０４において、各種制御基板へ送信されるとともに、これらの制御基板により、受信したアイコン画像クリアコマンドに対応してアイコン画像を消去するための各種制御が行われることとなる。そして、次のステップ２９０３に進む。
ステップ２９０３において、サブＣＰＵ３０１は、上述の示唆演出を実行するための示唆演出実行コマンドをセットする。ここでセットされた示唆演出実行コマンドは、上述のステップ２１０４において、各種制御基板へ送信されるとともに、これらの制御基板により、受信した示唆演出実行コマンドに対応して示唆演出を実行するための各種制御が行われることとなる。そして、示唆演出制御処理を終了する。
【０２８２】
次に、上述の実施の形態の変形例について説明する。
上述の実施の形態における示唆演出や特定演出は、非時短遊技状態において実行されるものとなっていたが、これに限定されるものではなく、時短遊技状態（高確率時短遊技状態）において実行されるようにしてもよい。
また、上述の実施の形態における特定演出は、当該変動演出中において実行される示唆演出を対象として実行されるものとなっていたが、これに限定されるものではなく、新たな保留記憶がなされてから当該保留記憶が読み出されて変動演出が開始されるまでの間に実行される示唆演出（すなわち、先読み演出）を対象として実行されるようにしてもよい。具体的には、新たな保留記憶がなされた時点から特定演出を開始して、当該時点から当該保留記憶が読み出されて変動演出が開始されるまでの間に実行される示唆演出を特定演出により報知するようにしてもよい。
また、上述の実施の形態では、通常決定により実行が決定された示唆演出よりも、特殊決定により決定された示唆演出を優先的に実行するようになっていたが、これに限定されるものではなく、特殊決定により決定された示唆演出よりも、通常決定により実行が決定された示唆演出を優先的に実行するように設定してもよい。
また、上述の実施の形態では、「０７Ｈ」の変動モード番号（「０８Ｈ」又は「Ａ８Ｈ」の変動パターン番号）が決定された場合に特定演出が実行されるようになっていたが、これに限定されるものではなく、所定の抽選により特定演出の実行が決定された場合に特定演出が実行されるように設定してもよい。
【０２８３】
また、上述の実施の形態では、メインＣＰＵ１０１により変動演出のパターン（変動時間）が決定されると、この決定されたパターンに対応して一義的に変動演出の態様（リーチなし変動パターン、リーチ変動パターン、発展なしパターン、発展ありパターン等）が決定されるようになっていたが、これに限定されるものではなく、メインＣＰＵ１０１は、変動演出のパターン（変動時間）のみを決定し、この決定結果を受信したサブＣＰＵ３０１が上述の変動演出の態様を決定するように設定してもよい。
このように設定することで、メインＣＰＵ１０１に対する負荷を軽減することができるとともに、決定される変動演出の態様のバリエーションを増やすことができる。
【０２８４】
また、上述の実施の形態では、特殊パターンが対応付けられた変動モード番号が決定された場合には、リーチ変動パターンにより前半本変動が実行されるように設定されていた（すなわち、特殊演出が実行される場合には、必ずリーチ表示がなされるように設定されていた）が、これに限定されるものではなく、特殊パターンが対応付けられた変動モード番号が決定された場合に、リーチなし変動パターンにより前半本変動が実行されるように設定してもよい。すなわち、特殊演出が実行されても、リーチ表示がなされない場合があるように設定してもよい。
このように設定することで、特殊演出が実行された際に実行される前半本変動のバリエーションが増えることとなるため、演出効果を向上させることができる。
【０２８５】
また、上述の実施の形態では、特殊パターンが対応付けられた変動モード番号が決定された場合の特殊演出時間は「４秒」及び「８秒」のいずれかとなっていたが、これに限定されるものではなく、これら以外の特殊演出時間を設けてもよい。
このように設定することで、特殊演出のバリエーションが増えることとなるため、演出効果を向上させることができる。
なお、上述の変形例は、可能な範囲で互いに組み合わせて構成することもできる。
【符号の説明】
【０２８６】
Ｐ  パチンコ機
２１  演出表示装置
１００  主制御基板
１０１  メインＣＰＵ
１０２  メインＲＯＭ
１０３  メインＲＡＭ
３００  副制御基板
３０１  サブＣＰＵ
３０２  サブＲＯＭ
３０３  サブＲＡＭ
【図１】
2018042848.tif 000003
【図２】
2018042848.tif 000004
【図３】
2018042848.tif 000005
【図４】
2018042848.tif 000006
【図５】
2018042848.tif 000007
【図６】
2018042848.tif 000008
【図７】
2018042848.tif 000009
【図８】
2018042848.tif 000010
【図９】
2018042848.tif 000011
【図１０】
2018042848.tif 000012
【図１１】
2018042848.tif 000013
【図１２】
2018042848.tif 000014
【図１３】
2018042848.tif 000015
【図１４】
2018042848.tif 000016
【図１５】
2018042848.tif 000017
【図１６】
2018042848.tif 000018
【図１７】
2018042848.tif 000019
【図１８】
2018042848.tif 000020
【図１９】
2018042848.tif 000021
【図２０】
2018042848.tif 000022
【図２１】
2018042848.tif 000023
【図２２】
2018042848.tif 000024
【図２３】
2018042848.tif 000025
【図２４】
2018042848.tif 000026
【図２５】
2018042848.tif 000027
【図２６】
2018042848.tif 000028
【図２７】
2018042848.tif 000029
【図２８】
2018042848.tif 000030
【図２９】
2018042848.tif 000031
【図３０】
2018042848.tif 000032
【図３１】
2018042848.tif 000033
【図３２】
2018042848.tif 000034
【図３３】
2018042848.tif 000035
【図３４】
2018042848.tif 000036
【図３５】
2018042848.tif 000037
【図３６】
2018042848.tif 000038
【図３７】
2018042848.tif 000039
【図３８】
2018042848.tif 000040
【図３９】
2018042848.tif 000041
【図４０】
2018042848.tif 000042
【図４１】
2018042848.tif 000043
【図４２】
2018042848.tif 000044
【図４３】
2018042848.tif 000045
【図４４】
2018042848.tif 000046
【図４５】
2018042848.tif 000047
【図４６】
2018042848.tif 000048
【図４７】
2018042848.tif 000049
【図４８】
2018042848.tif 000050
【図４９】
2018042848.tif 000051
【図５０】
2018042848.tif 000052
【図５１】
2018042848.tif 000053
【図５２】
2018042848.tif 000054
【図５３】
2018042848.tif 000055
【図５４】
2018042848.tif 000056
【図５５】
2018042848.tif 000057
【図５６】
2018042848.tif 000058
【図５７】
2018042848.tif 000059
【図５８】
2018042848.tif 000060
【図５９】
2018042848.tif 000061
【図６０】
2018042848.tif 000062